(57)【特許請求の範囲】
【請求項１】
対象機器の動作内容を選択するために操作される複数の操作ボタンの機能を各々表す複数のスイッチ機能表示像を表示手段に表示させ、該各スイッチ機能表示像の像光を対応する前記各操作ボタンに背後から各々照射させることで、前記各スイッチ機能表示像を、対応する前記各操作ボタンの正面側から視認できるように該各操作ボタンに各々結像させる多機能スイッチ装置であって、
前記対象機器の種類を指定するための対象機器指定機能表示像を、前記スイッチ機能表示像として複数混在させた初期階層表示画像を、前記表示手段に表示させる初期階層表示実行手段と、
前記初期階層表示実行手段が前記初期階層表示画像を前記表示手段に表示させている間、前記各操作ボタンの操作を検出する操作ボタン操作検出手段と、
前記初期階層表示実行手段が前記表示手段に表示させている前記初期階層表示画像のうち、前記操作ボタン操作検出手段が操作を検出した前記操作ボタンに結像される前記対象機器指定機能表示像を特定する表示像特定手段と、
前記各操作ボタンの操作を前記操作ボタン操作検出手段が検出した際に、前記表示像特定手段が特定した前記対象機器指定機能表示像に対応する種類の前記対象機器の動作内容を選択するための特定対象機器機能表示像を、前記スイッチ機能表示像として複数存在させた次階層表示画像を、前記初期階層表示画像に代えて前記表示手段に表示させる次階層表示実行手段と、を備えた多機能スイッチ装置において、
前記複数の操作ボタンが、第１操作ボタン部分と、該第１操作ボタン部分を除く第２操作ボタン部分とを有しており、
前記表示手段が、前記第１操作ボタン部分及び前記第２操作ボタン部分のうちいずれか一方を、像が第１色で視認されると共に背景が第２色で視認されるように表示を行い、かつ、前記第１操作ボタン部分及び前記第２操作ボタン部分のうちいずれか他方を、像が前記第２色で視認されると共に背景が前記第１色で視認されるように表示を行うように構成されており、
そして、前記第１操作ボタン部分及び前記第２操作ボタン部分のいずれを前記一方とするかを選択する選択手段が、備えられている
ことを特徴とする多機能スイッチ装置。
【請求項２】
前記初期階層表示画像に複数混在させる前記対象機器指定機能表示像を設定する対象機器指定像設定手段をさらに備え、前記初期階層表示実行手段は、前記対象機器指定像設定手段により設定された複数の前記対象機器指定機能表示像を混在させた前記初期階層表示画像を、前記表示手段に表示させる請求項１記載の多機能スイッチ装置。
【請求項３】
前記対象機器指定像設定手段は、前記対象機器からの対象機器特定情報を基に、前記初期階層表示画像に複数混在させる前記対象機器指定機能表示像を設定する請求項２記載の多機能スイッチ装置。
【請求項４】
前記次階層表示画像に複数存在させる前記特定対象機器機能表示像を設定する特定対象機器像設定手段をさらに備え、前記次階層表示実行手段は、前記特定対象機器像設定手段により設定された複数の前記特定対象機器機能表示像を混在させた前記次階層表示画像を、前記表示手段に表示させる請求項１、２又は３記載の多機能スイッチ装置。
【請求項５】
前記特定対象機器像設定手段は、前記対象機器からの動作内容情報を基に、前記次階層表示画像に複数存在させる前記特定対象機器機能表示像を設定する請求項４記載の多機能スイッチ装置。
【請求項６】
前記対象機器のうち特定種類の対象機器に関してのみ操作が有効とされる特定操作ボタンと、前記初期階層表示実行手段が前記初期階層表示画像を前記表示手段に表示させている間、前記特定操作ボタンの操作を検出する特定操作ボタン操作検出手段とをさらに備え、前記次階層表示実行手段はさらに、前記特定操作ボタンの操作を前記特定操作ボタン操作検出手段が検出した際に、前記特定種類の対象機器に対応する前記次階層表示画像を、前記初期階層表示画像に代えて前記表示手段に表示させる請求項１、２、３、４又は５記載の多機能スイッチ装置。
【請求項７】
前記初期階層表示実行手段及び前記次階層表示実行手段のうち少なくとも一方は、前記複数の操作ボタンのうち少なくとも１つの操作ボタンを除いて構成される第１ボタン領域に、該第１ボタン領域を構成する前記操作ボタンの背後から像光が照射されるように前記スイッチ機能表示像を前記表示手段に表示させると共に、前記複数の操作ボタンのうち前記第１ボタン領域を除く他の操作ボタンで構成される第２ボタン領域に、該第２ボタン領域を構成する前記操作ボタンの背後から像光が照射されるように、前記第１ボタン領域を構成する前記操作ボタンの機能に関連する付加情報表示像を、前記スイッチ機能表示像と同時に前記表示手段に表示させる請求項１、２、３、４、５又は６記載の多機能スイッチ装置。
【請求項８】
前記初期階層表示実行手段は、前記対象機器指定機能表示像中に、該対象機器指定機能表示像に対応する前記特定対象機器機能表示像の存在を予告する次階層予告表示像を含ませた前記初期階層表示画像を、前記表示手段に表示させる請求項１、２、３、４、５、６又は７記載の多機能スイッチ装置。
【請求項９】
複数の操作ボタンと、該操作ボタンの操作により対象機器の動作内容の選択指示を行う動作選択指示部と、前記対象機器の動作に関連する設定の変更指示を行う設定変更指示部とを備える多機能スイッチ装置において、
前記動作選択指示部により選択可能な前記対象機器の動作内容の複数の選択肢を、各選択肢毎に個別の前記操作ボタンの操作面上において各々視認されるように表示する表示手段と、
前記設定変更指示部による前記設定の変更指示に伴って、前記操作ボタンの操作面上において、少なくとも該設定に関連する前記対象機器の動作内容の選択肢が視認されるように、前記表示手段の表示内容を変更させる表示変更手段と、
を備えることを特徴とする多機能スイッチ装置。
【請求項１０】
前記設定変更指示部は、前記複数の操作ボタンのうち、前記表示手段による表示によって前記設定の変更を指示する選択肢が前記操作面上において視認される操作ボタンを含んで構成されており、前記設定変更指示部を構成する前記操作ボタンの操作に伴って、前記表示変更手段による前記表示手段の表示内容の変更が行われる請求項９記載の多機能スイッチ装置。
【請求項１１】
前記設定変更指示部は、前記複数の操作ボタンのうち、前記表示手段による表示によって前記設定の変更を指示する選択肢が前記操作面上において視認される操作ボタンと、前記複数の操作ボタンとは別個に前記設定の変更指示のために設けられた設定変更用操作ボタンとを含んで構成されており、前記設定変更指示部を構成する前記操作ボタンと前記設定変更用操作ボタンとのうちいずれか一方の操作に伴って、前記表示変更手段による前記表示手段の表示内容の変更が行われる請求項９記載の多機能スイッチ装置。
【請求項１２】
前記設定変更指示部は、前記複数の操作ボタンのうち、前記表示手段による表示によって前記設定の変更指示の確定を指示する選択肢が前記操作面上において視認される操作ボタンを含んで構成されており、前記設定変更指示部を構成する前記操作ボタンの操作に伴って、前記表示変更手段による前記表示手段の表示内容の変更が行われる請求項９記載の多機能スイッチ装置。
【請求項１３】
前記設定変更指示部は、前記複数の操作ボタンのうち、前記表示手段による表示によって前記設定の変更指示の確定を指示する選択肢が前記操作面上において視認される操作ボタンと、前記複数の操作ボタンとは別個に前記設定の変更指示のために設けられた設定変更用操作ボタンとを含んで構成されており、前記設定変更指示部を構成する前記操作ボタンと前記設定変更用操作ボタンとのうちいずれか一方の操作に伴って、前記表示変更手段による前記表示手段の表示内容の変更が行われる請求項９記載の多機能スイッチ装置。
【請求項１４】
前記表示手段は、前記複数の操作ボタンのうち少なくとも一部の操作ボタンの前記操作面上において視認されるように前記設定をさらに表示する請求項９、１０、１１、１２又は１３記載の多機能スイッチ装置。
【発明の詳細な説明】
【０００１】
【発明の属する技術分野】
本発明は、例えば、複数の対象機器に関する動作内容の選択に共用される多機能スイッチ装置に関する。
【０００２】
【従来の技術】
例えば、自動車のセンターコンソールに集中配置されるカーステレオやカーエアコン等の電装品は、動作内容選択用の操作ボタンを各々必要としており、旧来は各電装品毎に個別の操作ボタンを各々用意してセンターコンソール上に配置していた。
【０００３】
しかし、各電装品とも技術の進歩により機能が多様化し始め、それに伴い必要とする操作ボタンの数が増えてきたため、限られたスペースのセンターコンソール上に必要とする全ての操作ボタンを配置することが次第に困難になり、また、多数の操作ボタンの存在によりセンターコンソールの意匠上の美観を、ともすれば損ないかねない状況に至っていた。
【０００４】
このような状況を打開するためこれまでに提案された従来技術は枚挙に遑がないので、その全てを延々と説明することは避け、ここでは、代表的な例の１つとして、特開昭５９−５７０４３号公報の車両用集合スイッチ装置について説明することにする。
【０００５】
この車両用集合スイッチ装置では、液晶ディスプレイ素子の一部の表示領域に複数のモード切換用スイッチを表示させ、いずれかのモード切換用スイッチの表示に触れて操作すると、液晶ディスプレイ素子上に配置された透明スイッチがこれを検出して、液晶ディスプレイ素子の他の表示領域に、操作されたモード切換用スイッチのモードに対応する機能切換用スイッチを複数表示させ、これら複数の機能切換用スイッチの操作を受け付ける構成としている。
【０００６】
【発明が解決しようとする課題】
上述した車両用集合スイッチ装置によれば、液晶ディスプレイ素子に表示させる機能切換用スイッチをモード切換用スイッチの操作により選択して切り換えるため、確かに、液晶ディスプレイ素子に同時に表示させる機能切換用スイッチの数や、機能切換用スイッチの操作を検出する透明スイッチの数を減らすことができる。
【０００７】
しかし、モード切換用スイッチの表示領域と機能切換用スイッチの表示領域とが液晶ディスプレイ素子上に独立して存在する以上、それに見合ったスペースを液晶ディスプレイ素子が有していなければならず、また、モード切換用スイッチと機能切換用スイッチとを合計した数の透明スイッチを、それらの操作を検出するために確保しなければならないので、センターコンソールのような限られたスペースに配置するには、若干の問題を残していた。
【０００８】
尚、特開平９−１１５３７７号公報では、機能切換用の操作ボタンの機能表示のみを液晶ディスプレイにおいて行う車両空調機の操作装置が提案されているが、液晶ディスプレイが表示するのはあくまで機能切換用の操作ボタンに関する機能表示に過ぎないので、モード切換用の操作ボタンや機能切換用の操作ボタンはいずれも液晶ディスプレイの外に配置しなければならず、限られたスペースに配置するということを前提に考えると、採用できる技術とは言い難かった。
【０００９】
また、特開平９−１９８１７６号公報には、操作ボタンの後部に液晶ディスプレイを配置し、液晶ディスプレイの表示を変化させることで、操作ボタンの透明部又は貫通孔を介して視認される操作ボタンの機能表示を変化させるようにした表示装置を有する電子機器が提案されている。
【００１０】
しかしながら、この電子機器では、操作ボタンの機能表示を変化させる必要性が生じるモードの切り換えを、スロットへのカセットテープやＣＤ（コンパクトディスク）等の挿入動作によって行っているため、カセットテープやＣＤをスロットに挿入すると、必要あるかないかに拘わらずモードが切り換えられてしまうという不具合があり、その上、切換先のモードを特定できる操作が操作ボタンの操作以外では発生しない機器も含めて操作ボタンの多機能化を図る場合には、そのまま採用することができないという不具合があった。
【００１１】
本発明は前記事情に鑑みなされたもので、本発明の目的は、操作ボタンの数を単に減らすだけでなくその機能表示に要するスペースまで減らしたとしても、操作ボタンが果たす複数の機能を十分に認識させることができると共に、操作ボタンの周囲の状況に応じて表示形態を変えて操作ボタンの視認性を良好に保つことができる多機能スイッチ装置を提供することにある。
【００１２】
【課題を解決するための手段】
前記目的を達成するため請求項１に記載した本発明の多機能スイッチ装置は、図１に基本構成図で示すように、対象機器の動作内容を選択するために操作される複数の操作ボタンα1 〜αn の機能を各々表す複数のスイッチ機能表示像を表示手段１５ｊに表示させ、該各スイッチ機能表示像の像光を対応する前記各操作ボタンα1 〜αn に背後から各々照射させることで、前記各スイッチ機能表示像を、対応する前記各操作ボタンα1 〜αn の正面側から視認できるように該各操作ボタンα1 〜αn に各々結像させる多機能スイッチ装置であって、前記対象機器の種類を指定するための対象機器指定機能表示像を、前記スイッチ機能表示像として複数混在させた初期階層表示画像を、前記表示手段１５ｊに表示させる初期階層表示実行手段３１Ａと、前記初期階層表示実行手段３１Ａが前記初期階層表示画像を前記表示手段１５ｊに表示させている間、前記各操作ボタンα1 〜αn の操作を検出する操作ボタン操作検出手段Ｂと、前記初期階層表示実行手段３１Ａが前記表示手段１５ｊに表示させている前記初期階層表示画像のうち、前記操作ボタン操作検出手段Ｂが操作を検出した前記操作ボタンに結像される前記対象機器指定機能表示像を特定する表示像特定手段３１Ｂと、前記各操作ボタンα1 〜αn の操作を前記操作ボタン操作検出手段Ｂが検出した際に、前記表示像特定手段３１Ｂが特定した前記対象機器指定機能表示像に対応する種類の前記対象機器の動作内容を選択するための特定対象機器機能表示像を、前記スイッチ機能表示像として複数存在させた次階層表示画像を、前記初期階層表示画像に代えて前記表示手段１５ｊに表示させる次階層表示実行手段３１Ｃと、を備えた多機能スイッチ装置において、前記複数の操作ボタンα1 〜αn ，δ1 〜δn が、第１操作ボタン部分と、該第１操作ボタン部分を除く第２操作ボタン部分とを有しており、前記表示手段１５ｊ，１５ｋが、前記第１操作ボタン部分及び前記第２操作ボタン部分のうちいずれか一方を、像が第１色で視認されると共に背景が第２色で視認されるように表示を行い、かつ、前記第１操作ボタン部分及び前記第２操作ボタン部分のうちいずれか他方を、像が前記第２色で視認されると共に背景が前記第１色で視認されるように表示を行うように構成されており、前記第１操作ボタン部分及び前記第２操作ボタン部分のいずれを前記一方とするかを選択する選択手段Ｆをさらに備えるものとした。
【００１３】
また、請求項２に記載した本発明の多機能スイッチ装置は、請求項１に記載した本発明の多機能スイッチ装置において、前記初期階層表示画像に複数混在させる前記対象機器指定機能表示像を設定する対象機器指定像設定手段３１Ｄをさらに備え、前記初期階層表示実行手段３１Ａが、前記対象機器指定像設定手段３１Ｄにより設定された複数の前記対象機器指定機能表示像を混在させた前記初期階層表示画像を、前記表示手段１５ｊに表示させるものとした。
【００１４】
さらに、請求項３に記載した本発明の多機能スイッチ装置は、請求項２に記載した本発明の多機能スイッチ装置において、前記対象機器指定像設定手段３１Ｄが、前記対象機器からの対象機器特定情報を基に、前記初期階層表示画像に複数混在させる前記対象機器指定機能表示像を設定するものとした。
【００１５】
また、請求項４に記載した本発明の多機能スイッチ装置は、請求項１、２又は３に記載した本発明の多機能スイッチ装置において、前記次階層表示画像に複数存在させる前記特定対象機器機能表示像を設定する特定対象機器像設定手段３１Ｅをさらに備え、前記次階層表示実行手段３１Ｃが、前記特定対象機器像設定手段３１Ｅにより設定された複数の前記特定対象機器機能表示像を混在させた前記次階層表示画像を、前記表示手段１５ｊに表示させるものとした。
【００１６】
さらに、請求項５に記載した本発明の多機能スイッチ装置は、請求項４に記載した本発明の多機能スイッチ装置において、前記特定対象機器像設定手段３１Ｅが、前記対象機器からの動作内容情報を基に、前記次階層表示画像に複数存在させる前記特定対象機器機能表示像を設定するものとした。
【００１７】
また、請求項６に記載した本発明の多機能スイッチ装置は、請求項１、２、３、４又は５に記載した本発明の多機能スイッチ装置において、前記対象機器のうち特定種類の対象機器に関してのみ操作が有効とされる特定操作ボタンβと、前記初期階層表示実行手段３１Ａが前記初期階層表示画像を前記表示手段１５ｊに表示させている間、前記特定操作ボタンβの操作を検出する特定操作ボタン操作検出手段Ｃとをさらに備え、前記次階層表示実行手段３１Ｃがさらに、前記特定操作ボタンβの操作を前記特定操作ボタン操作検出手段Ｃが検出した際に、前記特定種類の対象機器に対応する前記次階層表示画像を、前記初期階層表示画像に代えて前記表示手段１５ｊに表示させるものとした。
【００１８】
さらに、請求項７に記載した本発明の多機能スイッチ装置は、請求項１、２、３、４、５又は６に記載した本発明の多機能スイッチ装置において、前記初期階層表示実行手段３１Ａ及び前記次階層表示実行手段３１Ｃのうち少なくとも一方が、前記複数の操作ボタンα1 〜αn のうち少なくとも１つの操作ボタンを除いて構成される第１ボタン領域に、該第１ボタン領域を構成する前記操作ボタンの背後から像光が照射されるように前記スイッチ機能表示像を前記表示手段１５ｊに表示させると共に、前記複数の操作ボタンα1 〜αn のうち前記第１ボタン領域を除く他の操作ボタンで構成される第２ボタン領域に、該第２ボタン領域を構成する前記操作ボタンの背後から像光が照射されるように、前記第１ボタン領域を構成する前記操作ボタンの機能に関連する付加情報表示像を、前記スイッチ機能表示像と同時に前記表示手段１５ｊに表示させるものとした。
【００１９】
また、請求項８に記載した本発明の多機能スイッチ装置は、請求項１、２、３、４、５、６又は７に記載した本発明の多機能スイッチ装置において、前記初期階層表示実行手段３１Ａが、前記対象機器指定機能表示像中に、該対象機器指定機能表示像に対応する前記特定対象機器機能表示像の存在を予告する次階層予告表示像を含ませた前記初期階層表示画像を、前記表示手段１５ｊに表示させるものとした。
【００２０】
さらに、請求項９に記載した本発明の多機能スイッチ装置は、図２に基本構成図で示すように、複数の操作ボタンδ1 〜δn と、該操作ボタンδ1 〜δn の操作により対象機器Ａの動作内容の選択指示を行う動作選択指示部Ｄと、前記対象機器Ａの動作に関連する設定の変更指示を行う設定変更指示部Ｅとを備える多機能スイッチ装置において、前記動作選択指示部Ｄにより選択可能な前記対象機器Ａの動作内容の複数の選択肢を、各選択肢毎に個別の前記操作ボタンδ1 〜δn の操作面上において各々視認されるように表示する表示手段１５ｊ，１５ｋと、前記設定変更指示部Ｅによる前記設定の変更指示に伴って、前記操作ボタンδ1 〜δn の操作面上において、少なくとも該設定に関連する前記対象機器Ａの動作内容の選択肢が視認されるように、前記表示手段１５ｊ，１５ｋの表示内容を変更させる表示変更手段３３Ａとを備えることを特徴とする。
【００２１】
また、請求項１０に記載した本発明の多機能スイッチ装置は、請求項９に記載した本発明の多機能スイッチ装置において、前記設定変更指示部Ｅが、前記複数の操作ボタンδ1 〜δn のうち、前記表示手段１５ｊ，１５ｋによる表示によって前記設定の変更を指示する選択肢が前記操作面上において視認される操作ボタンδ1 〜δn を含んで構成されており、前記設定変更指示部Ｅを構成する前記操作ボタンδ1 〜δn の操作に伴って、前記表示変更手段３３Ａによる前記表示手段１５ｊ，１５ｋの表示内容の変更が行われるものとした。
【００２２】
さらに、請求項１１に記載した本発明の多機能スイッチ装置は、請求項９に記載した本発明の多機能スイッチ装置において、前記設定変更指示部Ｅが、前記複数の操作ボタンδ1 〜δn のうち、前記表示手段１５ｊ，１５ｋによる表示によって前記設定の変更を指示する選択肢が前記操作面上において視認される操作ボタンδ1 〜δn と、前記複数の操作ボタンδ1 〜δn とは別個に前記設定の変更指示のために設けられた設定変更用操作ボタンλとを含んで構成されており、前記設定変更指示部Ｅを構成する前記操作ボタンδ1 〜δn と前記設定変更用操作ボタンλとのうちいずれか一方の操作に伴って、前記表示変更手段３３Ａによる前記表示手段１５ｊ，１５ｋの表示内容の変更が行われるものとした。
【００２３】
また、請求項１２に記載した本発明の多機能スイッチ装置は、請求項９に記載した本発明の多機能スイッチ装置において、前記設定変更指示部Ｅが、前記複数の操作ボタンδ1 〜δn のうち、前記表示手段１５ｊ，１５ｋによる表示によって前記設定の変更指示の確定を指示する選択肢が前記操作面上において視認される操作ボタンδ1 〜δn を含んで構成されており、前記設定変更指示部Ｅを構成する前記操作ボタンδ1 〜δn の操作に伴って、前記表示変更手段３３Ａによる前記表示手段１５ｊ，１５ｋの表示内容の変更が行われるものとした。
【００２４】
さらに、請求項１３に記載した本発明の多機能スイッチ装置は、請求項９に記載した本発明の多機能スイッチ装置において、前記設定変更指示部Ｅが、前記複数の操作ボタンδ1 〜δn のうち、前記表示手段１５ｊ，１５ｋによる表示によって前記設定の変更指示の確定を指示する選択肢が前記操作面上において視認される操作ボタンδ1 〜δn と、前記複数の操作ボタンδ1 〜δn とは別個に前記設定の変更指示のために設けられた設定変更用操作ボタンλとを含んで構成されており、前記設定変更指示部Ｅを構成する前記操作ボタンδ1 〜δn と前記設定変更用操作ボタンλとのうちいずれか一方の操作に伴って、前記表示変更手段３３Ａによる前記表示手段１５ｊ，１５ｋの表示内容の変更が行われるものとした。
【００２５】
また、請求項１４に記載した本発明の多機能スイッチ装置は、請求項９、１０、１１、１２又は１３に記載した本発明の多機能スイッチ装置において、前記表示手段１５ｊ，１５ｋが、前記複数の操作ボタンδ1 〜δn のうち少なくとも一部の操作ボタンδ1 〜δn の前記操作面上において視認されるように前記設定をさらに表示するものとした。
【００２７】
請求項１に記載した本発明の多機能スイッチ装置によれば、初期階層表示実行手段３１Ａが初期階層表示画像を表示手段１５ｊに表示させている間に、各操作ボタンα1 〜αn の操作を操作ボタン操作検出手段Ｂが検出すると、操作ボタン操作検出手段Ｂが操作を検出した操作ボタンに結像される対象機器指定機能表示像が表示像特定手段３１Ｂにより特定されて、その特定された対象機器指定機能表示像に対応する種類の対象機器の動作内容を選択するための特定対象機器機能表示像を、スイッチ機能表示像として複数存在させた次階層表示画像が、初期階層表示画像に代えて次階層表示実行手段３１Ｃにより表示手段１５ｊに表示される。さらに、選択手段Ｆが、複数の操作ボタンが有する第１操作ボタン部分及び前記第２操作ボタン部分のうちいずれを、像が第１色で視認されると共に背景が第２色で視認される一方とし、像が第２色で視認されると共に背景が第１色で視認される他方とするかを逆転させると、第１操作ボタン部分における像及び背景の表示形態と、第２操作ボタン部分における像及び背景の表示形態とが入れ替わることになる。
【００２８】
即ち、初期階層表示画像が表示手段１５ｊに表示されている状態では、対象機器の種類を指定するための機能を持つことを認識させるために、対象機器の種類を指定するための対象機器指定機能表示像を正面側から視認できるように結像させていた各操作ボタンα1 〜αn に、対象機器の種類を指定するための操作が行われた後には、その操作により指定された種類の対象機器の動作内容を選択するための特定対象機器機能表示像が正面側から視認できるように結像されることになる。
【００２９】
したがって、対象機器の種類の指定と指定された種類の対象機器に関する動作内容の選択とを同じ操作ボタンα1 〜αn により行えるような機能表示を、各操作ボタンα1 〜αn が占有するスペース上において行わせて、操作ボタンα1 〜αn の数や機能表示に要するスペースを減らしつつ、各々の機能を十分に認識させることが可能となる。
【００３０】
また、請求項２に記載した本発明の多機能スイッチ装置によれば、請求項１に記載した本発明の多機能スイッチ装置において、対象機器指定機能表示像を対象機器指定像設定手段３１Ｄにより設定すると、初期階層表示実行手段３１Ａにより表示手段１５ｊに表示される初期階層表示画像が、対象機器指定像設定手段３１Ｄにより設定された対象機器指定機能表示像を混在させた内容となる。
【００３１】
したがって、初期階層表示画像に混在させて各操作ボタンα1 〜αn に正面側から視認できるように各々結像させ、各操作ボタンα1 〜αn の機能として認識させる対象機器指定機能表示像を、対象機器指定像設定手段３１Ｄにより設定することで、複数の操作ボタンα1 〜αn により選択可能な対象機器の種類を任意の内容に設定することが可能となる。
【００３２】
さらに、請求項３に記載した本発明の多機能スイッチ装置によれば、請求項２に記載した本発明の多機能スイッチ装置において、対象機器から対象機器特定情報が供給されると、その対象機器特定情報を基にして対象機器指定像設定手段３１Ｄが、初期階層表示画像に混在させる対象機器指定機能表示像を設定することになる。
【００３３】
したがって、対象機器を接続する等してその対象機器からの対象機器特定情報を受け取れるようにすることで、特別な設定操作を行ったりそのための手段を別途設けることなく、初期階層表示画像に混在させる対象機器指定機能表示像を容易に設定することが可能となる。
【００３４】
また、請求項４に記載した本発明の多機能スイッチ装置によれば、請求項１、２又は３に記載した本発明の多機能スイッチ装置において、特定対象機器指定機能表示像を特定対象機器像設定手段３１Ｅにより設定すると、次階層表示実行手段３１Ｃにより表示手段１５ｊに表示される次階層表示画像が、特定対象機器像設定手段３１Ｅにより設定された特定対象機器機能表示像を混在させた内容となる。
【００３５】
したがって、次階層表示画像に混在させて各操作ボタンα1 〜αn に正面側から視認できるように各々結像させ、各操作ボタンα1 〜αn の機能として認識させる特定対象機器指定機能表示像を、特定対象機器像設定手段３１Ｅにより設定することで、複数の操作ボタンα1 〜αn により選択可能な特定種類の対象機器の動作内容を任意の内容に設定することが可能となる。
【００３６】
さらに、請求項５に記載した本発明の多機能スイッチ装置によれば、請求項４に記載した本発明の多機能スイッチ装置において、対象機器から動作内容情報が供給されると、その動作内容情報を基にして特定対象機器像設定手段３１Ｅが、次階層表示画像に混在させる特定対象機器機能表示像を設定することになる。
【００３７】
したがって、対象機器を接続する等してその対象機器からの動作内容情報を受け取れるようにすることで、特別な設定操作を行ったりそのための手段を別途設けることなく、次階層表示画像に混在させる特定対象機器機能表示像を容易に設定することが可能となる。
【００３８】
また、請求項６に記載した本発明の多機能スイッチ装置によれば、請求項１、２、３、４又は５に記載した本発明の多機能スイッチ装置において、初期階層表示実行手段３１Ａが初期階層表示画像を表示手段１５ｊに表示させている間に、特定操作ボタンβの操作を特定操作ボタン操作検出手段Ｃが検出すると、特定操作ボタンβの操作が有効とされる特定種類の対象機器の動作内容を選択するための特定対象機器機能表示像を、スイッチ機能表示像として複数存在させた次階層表示画像が、初期階層表示画像に代えて次階層表示実行手段３１Ｃにより表示手段１５ｊに表示される。
【００３９】
即ち、初期階層表示画像が表示手段１５ｊに表示されている状態では、対象機器の種類を指定するための機能を持つことを認識させるために、対象機器の種類を指定するための対象機器指定機能表示像を正面側から視認できるように結像させていた各操作ボタンα1 〜αn に、特定操作ボタンβの操作が行われた後には、その特定操作ボタンβの操作が有効とされる特定種類の対象機器の動作内容を選択するための特定対象機器機能表示像が正面側から視認できるように結像されることになる。
【００４０】
したがって、対象機器指定機能表示像を正面側から視認できるように結像させていた各操作ボタンα1 〜αn の操作によって対象機器の種類の指定が行われないまま、特定種類の対象機器に関してしか操作が有効とされない特定操作ボタンβが操作されたとしても、その特定操作ボタンβの操作を無にせずに、特定操作ボタンβに関連する特定種類の対象機器の動作内容を選択する機能に各操作ボタンα1 〜αn を設定することが可能となる。
【００４１】
さらに、請求項７に記載した本発明の多機能スイッチ装置によれば、請求項１、２、３、４、５又は６に記載した本発明の多機能スイッチ装置において、複数の操作ボタンα1 〜αn のうち少なくとも１つの操作ボタンを除いて構成される第１ボタン領域の操作ボタンには、初期階層表示実行手段３１Ａにより初期階層表示画像が表示手段１５ｊに表示されている間と、次階層表示実行手段３１Ｃにより次階層表示画像が表示手段１５ｊに表示されている間との少なくとも一方において、第１ボタン領域を構成する操作ボタンの機能を表すスイッチ機能表示像の像光が背後から照射されて、このスイッチ機能表示像が正面側から視認できるように結像される。
【００４２】
これに対し、第１ボタン領域を除く第２ボタン領域を構成する少なくとも１つの操作ボタンには、初期階層表示実行手段３１Ａにより初期階層表示画像が表示手段１５ｊに表示されている間と、次階層表示実行手段３１Ｃにより次階層表示画像が表示手段１５ｊに表示されている間との少なくとも一方において、第１ボタン領域を構成する操作ボタンの機能に関連する付加情報表示像の像光が背後から照射されて、この付加情報表示像が正面側から視認できるように結像される。
【００４３】
このため、初期階層表示実行手段３１Ａが表示手段１５ｊにスイッチ機能表示像と付加情報表示像とを同時に表示させるものとすると、初期階層表示実行手段３１Ａにより初期階層表示画像が表示手段１５ｊに表示されている間には、対象機器の種類を指定するための対象機器指定機能表示像が、第１ボタン領域を構成する操作ボタンに正面側から視認できるように結像されると同時に、第１ボタン領域を構成する操作ボタンの対象機器指定機能に関連する付加情報表示像が、第２ボタン領域を構成する操作ボタンに正面側から視認できるように結像されることになる。
【００４４】
一方、次階層表示実行手段３１Ｃが表示手段１５ｊにスイッチ機能表示像と付加情報表示像とを同時に表示させるものとすると、次階層表示実行手段３１Ｃにより次階層表示画像が表示手段１５ｊに表示されている間には、表示像特定手段３１Ｂが特定した対象機器指定機能表示像に対応する種類の対象機器の動作内容を選択するための特定対象機器機能表示像が、第１ボタン領域を構成する操作ボタンに正面側から視認できるように結像されると同時に、第１ボタン領域を構成する操作ボタンの特定対象機器の動作内容選択機能に関連する付加情報表示像が、第２ボタン領域を構成する操作ボタンに正面側から視認できるように結像されることになる。
【００４５】
したがって、初期階層表示実行手段３１Ａと次階層表示実行手段３１Ｃとのいずれが表示手段１５ｊにスイッチ機能表示像と付加情報表示像とを同時に表示させるとしても、機能選択に必要な数の操作ボタンα1 〜αn にスイッチ機能表示像を正面側から視認できるように結像させると共に、機能選択に必要のない残りの操作ボタンα1 〜αn に付加情報表示像を正面側から視認できるように結像させて、必要な数の操作ボタンα1 〜αn を機能選択用として確保しつつ、それら機能選択用の操作ボタンα1 〜αn に関連する付加情報を、限られたスペースの中で、たまたま余剰となった操作ボタンα1 〜αn のスペースを利用して表示させることが可能となる。
【００４６】
また、請求項８に記載した本発明の多機能スイッチ装置によれば、請求項１、２、３、４、５、６又は７に記載した本発明の多機能スイッチ装置において、対応する特定対象機器機能表示像が存在する対象機器指定機能表示像には、その対応する特定対象機器機能表示像の存在を予告する次階層予告表示像が含まれ、この次階層予告表示像が、対象機器指定機能表示像の一部として操作ボタンα1 〜αn に正面側から視認できるように結像されることになる。
【００４７】
したがって、初期階層表示画像が表示手段１５ｊに表示されている状態において、目的の対象機器の動作内容を選択する際に、その対象機器の対象機器指定機能表示像が正面側から視認される操作ボタンα1 〜αn に、次階層予告表示像が結像されていてその次階層予告表示像が正面側から視認されるか否かによって、とりあえずその対象機器指定機能表示像が正面側から視認される操作ボタンα1 〜αn を操作しておいて、その次に操作ボタンα1 〜αn に結像される特定対象機器機能表示像を正面側から視認して動作内容の選択を行えばよいのかどうかを、事前に判断させることが可能となる。
【００４８】
さらに、請求項９に記載した本発明の多機能スイッチ装置によれば、対象機器Ａの動作に関連する設定の変更指示を設定変更指示部Ｅにより行うと、その設定に関連する対象機器Ａの動作内容の選択肢が操作ボタンδ1 〜δn の操作面上において視認されるように、表示変更手段３３Ａによって表示手段１５ｊ，１５ｋの表示内容が変更される。
【００４９】
したがって、操作ボタンδ1 〜δn の操作により対象機器Ａの動作内容の選択指示を動作選択指示部Ｄで行わなくても、動作に関連する設定の変更を指示した対象機器Ａの動作内容の選択肢が操作ボタンδ1 〜δn の操作面上において視認され、その選択肢の選択に係る操作ボタンδ1 〜δn の操作を続けて実行できるようにすることが可能となる。
【００５０】
また、請求項１０に記載した本発明の多機能スイッチ装置によれば、請求項９に記載した本発明の多機能スイッチ装置において、動作選択指示部Ｄによる対象機器Ａの動作内容の選択指示を行う際に用いる操作ボタンδ1 〜δn を、対象機器Ａの動作に関連する設定の変更を指示する際にも用いることになる。
【００５１】
したがって、限られた操作ボタンδ1 〜δn を有効に利用して、操作ボタンδ1 〜δn の占有するスペースを削減しスイッチ装置の一層の多機能化を図ることが可能となる。
【００５２】
さらに、請求項１１に記載した本発明の多機能スイッチ装置によれば、請求項９に記載した本発明の多機能スイッチ装置において、動作選択指示部Ｄによる対象機器Ａの動作内容の選択指示を行う際に用いる操作ボタンδ1 〜δn と、操作ボタンδ1 〜δn とは別個の設定変更用操作ボタンλとのどちらによっても、対象機器Ａの動作に関連する設定の変更が指示できることになる。
【００５３】
したがって、操作ボタンδ1 〜δn の操作に応じて表示手段１５ｊ，１５ｋにより表示される、動作選択指示部Ｄにより選択可能な対象機器Ａの動作内容に応じて、操作ボタンδ1 〜δn と設定変更用操作ボタンλとのうち利用しやすいボタンを選択して操作することが可能となる。
【００５４】
また、請求項１２に記載した本発明の多機能スイッチ装置によれば、請求項９に記載した本発明の多機能スイッチ装置において、対象機器Ａの動作に関連する設定の変更を指示しても、その指示を確定させるために操作ボタンδ1 〜δn を操作しない限り、表示変更手段３３Ａによる表示手段１５ｊ，１５ｋの表示内容の変更が行われないことになる。
【００５５】
したがって、対象機器Ａの動作に関連する設定の変更の指示を誤ったとしても、その指示を確定させる前であれば表示変更手段３３Ａによる表示手段１５ｊ，１５ｋの表示内容の変更を実行させず、誤った変更指示の設定内容に関連した動作内容の選択肢が操作ボタンδ1 〜δn の操作面上に視認される状態に移行するのを防ぐことが可能となる。
【００５６】
さらに、請求項１３に記載した本発明の多機能スイッチ装置によれば、請求項９に記載した本発明の多機能スイッチ装置において、対象機器Ａの動作に関連する設定の変更を指示しても、その指示を確定させるために操作ボタンδ1 〜δn を操作するか、それとも、操作ボタンδ1 〜δn とは別個の設定変更用操作ボタンλを操作しない限り、表示変更手段３３Ａによる表示手段１５ｊ，１５ｋの表示内容の変更が行われないことになる。
【００５７】
したがって、対象機器Ａの動作に関連する設定の変更の指示を誤ったとしても、その指示を確定させる前か、設定変更用操作ボタンλを操作する前であれば、表示変更手段３３Ａによる表示手段１５ｊ，１５ｋの表示内容の変更を実行させず、誤った変更指示の設定内容に関連した動作内容の選択肢が操作ボタンδ1 〜δn の操作面上に視認される状態に移行するのを防ぐことが可能となり、その一方で、操作ボタンδ1 〜δn の操作に応じて表示手段１５ｊ，１５ｋにより表示される、動作選択指示部Ｄにより選択可能な対象機器Ａの動作内容に応じて、操作ボタンδ1 〜δn と設定変更用操作ボタンλとのうち利用しやすいボタンを選択して操作することが可能となる。
【００５８】
また、請求項１４に記載した本発明の多機能スイッチ装置によれば、請求項９、１０、１１、１２又は１３に記載した本発明の多機能スイッチ装置において、設定変更指示部Ｅによって行われる対象機器Ａの動作に関連する設定の変更指示内容が、少なくとも一部の操作ボタンδ1 〜δn の操作面上において視認されることになる。
【００５９】
したがって、少なくとも一部の操作ボタンδ1 〜δn の操作面を視認することで、設定変更指示部Ｅによって変更指示された対象機器Ａの動作に関連する現在の設定内容を確認することが可能となる。
【００６１】
【発明の実施の形態】
以下、本発明による多機能スイッチ装置の実施形態を図面を参照して説明する。
【００６２】
まず、本発明の実施形態に係る多機能スイッチ装置（以下、「スイッチ装置」と略記する）を説明するのに先立って、本発明のスイッチ装置が適用される対象の一例を、図３を参照して説明する。
【００６３】
図３は本発明のスイッチ装置が適用可能なセンターコンソールを含む自動車のダッシュボード回りの要部斜視図であり、図３中引用符号１はダッシュボード、３はインストルメントパネルを各々示し、このインストルメントパネル３の車幅方向略中央部にセンターコンソール５が配置されている。
【００６４】
前記センターコンソール５には、カーナビゲーション用の画面７やエアコン吹出口９とアシュトレイ１１とに上下を挟まれて、本発明の第１実施形態に係るスイッチ装置を構成するコンビネーションパネル１３や、本発明の第２実施形態に係るスイッチ装置を構成するコンビネーションパネル１３Ａ、本発明の第３実施形態に係るスイッチ装置を構成するコンビネーションパネル１３Ｂが組み込まれている。
【００６５】
次に、本発明の第１実施形態に係るスイッチ装置の具体的構成について説明する。
【００６６】
図４は本発明の第１実施形態に係るスイッチ装置の要部正面図であり、図４に示すように、第１実施形態のコンビネーションパネル１３は、マルチスイッチ部１５、後述するＣＤプレーヤ（図２４参照）のＣＤスロット１７及びイジェクトボタン１９、後述するＭＤ（ミニディスク）プレーヤ（図２４参照）のＭＤスロット２１及びイジェクトボタン２３、並びに、オーディオ用のボリュームツマミ２５や後述するエアコン（図２４参照）用の温度設定ツマミ２７を有しており、このコンビネーションパネル１３の各部の操作内容は、図３中引用符号２９で示すセンターディスプレイの画面上に表示される。
【００６７】
前記マルチスイッチ部１５は、図４に示すように、４×上下２列の合計８つの操作ボタン１５ａ〜１５ｈを有しており、各操作ボタン１５ａ〜１５ｈは、図４中想像線で示すように、マルチスイッチ部１５の背後に配置された液晶ディスプレイ１５ｊによる表示像の像光が直接背後から照射された際に、各操作ボタン１５ａ〜１５ｈの背面に各々結像された表示像部分を正面側から視認できるように、透光性を有する部材により形成されている。
【００６８】
尚、液晶ディスプレイ１５ｊは、マルチスイッチ部１５の背後に配置されたものに限らず、例えば、センターコンソール５内の任意の箇所に配置されたものであってもよく、その場合には、液晶ディスプレイ１５ｊによる表示像の像光を、導光手段（図示せず）を用いて各操作ボタン１５ａ〜１５ｈの背後に導けばよいことになる。
【００６９】
また、マルチスイッチ部１５の背後には、図４中想像線で示すように、各操作ボタン１５ａ〜１５ｈの押圧操作を検出するリミットスイッチ１６ａ〜１６ｈが、液晶ディスプレイ１５ｊからの像光と緩衝しないように配置されている。
【００７０】
そして、液晶ディスプレイ１５ｊにおいては、図４に示すデフォルトモード表示の他、図５乃至図９に説明図で各々示すモード表示による表示像を、マルチスイッチ部１５の各操作ボタン１５ａ〜１５ｈに、それらの正面側から視認可能に結像させるための、各種モード画面の表示が、後述する多重バスラインを介して収集された機器及び機能認識情報を基にして行われる。
【００７１】
このうち、図４のデフォルトモード表示では、上段の４つの操作ボタン１５ａ〜１５ｄに、「ＡＭ」、「ＦＭ」、「ＣＤ」、並びに、「ＭＤ」という選択対象の各機器を示す文字が各々視認され、下段の右から２番目の操作ボタン１５ｇに、「エアコンディショナ」という選択対象の各機器を示すシンボルマークが視認されると共に、下段の左側２つと一番右側との３つの操作ボタン１５ｅ，１５ｆ，１５ｈに、「デフォッガ」、「熱線リアウィンドヒータ」、及び、「交通情報」という各機能を示すシンボルマークが各々視認されるように、液晶ディスプレイ１５ｊによるデフォルトモード画面の表示が行われる。
【００７２】
尚、マルチスイッチ部１５におけるデフォルトモード表示の際の、液晶ディスプレイ１５ｊによるデフォルトモード画面の表示は、下段の左側２つと一番右側との３つの操作ボタン１５ｅ，１５ｆ，１５ｈにおいて、ＯＮされている機能を示すシンボルマークが網掛反転表示として視認され、ＯＦＦされている機能を示すシンボルマークが白地の通常表示として視認されるように行われる。
【００７３】
また、マルチスイッチ部１５におけるデフォルトモード表示においては、上段の４つの操作ボタン１５ａ〜１５ｄと下段の右から２番目の操作ボタン１５ｇには、「ＡＭ」、「ＦＭ」、「ＣＤ」、並びに、「ＭＤ」という文字や、「エアコンディショナ」を示すシンボルマークに加えて、次階層の表示がある旨を示す「▲」や「▼」のシンボルマークが各々視認されるように、液晶ディスプレイ１５ｊによるデフォルトモード画面の表示が行われる。
【００７４】
次に、図５に示すのはＡＭラジオモード表示であり、このＡＭラジオモード表示では、上段の４つの操作ボタン１５ａ〜１５ｄに、プリセットされたＡＭ放送局の局名を示す文字が各々視認されると共に、下段の左側２つの操作ボタン１５ｅ，１５ｆに、「ＡＵＤＩＯ  ＣＯＮＴ．（オーディオコントロール）」及び「ＡＵＴＯ  ＰＲＥＳＥＴ（オートプリセット）」という各機能を示す文字が各々視認されるように、液晶ディスプレイ１５ｊによるＡＭラジオモード画面の表示が行われる。
【００７５】
これに加えて、マルチスイッチ部１５におけるＡＭラジオモード表示では、下段の右側２つの操作ボタン１５ｇ，１５ｈに、「受信周波数ＤＯＷＮ」及び「受信周波数ＵＰ」という各機能を示すシンボルマークが各々視認されるように、液晶ディスプレイ１５ｊによるＡＭラジオモード画面の表示が行われる。
【００７６】
尚、マルチスイッチ部１５におけるＡＭラジオモード表示の際の、液晶ディスプレイ１５ｊによるＡＭラジオモード画面の表示は、上段の４つの操作ボタン１５ａ〜１５ｄにおいて、選局されたＡＭ放送局の局名を示す文字が網掛反転表示として視認され、選局されていないＡＭ放送局の局名を示す文字が白地の通常表示として視認されるように行われる。
【００７７】
さらに、図６に示すのはＣＤモード表示であり、このＣＤモード表示では、上段の左側２つの操作ボタン１５ａ，１５ｂに、ＣＤチェンジャで選択するＣＤの番号を指定する「選択ＤＩＳＫ番号ＤＯＷＮ」及び「選択ＤＩＳＫ番号ＵＰ」という各機能を示すシンボルマークと選択ＤＩＳＫ番号の文字とが各々視認されると共に、下段の右側２つの操作ボタン１５ｇ，１５ｈに、「再生トラックＤＯＷＮ」及び「再生トラックＵＰ」という各機能を示すシンボルマークと選択トラック番号の文字とが各々視認されるように、液晶ディスプレイ１５ｊによるＣＤモード画面の表示が行われる。
【００７８】
これに加えて、マルチスイッチ部１５におけるＣＤモード表示では、上段の右側２つの操作ボタン１５ｃ，１５ｄに、「ＲＰＴ（リピート再生）」及び「ＲＡＮＤ（ランダム再生）」という各機能を示す文字が各々視認され、かつ、下段の左側２つの操作ボタン１５ｅ，１５ｆに、「オーディオコントロール」及び「ＳＣＡＮ（曲頭スキャン再生）」という選択対象の各機能を示す文字が各々視認されるように、液晶ディスプレイ１５ｊによるＣＤモード画面の表示が行われる。
【００７９】
但し、ＣＤスロット１７からＣＤが１枚も挿入されていない状態では、液晶ディスプレイ１５ｊにより表示されるＣＤモード画面上から選択ＤＩＳＫ番号や選択トラック番号の文字が省略され、これに伴って、上述した上段の左から２番目の操作ボタン１５ｂや下段の一番右側の操作ボタン１５ｈには、選択ＤＩＳＫ番号や選択トラック番号の文字は視認されないことになる。
【００８０】
また、図７に示すのはＭＤモード表示であり、このＭＤモード表示では、上段の一番左側と右側２つの３つの操作ボタン１５ａ，１５ｃ，１５ｄに、「ＤＩＳＰ（曲データ表示）」、「ＲＰＴ」、及び、「ＲＡＮＤ」という各機能を示す文字が各々視認されると共に、下段の左側２つの操作ボタン１５ｅ，１５ｆに、「ＡＵＤＩＯ  ＣＯＮＴ．」及び「ＡＵＴＯ  ＰＲＥＳＥＴ」という各機能を示す文字が各々視認されるように、液晶ディスプレイ１５ｊによるＭＤモード画面の表示が行われる。
【００８１】
これに加えて、マルチスイッチ部１５におけるＭＤモード表示では、下段の右側２つの操作ボタン１５ｇ，１５ｈに、「再生トラックＤＯＷＮ」及び「再生トラックＵＰ」という各機能を示すシンボルマークと選択トラック番号の文字とが各々視認されるように、液晶ディスプレイ１５ｊによるＭＤモード画面の表示が行われる。
【００８２】
但し、ＭＤスロット２１からＭＤが挿入されていない状態では、液晶ディスプレイ１５ｊにより表示されるＭＤモード画面上から選択トラック番号の文字が省略され、これに伴って、上述した下段の一番右側の操作ボタン１５ｈには、選択トラック番号の文字は視認されないことになる。
【００８３】
尚、マルチスイッチ部１５におけるＭＤモード表示では、上段の左から２番目の操作ボタン１５ｂに何の文字やシンボルマークも視認されないように、液晶ディスプレイ１５ｊによるＭＤモード画面の表示が行われる。
【００８４】
また、マルチスイッチ部１５におけるＣＤモード表示やＭＤモード表示の際の、液晶ディスプレイ１５ｊによるＣＤモード画面やＭＤモード画面の表示は、上段の右側２つの操作ボタン１５ｃ，１５ｄにおいて、ＯＮされている機能を示すシンボルマークが網掛反転表示として視認され、ＯＮされていない機能を示すシンボルマークが白地の通常表示として視認されるように行われる。
【００８５】
そして、マルチスイッチ部１５におけるＡＭラジオモード表示やＣＤモード表示、及び、ＭＤモード表示においては、下段の一番左側の操作ボタン１５ｅに、「ＡＵＤＩＯ  ＣＯＮＴ．」という文字に加えて、次階層の表示がある旨を示す「▼」のシンボルマークが視認されるように、液晶ディスプレイ１５ｊによるＡＭラジオモード画面やＣＤモード画面、及び、ＭＤモード画面の表示が行われる。
【００８６】
さらに、図８に示すのはオーディオコントロールモード表示であり、このオーディオコントロールモード表示では、上段の４つの操作ボタン１５ａ〜１５ｄに、「ＲＥＡＲ（後部側）」、「ＦＲＯＮＴ（前部側）」、「ＬＥＦＴ（左側）」、「ＲＩＧＨＴ（右側）」という音量バランス機能を示す文字が各々視認されるように、液晶ディスプレイ１５ｊによるオーディオコントロールモード画面の表示が行われる。
【００８７】
これに加えて、マルチスイッチ部１５におけるオーディオコントロールモード表示では、下段の左右両端の操作ボタン１５ｅ，１５ｈに、「ＢＡＳＳ弱」及び「ＴＲＥＢＬＥ強」という音質バランス機能を示すシンボルマークと文字とが視認され、下段の残る２つの操作ボタン１５ｆ，１５ｇに、「ＢＡＳＳ強」及び「ＴＲＥＢＬＥ弱」という音質バランス機能を示すシンボルマークが各々視認されるように、液晶ディスプレイ１５ｊによるオーディオコントロールモード画面の表示が行われる。
【００８８】
また、図９に示すのはエアコンモード表示であり、このエアコン表示モードでは、上段の一番左側の操作ボタン１５ａに、「ＯＦＦ」という状態を示す文字が視認されると共に、上段の中央２つの操作ボタン１５ｂ，１５ｃに、「Ａ／Ｃ（マニュアル）」及び「ＡＵＴＯ」という各機能を示す文字が各々視認されるように、液晶ディスプレイ１５ｊによるエアコンモード画面の表示が行われる。
【００８９】
これに加えて、マルチスイッチ部１５におけるエアコンモード表示では、上段の一番右側の操作ボタン１５ｄと下段の４つの操作ボタン１５ｅ〜１５ｈに、「エア循環モード」、「デフォッガ」、「熱線リアウィンドヒータ」、「送風モード」、並びに、「送風レベル」の各機能を示すシンボルマークが各々視認されるように、液晶ディスプレイ１５ｊによるエアコンモード画面の表示が行われる。
【００９０】
尚、マルチスイッチ部１５におけるエアコンモード表示の際の、液晶ディスプレイ１５ｊによるエアコンモード画面の表示は、上段の中央２つの操作ボタン１５ｂ，１５ｃや下段の左側２つの操作ボタン１５ｅ，１５ｆにおいて、ＯＮされている機能を示すシンボルマークが網掛反転表示として視認され、ＯＮされていない機能を示すシンボルマークが白地の通常表示として視認されるように行われる。
【００９１】
また、マルチスイッチ部１５におけるエアコンモード表示の際の、液晶ディスプレイ１５ｊによるエアコンモード画面の表示は、上段の一番左側の操作ボタン１５ａにおける「ＯＦＦ」という状態を示す文字が、「Ａ／Ｃ」及び「ＡＵＴＯ」の両機能ともＯＦＦされている場合に、網掛反転表示として視認され、「Ａ／Ｃ」及び「ＡＵＴＯ」の両機能のうちいずれか一方の機能がＯＮされている場合に、白地の通常表示として視認されるように行われる。
【００９２】
さらに、マルチスイッチ部１５におけるエアコンモード表示の際の、液晶ディスプレイ１５ｊによるエアコンモード画面の表示は、「エア循環モード」の設定が変わる度に、上段の一番右側の操作ボタン１５ｄにおいて視認される、「エア循環モード」の機能を示すシンボルマークが、図１０に説明図で示すように、「循環」の機能を示すシンボルマークと「換気」の機能を示すシンボルマークとの間で交互に変化するように行われる。
【００９３】
また、マルチスイッチ部１５におけるエアコンモード表示の際の、液晶ディスプレイ１５ｊによるエアコンモード画面の表示は、「送風モード」の設定が変わる度に、下段の右から２番目の操作ボタン１５ｇにおいて視認される、「送風モード」の機能を示すシンボルマークが、図１１に説明図で示すように、「送風なし」、「頭部のみ」、「頭部及び足部」、「足部のみ」、「足部のみ（デフォッガ込み）」、並びに、「頭部及び足部（デフォッガ込み）」という６つのパターンに、図１１中の矢印の順序で変化するように行われる。
【００９４】
さらに、マルチスイッチ部１５におけるエアコンモード表示の際の、液晶ディスプレイ１５ｊによるエアコンモード画面の表示は、「送風レベル」の設定が変わる度に、下段の一番右側の操作ボタン１５ｈにおいて視認される、「送風レベル」の機能を示すシンボルマークが、図１２に説明図で示すように、「送風量＝０」から「送風量＝５（最大）」までの６段階に、図１２中の矢印の順序で変化するように行われる。
【００９５】
また、図面を用いた詳細な説明は省略するものの、マルチスイッチ部１５においては、上述した各モードの表示の他にＦＭラジオモード表示がさらに行われ、このＦＭラジオモード表示では、上段の４つの操作ボタン１５ａ〜１５ｄに各々視認される文字が、プリセットされたＦＭ放送局の局名を示す文字である点を除いて、図５に示すＡＭラジオモード表示と略同様の表示が各操作ボタン１５ａ〜１５ｈに各々視認されるように、液晶ディスプレイ１５ｊによるＦＭラジオモード画面の表示が行われる。
【００９６】
前記センターディスプレイ２９は、前記マルチスイッチ部１５と共に本発明の第１実施形態に係るスイッチ装置を構成するもので、例えば液晶ディスプレイ等で構成されており、運転席や助手席からその画面表示を視認できるように、図３に示すように、ダッシュボード１の車幅方向略中央部に配置されている。
【００９７】
そして、センターディスプレイ２９においては、マルチスイッチ部１５の各操作ボタン１５ａ〜１５ｈの押圧操作により選択された機器や、設定された機能に関する情報を表示するために、液晶ディスプレイ１５ｊに表示されているモード画面や、各操作ボタン１５ａ〜１５ｈの操作に合わせて、図１３乃至図２３に説明図で各々示す状態案内画面の表示が行われる。
【００９８】
このうち、図１３のデフォルトモード案内画面では、現在の車内温度と、「ＡＭ」、「ＦＭ」、「ＣＤ」、並びに、「ＭＤ」のうち現在ＯＮされている機器を示す文字、そして、現在時刻がセンターディスプレイ２９に各々表示される。
【００９９】
また、図１４のＡＭラジオモード案内画面では、図１３のデフォルトモード案内画面における表示内容において、現在ＯＮされている機器を示す文字表示が当然「ＡＭ」となるのに加えて、現在選局されている放送局とその受信周波数を示す文字がセンターディスプレイ２９に各々表示される。
【０１００】
尚、オーディオコントロール動作の実行中には、図１５に示すように、現在選局されている放送局とその受信周波数を示す文字に代えて、調整中の音量バランスや音質バランスの内容とその調整状態とを示すシンボルマークがセンターディスプレイ２９に表示され、オートプリセット動作の実行中には、図示は省略するものの、現在選局されている放送局とその受信周波数を示す文字に代えて、「ＡＵＴＯ  ＰＲＥＳＥＴ」の文字がセンターディスプレイ２９に表示される。
【０１０１】
さらに、図１６のＣＤモード案内画面では、図１３のデフォルトモード案内画面における表示内容において、現在ＯＮされている機器を示す文字表示が当然「ＣＤ」となるのに加えて、現在再生されているＤＩＳＫ番号やトラック番号と再生時間を示す文字がセンターディスプレイ２９に各々表示され、さらに、リピート再生やランダム再生、曲頭スキャン再生の各機能が選択されている場合は、その選択されている機能を示す文字が合わせてセンターディスプレイ２９に表示される。
【０１０２】
但し、ＣＤスロット１７からＣＤが１枚も挿入されていない状態では、センターディスプレイ２９のＣＤモード案内画面上から、ＤＩＳＫ番号やトラック番号の文字の表示、並びに、リピート再生やランダム再生、曲頭スキャン再生といった、現在選択されている機能の文字の表示がいずれも省略される。
【０１０３】
尚、オーディオコントロール動作の実行中には、ＡＭラジオモード案内画面の場合と同じく、現在再生されているＤＩＳＫ番号やトラック番号と再生時間を示す文字、及び、現在選択されている機能を示す文字に代えて、調整中の音量バランスや音質バランスの内容とその調整状態とを示すシンボルマークがセンターディスプレイ２９に表示される。
【０１０４】
また、図１７のＭＤモード案内画面では、図１３のデフォルトモード案内画面における表示内容において、現在ＯＮされている機器を示す文字表示が当然「ＭＤ」となるのに加えて、現在再生されているトラック番号と再生時間を示す文字がセンターディスプレイ２９に各々表示され、さらに、リピート再生やランダム再生、曲頭スキャン再生の各機能が選択されている場合は、その選択されている機能を示す文字が合わせてセンターディスプレイ２９に表示される。
【０１０５】
但し、ＭＤスロット２１からＭＤが挿入されていない状態では、センターディスプレイ２９のＭＤモード案内画面上から、選択トラック番号の文字の表示、並びに、リピート再生やランダム再生、曲頭スキャン再生といった、現在選択されている機能の文字の表示がいずれも省略される。
【０１０６】
尚、オーディオコントロール動作の実行中には、ＡＭラジオモード案内画面やＣＤモード案内画面の場合と同じく、現在再生されているトラック番号と再生時間を示す文字、及び、現在選択されている機能を示す文字に代えて、調整中の音量バランスや音質バランスの内容とその調整状態とを示すシンボルマークがセンターディスプレイ２９に表示される。
【０１０７】
また、曲データ表示動作の実行中には、図１８に示すように、現在再生されているＭＤに記録されているＤＩＳＫタイトルや曲名のみが強調してセンターディスプレイ２９に表示される。
【０１０８】
さらに、図１９のエアコンモード案内画面では、現在の車内温度、現在の車外温度、及び、現在設定されている目標温度を示す文字がセンターディスプレイ２９に各々表示されると共に、現在設定されている送風モードと送風レベルを示すシンボルマークがセンターディスプレイ２９に各々表示される。
【０１０９】
尚、目標温度の設定が変更された場合は、図２０に示すように、変更された目標温度を示す文字のみが強調してセンターディスプレイ２９に表示され、また、送風モードや送風レベルの設定が変更された場合は、図２１に示すように、変更された送風モードを示すシンボルマークのみ、或は、図２２に示すように、変更された送風レベルを示すシンボルマークのみが強調してセンターディスプレイ２９に表示される。
【０１１０】
また、エア循環モードの設定が変更された場合は、図示は省略するものの、「循環」を示すシンボルマークと「外気」を示すシンボルマークとのうち、変更後の設定を示すシンボルマークのみが強調してセンターディスプレイ２９に表示される。
【０１１１】
ここで、センターディスプレイ２９に強調して表示される送風モードのシンボルマークが変化する順序は、図１１中に矢印で示す順序と同じであり、同様に、センターディスプレイ２９に強調して表示される送風レベルのシンボルマークが変化する順序は、図１２中に矢印で示す順序と同じである。
【０１１２】
また、エアコンがＯＮ状態からＯＦＦ状態に変更された場合は、図１３のデフォルトモード案内画面、図１４のＡＭラジオモード案内画面、図１５のオーディオコントロール動作の実行中における表示画面、図１６のＣＤモード案内画面、図１７のＭＤモード案内画面、図１９のエアコンモード案内画面、並びに、不図示のオートプリセット動作の実行中における表示画面から、現在設定されている目標温度を示す文字が省略される。
【０１１３】
さらに、図１３のデフォルトモード案内画面及び図１９のエアコンモード案内画面の表示中に、デフォッガのＯＮ／ＯＦＦ状態が変更された場合は、図２３に示すように、デフォッガを示すシンボルマークと変更後の機能状態を示す文字のみが強調してセンターディスプレイ２９に表示され、熱線リアウィンドヒータや交通情報のＯＮ／ＯＦＦ状態が変更された場合も、図示は省略するものの、熱線リアウィンドヒータや交通情報を示すシンボルマークと変更後の機能状態を示す文字のみが強調してセンターディスプレイ２９に表示される。
【０１１４】
尚、図２３ではＯＮからＯＦＦに状態が変わった場合について示しており、ＯＦＦからＯＮに状態が変わった場合は、図２３中の「ＯＦＦ」の文字に代えて「ＯＮ」の文字が表示される。
【０１１５】
さらに、図面を用いた詳細な説明は省略するものの、センターディスプレイ２９においては、上述した各案内画面の表示の他にＦＭラジオモード案内画面がさらに表示され、このＦＭラジオモード案内画面では、現在ＯＮされている機器を示す文字表示が当然「ＦＭ」となるのに加えて、現在選局されている放送局とその受信周波数を示す文字がセンターディスプレイ２９に各々表示される。
【０１１６】
尚、ＦＭラジオモード案内画面の表示中におけるオーディオコントロール動作やオートプリセット動作の実行中のセンターディスプレイ２９の表示は、先に説明した、ＡＭラジオモード案内画面の表示中におけるオーディオコントロール動作やオートプリセット動作の実行中のセンターディスプレイ２９の表示と同様である。
【０１１７】
前記ボリュームツマミ２５は、後述するチューナ（図２４参照）で受信されるＡＭ放送（交通情報を含む）又はＦＭ放送の音量や、前記不図示のＣＤプレーヤ及びＭＤプレーヤによる再生音の音量を設定するためのものであり、一方、温度設定ツマミ２７は、前記不図示のエアコンによる車内の空調の温度を設定するためのものであり、いずれも、回転操作により設定音量や設定温度が変更されるように構成されている。
【０１１８】
次に、第１実施形態に係るスイッチ装置の電気的な概略構成を、具体的に説明する。
【０１１９】
図２４はセンターコンソール５を始めとする、自動車内に搭載される、特に、車内設備に関連する電装品により構成される多重通信システムの概略構成を示すブロック図であり、図２４中引用符号３０で示す本実施形態のスイッチ装置は、ＣＤプレーヤ４０、ＭＤプレーヤ５０、チューナ６０、並びに、エアコン７０等と共に、多重バスラインＢＬを用いて通信を行う多重通信システムを構成している。
【０１２０】
そして、第１実施形態のスイッチ装置３０は、図２５に電気的な概略構成のブロック図で示すように、上述した液晶ディスプレイ１５ｊやセンターディスプレイ２９の表示を制御するマイクロコンピュータ（以下、「マイコン」と略記する）３１を有している。
【０１２１】
前記マイコン３１は、ＣＰＵ３１ａと、ＲＡＭ３１ｂと、ＲＯＭ３１ｃとで構成されており、このうち、ＣＰＵ３１ａには、ＣＤプレーヤ４０、ＭＤプレーヤ５０、チューナ６０、並びに、エアコン７０が多重バスラインＢＬを介して各々接続されていると共に、リミットスイッチ１６ａ〜１６ｈ、液晶ディスプレイ１５ｊ、ボリュームツマミ２５の回転操作に応じて出力が変化するボリュームスイッチ２５ａ、温度設定ツマミ２７の回転操作に応じて出力が変化する温度設定スイッチ２７ａ、並びに、センターディスプレイ２９が各々接続されている。
【０１２２】
また、前記ＲＡＭ３１ｂには、データエリア及び各種処理作業に用いるワークエリアが設けられていて、このうちワークエリアには、各種フラグやバッファのために用いるエリア等が設けられており、前記ＲＯＭ３１ｃには、ＣＰＵ３１ａに各種処理動作を行わせるための制御プログラムが格納されている。
【０１２３】
次に、前記ＲＯＭ３１ｃに格納された制御プログラムに従いＣＰＵ３１ａが行う処理を、図２６乃至図３８のフローチャートを参照して説明する。
【０１２４】
不図示のアクセサリスイッチのＯＮにより、自動車に搭載された不図示のバッテリ等からの給電を受けてマイコン３１が起動しプログラムがスタートすると、ＣＰＵ３１ａは、図２６に示すように、まず、ＲＡＭ３１ｂの各種フラグエリアのフラグを「０」に設定する等の初期設定を行う（ステップＳ１）。
【０１２５】
ステップＳ１の初期設定が済んだならば、次に、多重バスラインＢＬを介して多重通信システムを構成する各ノードとの間で通信を行って、ＣＤプレーヤ４０、ＭＤプレーヤ５０、チューナ６０、並びに、エアコン７０からの機器及び機能認識情報を収集する確認処理を行い（ステップＳ３）、収集した機器及び機能認識情報を基に、液晶ディスプレイ１５ｊに表示させる各モード画面の内容を決定する（ステップＳ５）。
【０１２６】
続いて、液晶ディスプレイ１５ｊにデフォルトモード画面を表示させると共にセンターディスプレイ２９にデフォルトモード案内画面を表示させるデフォルト処理を行い（ステップＳ７）、リミットスイッチ１６ａ〜１６ｈの出力を基に、各操作ボタン１５ａ〜１５ｈが操作されたか否かを確認する（ステップＳ９）。
【０１２７】
各操作ボタン１５ａ〜１５ｈがいずれも操作されていない場合は（ステップＳ９でＮ）、後述するステップＳ３３に進み、操作された場合は（ステップＳ９でＹ）、操作されたのがＡＭラジオの選択機能を割り当てた操作ボタン１５ａであるか否かを確認し（ステップＳ１１）、操作ボタン１５ａである場合は（ステップＳ１１でＹ）、ＲＡＭ３１ｂのＡＭフラグエリアのフラグＦ１を「１」に設定すると共に、ＲＡＭ３１ｂのＦＭフラグエリアのフラグＦ３、ＣＤフラグエリアのフラグＦ５、及び、ＭＤフラグエリアのフラグＦ７をいずれも「０」に設定した後（ステップＳ１３）、後述するステップＳ４９に進む。
【０１２８】
一方、ステップＳ１１において操作されたのが操作ボタン１５ａでない場合（Ｎ）は、操作されたのがＦＭラジオの選択機能を割り当てた操作ボタン１５ｂであるか否かを確認し（ステップＳ１５）、操作ボタン１５ｂである場合は（ステップＳ１５でＹ）、ＦＭフラグＦ３を「１」に設定すると共に、ＡＭフラグＦ１、ＣＤフラグＦ５、及び、ＭＤフラグＦ７をいずれも「０」に設定した後（ステップＳ１７）、後述するステップＳ８３に進み、操作されたのが操作ボタン１５ｂでない場合は（ステップＳ１５でＮ）、操作されたのがＣＤプレーヤ４０の選択機能を割り当てた操作ボタン１５ｃであるか否かを確認する（ステップＳ１９）。
【０１２９】
操作ボタン１５ｃである場合は（ステップＳ１９でＹ）、ＣＤフラグＦ５を「１」に設定すると共に、ＡＭフラグＦ１、ＦＭフラグＦ３、及び、ＭＤフラグＦ７をいずれも「０」に設定した後（ステップＳ２１）、後述するステップＳ１１７に進み、操作ボタン１５ｃでない場合は（ステップＳ１９でＮ）、操作されたのがＭＤプレーヤの選択機能を割り当てた操作ボタン１５ｄであるか否かを確認する（ステップＳ２３）。
【０１３０】
操作ボタン１５ｄである場合は（ステップＳ２３でＹ）、ＭＤフラグＦ７を「１」に設定すると共に、ＡＭフラグＦ１、ＦＭフラグＦ３、及び、ＣＤフラグＦ５をいずれも「０」に設定した後（ステップＳ２５）、後述するステップＳ１５９に進み、操作ボタン１５ｄでない場合は（ステップＳ２３でＮ）、図２７に示すように、操作されたのがデフォッガのＯＮ／ＯＦＦ切換機能を割り当てた操作ボタン１５ｅであるか否かを確認する（ステップＳ２７）。
【０１３１】
操作ボタン１５ｅでない場合は（ステップＳ２７でＮ）、後述するステップＳ３１に進み、操作ボタン１５ｅである場合は（ステップＳ２７でＹ）、液晶ディスプレイ１５ｊのデフォルトモード画面の表示内容を、操作ボタン１５ｅに結像される部分が網掛反転表示と白地の通常表示とのうち一方から他方に変わるように更新する（ステップＳ２８）。
【０１３２】
これと共に、センターディスプレイ２９のデフォルトモード案内画面の表示を、デフォッガを示すシンボルマーク及び切換後のデフォッガのＯＮ／ＯＦＦ状態を示す文字のみの強調表示に一定時間変更し（ステップＳ２９）、この一定時間の経過後に、センターディスプレイ２９の表示内容を元のデフォルトモード案内画面に戻した後（ステップＳ３０）、ステップＳ９にリターンする。
【０１３３】
ステップＳ２７において操作されたのが操作ボタン１５ｅでない場合（Ｎ）に進むステップＳ３１では、操作されたのが熱線リアウィンドヒータのＯＮ／ＯＦＦ切換機能を割り当てた操作ボタン１５ｆであるか否かを確認し、操作ボタン１５ｆでない場合は（ステップＳ３１でＮ）、後述するステップＳ３５に進む。
【０１３４】
一方、操作されたのが操作ボタン１５ｆである場合は（ステップＳ３１でＹ）、液晶ディスプレイ１５ｊのデフォルトモード画面の表示内容を、操作ボタン１５ｆに結像される部分が網掛反転表示と白地の通常表示とのうち一方から他方に変わるように更新する（ステップＳ３２）。
【０１３５】
これと共に、センターディスプレイ２９のデフォルトモード案内画面の表示を、熱線リアウィンドヒータを示すシンボルマーク及び切換後の熱線リアウィンドヒータのＯＮ／ＯＦＦ状態を示す文字のみの強調表示に一定時間変更し（ステップＳ３３）、この一定時間の経過後に、センターディスプレイ２９の表示内容を元のデフォルトモード案内画面に戻した後（ステップＳ３４）、ステップＳ９にリターンする。
【０１３６】
ステップＳ３１において操作されたのが操作ボタン１５ｆでない場合（Ｎ）に進むステップＳ３５では、操作されたのがエアコン７０の選択機能を割り当てた操作ボタン１５ｇであるか否かを確認し、操作ボタン１５ｇである場合は（ステップＳ３５でＹ）、後述するステップＳ２１３に進む。
【０１３７】
一方、操作されたのが操作ボタン１５ｇでない場合は（ステップＳ３５でＮ）、液晶ディスプレイ１５ｊのデフォルトモード画面の表示内容を、操作ボタン１５ｈに結像される部分が網掛反転表示と白地の通常表示とのうち一方から他方に変わるように更新する（ステップＳ３６）。
【０１３８】
これと共に、センターディスプレイ２９のデフォルトモード案内画面の表示を、交通情報を示すシンボルマーク及び切換後の交通情報のＯＮ／ＯＦＦ状態を示す文字のみの強調表示に一定時間変更し（ステップＳ３７）、この一定時間の経過後に、センターディスプレイ２９の表示内容を元のデフォルトモード案内画面に戻した後（ステップＳ３８）、ステップＳ９にリターンする。
【０１３９】
また、ステップＳ９において各操作ボタン１５ａ〜１５ｈがいずれも操作されていない場合（Ｎ）に進むステップＳ３９では、図２６に示すように、ボリュームスイッチ２５ａの出力を基にボリュームツマミ２５が回転操作されたか否かを確認し、回転操作された場合は（ステップＳ３９でＹ）、後述するステップＳ４３に進み、回転操作されていない場合は（ステップＳ３９でＮ）、温度設定スイッチ２７ａの出力を基に温度設定ツマミ２７が回転操作されたか否かを確認する（ステップＳ４１）。
【０１４０】
温度設定ツマミ２７が回転操作された場合は（ステップＳ４１でＹ）、後述するステップＳ２０５に進み、回転操作されていない場合は（ステップＳ３５でＮ）、ステップＳ９にリターンする。
【０１４１】
また、ステップＳ３９においてボリュームツマミ２５が回転操作された場合（Ｙ）に進むステップＳ４３では、図２８に示すように、ＡＭフラグＦ１が「０」であるか否かを確認し、「０」でない場合は（ステップＳ４３でＮ）、ステップＳ４９に進み、「０」である場合は（ステップＳ４３でＹ）、ＦＭフラグＦ３が「０」であるか否かを確認する（ステップＳ４５）。
【０１４２】
ＦＭフラグＦ３が「０」でない場合は（ステップＳ４５でＮ）、ステップＳ８３に進み、「０」である場合は（ステップＳ４５でＹ）、ＣＤフラグＦ５が「０」であるか否かを確認し（ステップＳ４７）、「０」でない場合は（ステップＳ４７でＮ）、ステップＳ１１７に進み、「０」である場合は（ステップＳ４７でＹ）、ステップＳ１５９に進む。
【０１４３】
ステップＳ１３においてＡＭフラグＦ１を「１」に設定すると共にＦＭフラグＦ３、ＣＤフラグＦ５、及び、ＭＤフラグＦ７をいずれも「０」に設定した後と、ステップＳ４３においてＡＭフラグＦ１が「０」でない場合（Ｎ）とに各々進むステップＳ４９では、図２９に示すように、液晶ディスプレイ１５ｊにＡＭラジオモード画面を表示させると共にセンターディスプレイ２９にＡＭラジオモード案内画面を表示させるＡＭラジオ表示処理を行う。
【０１４４】
続いて、ＲＡＭ３１ｂの第２階層表示タイマエリアにおけるタイムカウントを開始し（ステップＳ５１）、その後、リミットスイッチ１６ａ〜１６ｈの出力を基に、各操作ボタン１５ａ〜１５ｈが操作されたか否かを確認する（ステップＳ５３）。
【０１４５】
各操作ボタン１５ａ〜１５ｈがいずれも操作されていない場合は（ステップＳ５３でＮ）、後述するステップＳ７９に進み、操作された場合は（ステップＳ５３でＹ）、操作されたのがプリセットされた放送局の選局機能を割り当てた操作ボタン１５ａ〜１５ｄであるか否かを確認し（ステップＳ５５）、操作ボタン１５ａ〜１５ｄでない場合は（ステップＳ５５でＮ）、後述するステップＳ６１に進む。
【０１４６】
一方、操作されたのが操作ボタン１５ａ〜１５ｄである場合は（ステップＳ５５でＹ）、センターディスプレイ２９のＡＭラジオモード案内画面の表示内容を、操作された操作ボタン１５ａ〜１５ｄに対応する放送局の内容に応じて更新すると共に、操作された操作ボタン１５ａ〜１５ｄの部分のみが網掛反転表示として視認され他の部分が白地の通常表示として視認されるように、液晶ディスプレイ１５ｊのＡＭラジオモード画面の表示内容を更新し（ステップＳ５７）、第２階層表示タイマのタイマ値Ｔ１をゼロリセットした後（ステップＳ５９）、ステップＳ５３にリターンする。
【０１４７】
また、ステップＳ５５において操作されたのが操作ボタン１５ａ〜１５ｄでない場合（Ｎ）に進むステップＳ６１では、操作されたのがオーディオコントロール動作の選択機能を割り当てた操作ボタン１５ｅであるか否かを確認し、操作ボタン１５ｅである場合は（ステップＳ６１でＹ）、第２階層表示タイマによるタイムカウントを終了すると共にそのタイマ値Ｔ１をゼロリセットした後（ステップＳ６３）、後述するステップＳ２８５に進む。
【０１４８】
一方、操作されたのが操作ボタン１５ｅでない場合は（ステップＳ６１でＮ）、操作されたのがオートプリセット動作の選択機能を割り当てた操作ボタン１５ｆであるか否かを確認し（ステップＳ６５）、操作ボタン１５ｆでない場合は（ステップＳ６５でＮ）、後述するステップＳ７５に進む。
【０１４９】
これに対し、操作されたのが操作ボタン１５ｆである場合は（ステップＳ６５でＹ）、センターディスプレイ２９の表示内容を、ＡＭラジオモード案内画面から、現在選局されている放送局とその受信周波数を示す文字に代えて「ＡＵＴＯＰＲＥＳＥＴ」の文字を表示する画面に変更し（ステップＳ６７）、オートプリセット動作を実行すると共に（ステップＳ６９）、オートプリセット動作の終了後にセンターディスプレイ２９の表示内容を元のＡＭラジオモード案内画面に戻し（ステップＳ７１）、第２階層表示タイマのタイマ値Ｔ１をゼロリセットした後（ステップＳ７３）、ステップＳ５３にリターンする。
【０１５０】
また、ステップＳ６５において操作されたのが操作ボタン１５ｆでない場合（Ｎ）に進むステップＳ７５では、操作ボタン１５ｇ，１５ｈの操作に伴う受信周波数の変化に合わせて液晶ディスプレイ１５ｊのＡＭラジオモード画面の表示内容を変更し、次に、操作ボタン１５ｇ，１５ｈの操作終了後に第２階層表示タイマのタイマ値Ｔ１をゼロリセットした後（ステップＳ７７）、ステップＳ５３にリターンする。
【０１５１】
ステップＳ５３において各操作ボタン１５ａ〜１５ｈがいずれも操作されていない場合（Ｎ）に進むステップＳ７９では、第２階層表示タイマのタイマ値Ｔ１が所定のタイムアップ値Ｔ１MAX に達したか否かを確認し、達していない場合は（ステップＳ７３でＮ）、ステップＳ５３にリターンし、達した場合は（ステップＳ７３でＹ）、第２階層表示タイマによるタイムカウントを終了すると共にそのタイマ値Ｔ１をゼロリセットした後（ステップＳ８１）、ステップＳ７にリターンする。
【０１５２】
また、ステップＳ１７においてＦＭフラグＦ３を「１」に設定すると共にＡＭフラグＦ１、ＣＤフラグＦ５、及び、ＭＤフラグＦ７をいずれも「０」に設定した後と、ステップＳ４５においてＡＭフラグＦ１が「０」でない場合（Ｎ）とに各々進むステップＳ８３では、図３０に示すように、液晶ディスプレイ１５ｊにＦＭラジオモード画面を表示させると共にセンターディスプレイ２９にＦＭラジオモード案内画面を表示させるＦＭラジオ表示処理を行う。
【０１５３】
続いて、第２階層表示タイマエリアにおけるタイムカウントを開始し（ステップＳ８５）、その後、リミットスイッチ１６ａ〜１６ｈの出力を基に、各操作ボタン１５ａ〜１５ｈが操作されたか否かを確認する（ステップＳ８７）。
【０１５４】
各操作ボタン１５ａ〜１５ｈがいずれも操作されていない場合は（ステップＳ８７でＮ）、後述するステップＳ１１３に進み、操作された場合は（ステップＳ８７でＹ）、操作されたのがプリセットされた放送局の選局機能を割り当てた操作ボタン１５ａ〜１５ｄであるか否かを確認し（ステップＳ８９）、操作ボタン１５ａ〜１５ｄでない場合は（ステップＳ８９でＮ）、後述するステップＳ９５に進む。
【０１５５】
一方、操作されたのが操作ボタン１５ａ〜１５ｄである場合は（ステップＳ８９でＹ）、センターディスプレイ２９のＦＭラジオモード案内画面の表示内容を、操作された操作ボタン１５ａ〜１５ｄに対応する放送局の内容に応じて更新すると共に、操作された操作ボタン１５ａ〜１５ｄの部分のみが網掛反転表示として視認され他の部分が白地の通常表示として視認されるように、液晶ディスプレイ１５ｊのＦＭラジオモード画面の表示内容を更新し（ステップＳ９１）、第２階層表示タイマのタイマ値Ｔ１をゼロリセットした後（ステップＳ９３）、ステップＳ８７にリターンする。
【０１５６】
また、ステップＳ８９において操作されたのが操作ボタン１５ａ〜１５ｄでない場合（Ｎ）に進むステップＳ９５では、操作されたのがオーディオコントロール動作の選択機能を割り当てた操作ボタン１５ｅであるか否かを確認し、操作ボタン１５ｅである場合は（ステップＳ９５でＹ）、第２階層表示タイマによるタイムカウントを終了すると共にそのタイマ値Ｔ１をゼロリセットした後（ステップＳ９７）、後述するステップＳ２８５に進む。
【０１５７】
一方、操作されたのが操作ボタン１５ｅでない場合は（ステップＳ９５でＮ）、操作されたのがオートプリセット動作の選択機能を割り当てた操作ボタン１５ｆであるか否かを確認し（ステップＳ９９）、操作ボタン１５ｆでない場合は（ステップＳ９９でＮ）、後述するステップＳ１０９に進む。
【０１５８】
これに対し、操作されたのが操作ボタン１５ｆである場合は（ステップＳ９９でＹ）、センターディスプレイ２９の表示内容を、ＦＭラジオモード案内画面から、現在選局されている放送局とその受信周波数を示す文字に代えて「ＡＵＴＯＰＲＥＳＥＴ」の文字を表示する画面に変更し（ステップＳ１０１）、オートプリセット動作を実行すると共に（ステップＳ１０３）、オートプリセット動作の終了後にセンターディスプレイ２９の表示内容を元のＦＭラジオモード案内画面に戻し（ステップＳ１０５）、第２階層表示タイマのタイマ値Ｔ１をゼロリセットした後（ステップＳ１０７）、ステップＳ８７にリターンする。
【０１５９】
また、ステップＳ９９において操作されたのが操作ボタン１５ｆでない場合（Ｎ）に進むステップＳ１０９では、操作ボタン１５ｇ，１５ｈの操作に伴う受信周波数の変化に合わせて液晶ディスプレイ１５ｊのＡＭラジオモード画面の表示内容を変更し、次に、操作ボタン１５ｇ，１５ｈの操作終了後に第２階層表示タイマのタイマ値Ｔ１をゼロリセットした後（ステップＳ１１１）、ステップＳ８１にリターンする。
【０１６０】
ステップＳ８７において各操作ボタン１５ａ〜１５ｈがいずれも操作されていない場合（Ｎ）に進むステップＳ１１３では、第２階層表示タイマのタイマ値Ｔ１が所定のタイムアップ値Ｔ１MAX に達したか否かを確認し、達していない場合は（ステップＳ１１３でＮ）、ステップＳ８７にリターンし、達した場合は（ステップＳ１１３でＹ）、第２階層表示タイマによるタイムカウントを終了すると共にそのタイマ値Ｔ１をゼロリセットした後（ステップＳ１１５）、ステップＳ７にリターンする。
【０１６１】
また、ステップＳ２１においてＣＤフラグＦ５を「１」に設定すると共に、ＡＭフラグＦ１、ＦＭフラグＦ３、及び、ＭＤフラグＦ７をいずれも「０」に設定した後と、ステップＳ４７においてＣＤフラグＦ５が「０」でない場合（Ｎ）とに各々進むステップＳ１１７では、図３１に示すように、液晶ディスプレイ１５ｊにＣＤモード画面を表示させると共にセンターディスプレイ２９にＣＤモード案内画面を表示させるＣＤ表示処理を行う。
【０１６２】
続いて、第２階層表示タイマエリアにおけるタイムカウントを開始し（ステップＳ１１９）、その後、リミットスイッチ１６ａ〜１６ｈの出力を基に、各操作ボタン１５ａ〜１５ｈが操作されたか否かを確認する（ステップＳ１２１）。
【０１６３】
各操作ボタン１５ａ〜１５ｈがいずれも操作されていない場合は（ステップＳ１２１でＮ）、後述するステップＳ１４７に進み、操作された場合は（ステップＳ１２１でＹ）、操作されたのが再生するディスクの選択機能を割り当てた操作ボタン１５ａ，１５ｂであるか否かを確認し（ステップＳ１２３）、操作ボタン１５ａ，１５ｂでない場合は（ステップＳ１２３でＮ）、後述するステップＳ１２９に進む。
【０１６４】
一方、操作されたのが操作ボタン１５ａ，１５ｂである場合は（ステップＳ１２３でＹ）、液晶ディスプレイ１５ｊのＣＤモード画面の表示内容とセンターディスプレイ２９のＣＤモード案内画面の表示内容とを、操作された操作ボタン１５ａ，１５ｂに対応するＤＩＳＫ番号の変化に合わせて更新し（ステップＳ１２５）、第２階層表示タイマのタイマ値Ｔ１をゼロリセットした後（ステップＳ１２１）、ステップＳ１２１にリターンする。
【０１６５】
また、ステップＳ１２３において操作されたのが操作ボタン１５ａ，１５ｂでない場合（Ｎ）に進むステップＳ１２９では、操作されたのがリピート動作のＯＮ／ＯＦＦ切換機能を割り当てた操作ボタン１５ｃであるか否かを確認し、操作ボタン１５ｃでない場合は（ステップＳ１２９でＮ）、後述するステップＳ１３５に進む。
【０１６６】
一方、操作されたのが操作ボタン１５ｃである場合は（ステップＳ１２９でＹ）、センターディスプレイ２９のＣＤモード案内画面の表示内容を、操作された操作ボタン１５ｃに対応するリピート動作のＯＮ／ＯＦＦ切換に応じて更新すると共に、液晶ディスプレイ１５ｊのＣＤモード画面の表示内容を、操作ボタン１５ｃに結像される部分が網掛反転表示と白地の通常表示とのうち一方から他方に変わるように更新し（ステップＳ１３１）、第２階層表示タイマのタイマ値Ｔ１をゼロリセットした後（ステップＳ１３３）、ステップＳ１２１にリターンする。
【０１６７】
また、ステップＳ１２９において操作されたのが操作ボタン１５ｃでない場合（Ｎ）に進むステップＳ１３５では、操作されたのがランダム再生動作のＯＮ／ＯＦＦ切換機能を割り当てた操作ボタン１５ｄであるか否かを確認し、操作ボタン１５ｄでない場合は（ステップＳ１３５でＮ）、後述するステップＳ１４１に進む。
【０１６８】
一方、操作されたのが操作ボタン１５ｄである場合は（ステップＳ１３５でＹ）、センターディスプレイ２９のＣＤモード案内画面の表示内容を、操作された操作ボタン１５ｄに対応するランダム再生動作のＯＮ／ＯＦＦ切換に応じて更新すると共に、液晶ディスプレイ１５ｊのＣＤモード画面の表示内容を、操作ボタン１５ｄに結像される部分が網掛反転表示と白地の通常表示とのうち一方から他方に変わるように更新し（ステップＳ１３７）、第２階層表示タイマのタイマ値Ｔ１をゼロリセットした後（ステップＳ１３９）、ステップＳ１２１にリターンする。
【０１６９】
また、ステップＳ１３５において操作されたのが操作ボタン１５ｄでない場合（Ｎ）に進むステップＳ１４１では、図３２に示すように、操作されたのがオーディオコントロール動作の選択機能を割り当てた操作ボタン１５ｅであるか否かを確認し、操作ボタン１５ｅである場合は（ステップＳ１４１でＹ）、第２階層表示タイマによるタイムカウントを終了すると共にそのタイマ値Ｔ１をゼロリセットした後（ステップＳ１４３）、後述するステップＳ２８５に進む。
【０１７０】
一方、操作されたのが操作ボタン１５ｅでない場合は（ステップＳ１４１でＮ）、操作されたのが曲頭スキャン再生動作のＯＮ／ＯＦＦ切換機能を割り当てた操作ボタン１５ｆであるか否かを確認し（ステップＳ１４５）、操作ボタン１５ｆでない場合は（ステップＳ１４５でＮ）、後述するステップＳ１５１に進む。
【０１７１】
これに対し、操作されたのが操作ボタン１５ｆである場合は（ステップＳ１４５でＹ）、センターディスプレイ２９のＣＤモード案内画面の表示内容を、操作された操作ボタン１５ｆに対応する曲頭スキャン再生動作のＯＮ／ＯＦＦ切換に応じて更新すると共に、液晶ディスプレイ１５ｊのＣＤモード画面の表示内容を、操作ボタン１５ｆに結像される部分が網掛反転表示と白地の通常表示とのうち一方から他方に変わるように更新し（ステップＳ１４７）、第２階層表示タイマのタイマ値Ｔ１をゼロリセットした後（ステップＳ１４９）、ステップＳ１２１にリターンする。
【０１７２】
また、ステップＳ１４５において操作されたのが操作ボタン１５ｆでない場合（Ｎ）に進むステップＳ１５１では、液晶ディスプレイ１５ｊのＣＤモード画面の表示内容とセンターディスプレイ２９のＣＤモード案内画面の表示内容とを、操作された操作ボタン１５ｇ，１５ｈに対応するトラック番号の変化に合わせて更新し、次に、第２階層表示タイマのタイマ値Ｔ１をゼロリセットした後（ステップＳ１５３）、ステップＳ１２１にリターンする。
【０１７３】
ステップＳ１２１において各操作ボタン１５ａ〜１５ｈがいずれも操作されていない場合（Ｎ）に進むステップＳ１５５では、図３１に示すように、第２階層表示タイマのタイマ値Ｔ１が所定のタイムアップ値Ｔ１MAX に達したか否かを確認し、達していない場合は（ステップＳ１５５でＮ）、ステップＳ１２１にリターンし、達した場合は（ステップＳ１５５でＹ）、第２階層表示タイマによるタイムカウントを終了すると共にそのタイマ値Ｔ１をゼロリセットした後（ステップＳ１５７）、ステップＳ７にリターンする。
【０１７４】
また、ステップＳ２５においてＭＤフラグＦ７を「１」に設定すると共に、ＡＭフラグＦ１、ＦＭフラグＦ３、及び、ＣＤフラグＦ５をいずれも「０」に設定した後と、ステップＳ４１においてＣＤフラグＦ５が「０」である場合（Ｙ）とに各々進むステップＳ１５９では、図３３に示すように、液晶ディスプレイ１５ｊにＭＤモード画面を表示させると共にセンターディスプレイ２９にＭＤモード案内画面を表示させるＭＤ表示処理を行う。
【０１７５】
続いて、第２階層表示タイマエリアにおけるタイムカウントを開始し（ステップＳ１６１）、その後、リミットスイッチ１６ａ〜１６ｈの出力を基に、各操作ボタン１５ａ〜１５ｈが操作されたか否かを確認する（ステップＳ１６３）。
【０１７６】
各操作ボタン１５ａ〜１５ｈがいずれも操作されていない場合は（ステップＳ１６３でＮ）、後述するステップＳ２０１に進み、操作された場合は（ステップＳ１６３でＹ）、操作されたのが曲データ表示動作の選択機能を割り当てた操作ボタン１５ａであるか否かを確認し（ステップＳ１６５）、操作ボタン１５ａでない場合は（ステップＳ１６５でＮ）、後述するステップＳ１７５に進む。
【０１７７】
一方、操作されたのが操作ボタン１５ａである場合は（ステップＳ１６５でＹ）、多重バスラインＢＬを介してＭＤプレーヤ５０から、現在再生されているＭＤに記録されているＤＩＳＫタイトルや曲名の情報を取り込み（ステップＳ１６７）、センターディスプレイ２９のＭＤモード案内画面の表示を、ステップＳ１６１でＭＤプレーヤ５０から取り込んだＤＩＳＫタイトルや曲名に一定時間変更し（ステップＳ１６９）、この一定時間の経過後に、センターディスプレイ２９の表示内容を元のＭＤモード案内画面に戻し（ステップＳ１７１）、第２階層表示タイマのタイマ値Ｔ１をゼロリセットした後（ステップＳ１７３）、ステップＳ１６３にリターンする。
【０１７８】
また、ステップＳ１６５において操作されたのが操作ボタン１５ａでない場合（Ｎ）に進むステップＳ１７５では、操作されたのがリピート動作のＯＮ／ＯＦＦ切換機能を割り当てた操作ボタン１５ｃであるか否かを確認し、操作ボタン１５ｃでない場合は（ステップＳ１７５でＮ）、後述するステップＳ１８１に進む。
【０１７９】
一方、操作されたのが操作ボタン１５ｃである場合は（ステップＳ１７５でＹ）、センターディスプレイ２９のＭＤモード案内画面の表示内容を、操作された操作ボタン１５ｃに対応するリピート動作のＯＮ／ＯＦＦ切換に応じて更新すると共に、液晶ディスプレイ１５ｊのＭＤモード画面の表示内容を、操作ボタン１５ｃに結像される部分が網掛反転表示と白地の通常表示とのうち一方から他方に変わるように更新し（ステップＳ１７７）、第２階層表示タイマのタイマ値Ｔ１をゼロリセットした後（ステップＳ１７９）、ステップＳ１６３にリターンする。
【０１８０】
また、ステップＳ１７５において操作されたのが操作ボタン１５ｃでない場合（Ｎ）に進むステップＳ１８１では、操作されたのがランダム再生動作のＯＮ／ＯＦＦ切換機能を割り当てた操作ボタン１５ｄであるか否かを確認し、操作ボタン１５ｄでない場合は（ステップＳ１８１でＮ）、後述するステップＳ１８７に進む。
【０１８１】
一方、操作されたのが操作ボタン１５ｄである場合は（ステップＳ１８１でＹ）、センターディスプレイ２９のＭＤモード案内画面の表示内容を、操作された操作ボタン１５ｄに対応するランダム再生動作のＯＮ／ＯＦＦ切換に応じて更新すると共に、液晶ディスプレイ１５ｊのＭＤモード画面の表示内容を、操作ボタン１５ｄに結像される部分が網掛反転表示と白地の通常表示とのうち一方から他方に変わるように更新し（ステップＳ１８３）、第２階層表示タイマのタイマ値Ｔ１をゼロリセットした後（ステップＳ１８５）、ステップＳ１６３にリターンする。
【０１８２】
また、ステップＳ１８１において操作されたのが操作ボタン１５ｄでない場合（Ｎ）に進むステップＳ１８７では、図３４に示すように、操作されたのがオーディオコントロール動作の選択機能を割り当てた操作ボタン１５ｅであるか否かを確認し、操作ボタン１５ｅである場合は（ステップＳ１８７でＹ）、第２階層表示タイマによるタイムカウントを終了すると共にそのタイマ値Ｔ１をゼロリセットした後（ステップＳ１８９）、後述するステップＳ２８５に進む。
【０１８３】
一方、操作されたのが操作ボタン１５ｅでない場合は（ステップＳ１８７でＮ）、操作されたのが曲頭スキャン再生動作のＯＮ／ＯＦＦ切換機能を割り当てた操作ボタン１５ｆであるか否かを確認し（ステップＳ１９１）、操作ボタン１５ｆでない場合は（ステップＳ１９１でＮ）、後述するステップＳ１９７に進む。
【０１８４】
これに対し、操作されたのが操作ボタン１５ｆである場合は（ステップＳ１９１でＹ）、センターディスプレイ２９のＭＤモード案内画面の表示内容を、操作された操作ボタン１５ｆに対応する曲頭スキャン再生動作のＯＮ／ＯＦＦ切換に応じて更新すると共に、液晶ディスプレイ１５ｊのＭＤモード画面の表示内容を、操作ボタン１５ｆに結像される部分が網掛反転表示と白地の通常表示とのうち一方から他方に変わるように更新し（ステップＳ１９３）、第２階層表示タイマのタイマ値Ｔ１をゼロリセットした後（ステップＳ１９５）、ステップＳ１６３にリターンする。
【０１８５】
また、ステップＳ１９１において操作されたのが操作ボタン１５ｆでない場合（Ｎ）に進むステップＳ１９７では、液晶ディスプレイ１５ｊのＭＤモード画面の表示内容とセンターディスプレイ２９のＭＤモード案内画面の表示内容とを、操作された操作ボタン１５ｇ，１５ｈに対応するトラック番号の変化に合わせて更新し、次に、第２階層表示タイマのタイマ値Ｔ１をゼロリセットした後（ステップＳ１９９）、ステップＳ１６３にリターンする。
【０１８６】
ステップＳ１６３において各操作ボタン１５ａ〜１５ｈがいずれも操作されていない場合（Ｎ）に進むステップＳ２０１では、図３３に示すように、第２階層表示タイマのタイマ値Ｔ１が所定のタイムアップ値Ｔ１MAX に達したか否かを確認し、達していない場合は（ステップＳ２０１でＮ）、ステップＳ１６３にリターンし、達した場合は（ステップＳ２０１でＹ）、第２階層表示タイマによるタイムカウントを終了すると共にそのタイマ値Ｔ１をゼロリセットした後（ステップＳ２０３）、ステップＳ７にリターンする。
【０１８７】
また、ステップＳ４１において温度設定ツマミ２７が回転操作された場合（Ｙ）に進むステップＳ２０５では、図３５に示すように、液晶ディスプレイ１５ｊにエアコンモード画面を表示させ、次に、温度設定スイッチ２７ａの出力を基に変更された目標温度の設定値を割り出し（ステップＳ２０７）、センターディスプレイ２９のデフォルトモード案内画面の表示を、ステップＳ２０７で割り出した目標温度の設定値のみの強調表示に一定時間変更し（ステップＳ２０９）、この一定時間の経過後に、センターディスプレイ２９の表示内容をエアコンモード案内画面に変更させた後（ステップＳ２１１）、後述するステップＳ２０７に進む。
【０１８８】
さらに、ステップＳ３５において操作されたのが操作ボタン１５ｇである場合（Ｙ）に進むステップＳ２１３では、液晶ディスプレイ１５ｊにエアコンモード画面を表示させると共にセンターディスプレイ２９にエアコンモード案内画面を表示させるエアコン表示処理を行い、ステップＳ２０７に進む。
【０１８９】
ステップＳ２１１においてセンターディスプレイ２９の表示内容をエアコンモード案内画面に変更させた後と、ステップＳ２１３においてエアコン表示処理を行った後とに各々進むステップＳ２１５では、第２階層表示タイマエリアにおけるタイムカウントを開始し、次に、リミットスイッチ１６ａ〜１６ｈの出力を基に、各操作ボタン１５ａ〜１５ｈが操作されたか否かを確認する（ステップＳ２１７）。
【０１９０】
各操作ボタン１５ａ〜１５ｈがいずれも操作されていない場合は（ステップＳ２１７でＮ）、後述するステップＳ２７１に進み、操作された場合は（ステップＳ２１７でＹ）、操作されたのがエアコンＯＦＦの設定機能を割り当てた操作ボタン１５ａ、マニュアルエアコンＯＮの設定機能を割り当てた操作ボタン１５ｂ、オートエアコンＯＮの設定機能を割り当てた操作ボタン１５ｃのいずれかであるか否かを確認し（ステップＳ２１９）、操作ボタン１５ａ〜１５ｃでない場合は（ステップＳ２１９でＮ）、後述するステップＳ２２５に進む。
【０１９１】
一方、操作されたのが操作ボタン１５ａ〜１５ｃである場合は（ステップＳ２１９でＹ）、センターディスプレイ２９のエアコンモード案内画面の表示内容を、操作された操作ボタン１５ａ〜１５ｃに対応するエアコン７０の運転のＯＮ／ＯＦＦ切換に応じて更新すると共に、液晶ディスプレイ１５ｊのエアコンモード画面の表示内容を、操作ボタン１５ａ〜１５ｃに結像される部分が網掛反転表示と白地の通常表示とのうち一方から他方に各々変わるように更新し（ステップＳ２２１）、第２階層表示タイマのタイマ値Ｔ１をゼロリセットした後（ステップＳ２２３）、ステップＳ２１７にリターンする。
【０１９２】
また、ステップＳ２１９において操作されたのが操作ボタン１５ａ〜１５ｃでない場合（Ｎ）に進むステップＳ２２５では、操作されたのが操作されたのがエア循環モードの切換機能を割り当てた操作ボタン１５ｄであるか否かを確認し、操作ボタン１５ｄでない場合は（ステップＳ２２５でＮ）、後述するステップＳ２３３に進む。
【０１９３】
一方、操作されたのが操作ボタン１５ｄである場合は（ステップＳ２２５でＹ）、液晶ディスプレイ１５ｊのエアコンモード画面の表示内容を、操作ボタン１５ｄに結像される部分が循環を示すシンボルマークと換気を示すシンボルマークとのうち一方から他方に各々変わるように更新する（ステップＳ２２７）。
【０１９４】
これと共に、センターディスプレイ２９のエアコンモード案内画面の表示を、「循環」を示すシンボルマークと「外気」を示すシンボルマークとのうち、変更後の設定を示すシンボルマークのみの強調表示に一定時間変更し（ステップＳ２２９）、この一定時間の経過後に、センターディスプレイ２９の表示内容を元のエアコンモード案内画面に戻すと共に（ステップＳ２３０）、第２階層表示タイマのタイマ値Ｔ１をゼロリセットした後（ステップＳ２３１）、ステップＳ２１７にリターンする。
【０１９５】
また、ステップＳ２２５において操作されたのが操作ボタン１５ｄでない場合（Ｎ）に進むステップＳ２３３では、図３６に示すように、操作されたのがデフォッガのＯＮ／ＯＦＦ切換機能を割り当てた操作ボタン１５ｅであるか否かを確認し、操作ボタン１５ｅでない場合は（ステップＳ２３３でＮ）、後述するステップＳ２４３に進む。
【０１９６】
一方、操作されたのが操作ボタン１５ｅである場合は（ステップＳ２３３でＹ）、液晶ディスプレイ１５ｊのエアコンモード画面の表示内容を、操作ボタン１５ｅに結像される部分が網掛反転表示と白地の通常表示とのうち一方から他方に変わるように更新する（ステップＳ２３５）。
【０１９７】
これと共に、センターディスプレイ２９のエアコンモード案内画面の表示を、デフォッガを示すシンボルマーク及び切換後のデフォッガのＯＮ／ＯＦＦ状態を示す文字のみの強調表示に一定時間変更し（ステップＳ２３７）、この一定時間の経過後に、センターディスプレイ２９の表示内容を元のエアコンモード案内画面に戻すと共に（ステップＳ２３９）、第２階層表示タイマのタイマ値Ｔ１をゼロリセットした後（ステップＳ２４１）、ステップＳ２１７にリターンする。
【０１９８】
また、ステップＳ２３３において操作されたのが操作ボタン１５ｅでない場合（Ｎ）に進むステップＳ２４３では、操作されたのが熱線リアウィンドヒータのＯＮ／ＯＦＦ切換機能を割り当てた操作ボタン１５ｆであるか否かを確認し、操作ボタン１５ｆでない場合は（ステップＳ２４３でＮ）、後述するステップＳ２５３に進む。
【０１９９】
一方、操作されたのが操作ボタン１５ｆである場合は（ステップＳ２４３でＹ）、液晶ディスプレイ１５ｊのエアコンモード画面の表示内容を、操作ボタン１５ｆに結像される部分が網掛反転表示と白地の通常表示とのうち一方から他方に変わるように更新する（ステップＳ２４５）。
【０２００】
これと共に、センターディスプレイ２９のエアコンモード案内画面の表示を、熱線リアウィンドヒータを示すシンボルマーク及び切換後のデフォッガのＯＮ／ＯＦＦ状態を示す文字のみの強調表示に一定時間変更し（ステップＳ２４７）、この一定時間の経過後に、センターディスプレイ２９の表示内容を元のエアコンモード案内画面に戻すと共に（ステップＳ２４９）、第２階層表示タイマのタイマ値Ｔ１をゼロリセットした後（ステップＳ２５１）、ステップＳ２１７にリターンする。
【０２０１】
また、ステップＳ２４３において操作されたのが操作ボタン１５ｆでない場合（Ｎ）に進むステップＳ２５３では、操作されたのが送風モードの切換設定機能を割り当てた操作ボタン１５ｇであるか否かを確認し、操作ボタン１５ｇでない場合は（ステップＳ２５３でＮ）、後述するステップＳ２６３に進む。
【０２０２】
一方、操作されたのが操作ボタン１５ｇである場合は（ステップＳ２５３でＹ）、液晶ディスプレイ１５ｊのエアコンモード画面の表示内容を、操作された操作ボタン１５ｇに対応する送風モードの切換設定に応じて更新する（ステップＳ２５５）。
【０２０３】
これと共に、センターディスプレイ２９のエアコンモード案内画面の表示を、変更された送風モードを示すシンボルマークのみの強調表示に一定時間変更し（ステップＳ２５７）、この一定時間の経過後に、センターディスプレイ２９の表示内容を元のエアコンモード案内画面に戻すと共に（ステップＳ２５９）、第２階層表示タイマのタイマ値Ｔ１をゼロリセットした後（ステップＳ２６１）、ステップＳ２１７にリターンする。
【０２０４】
また、ステップＳ２５３において操作されたのが操作ボタン１５ｇでない場合（Ｎ）に進むステップＳ２６３では、液晶ディスプレイ１５ｊのエアコンモード画面の表示内容を、操作された操作ボタン１５ｈに対応する送風レベルの切換設定に応じて更新する。
【０２０５】
これと共に、センターディスプレイ２９のエアコンモード案内画面の表示を、変更された送風レベルを示すシンボルマークのみの強調表示に一定時間変更し（ステップＳ２６５）、この一定時間の経過後に、センターディスプレイ２９の表示内容を元のエアコンモード案内画面に戻すと共に（ステップＳ２６７）、第２階層表示タイマのタイマ値Ｔ１をゼロリセットした後（ステップＳ２６９）、ステップＳ２１７にリターンする。
【０２０６】
ステップＳ２１７において各操作ボタン１５ａ〜１５ｈがいずれも操作されていない場合（Ｎ）に進むステップＳ２７１では、図３７に示すように、温度設定スイッチ２７ａの出力を基に温度設定ツマミ２７が回転操作されたか否かを確認し、回転操作されていない場合は（ステップＳ２７１でＮ）、ステップＳ２８１に進む。
【０２０７】
一方、温度設定ツマミ２７が回転操作された場合は（ステップＳ２７１でＹ）、温度設定スイッチ２７ａの出力を基に変更された目標温度の設定値を割り出し（ステップＳ２７３）、センターディスプレイ２９のエアコンモード案内画面の表示を、ステップＳ２７３で割り出した目標温度の設定値のみの強調表示に一定時間変更し（ステップＳ２７５）、この一定時間の経過後に、センターディスプレイ２９の表示内容を元のエアコンモード案内画面に戻すと共に（ステップＳ２７７）、第２階層表示タイマのタイマ値Ｔ１をゼロリセットした後（ステップＳ２７９）、ステップＳ２１７にリターンする。
【０２０８】
ステップＳ２７１において温度設定ツマミ２７が回転操作されていない場合（Ｎ）に進むステップＳ２８１では、第２階層表示タイマのタイマ値Ｔ１が所定のタイムアップ値Ｔ１MAX に達したか否かを確認し、達していない場合は（ステップＳ２８１でＮ）、ステップＳ２１７にリターンし、達した場合は（ステップＳ２８１でＹ）、第２階層表示タイマによるタイムカウントを終了すると共にそのタイマ値Ｔ１をゼロリセットした後（ステップＳ２８３）、ステップＳ７にリターンする。
【０２０９】
また、ステップＳ６３、ステップＳ９７、ステップＳ１４３、並びに、ステップＳ１８９における第２階層表示タイマのタイムカウント終了とタイマ値Ｔ１のゼロリセット後に各々進むステップＳ２８５では、図３８に示すように、液晶ディスプレイ１５ｊの表示内容をオーディオコントロールモード画面に変更し、次に、ＲＡＭ３１ｂの第３階層表示タイマエリアにおけるタイムカウントを開始し（ステップＳ２８７）、その後、リミットスイッチ１６ａ〜１６ｈの出力を基に、各操作ボタン１５ａ〜１５ｈが操作されたか否かを確認する（ステップＳ２８９）。
【０２１０】
各操作ボタン１５ａ〜１５ｈがいずれも操作されていない場合は（ステップＳ２８９でＮ）、後述するステップＳ３０５に進み、操作された場合は（ステップＳ２８９でＹ）、操作されたのが音量バランス調整機能を割り当てた操作ボタン１５ａ〜１５ｄであるか否かを確認し（ステップＳ２９１）、操作ボタン１５ａ〜１５ｄでない場合は（ステップＳ２９１でＮ）、後述するステップＳ２９９に進む。
【０２１１】
一方、操作されたのが操作ボタン１５ａ〜１５ｄである場合は（ステップＳ２９１でＹ）、その操作が終了するまでの間、センターディスプレイ２９の表示内容を、操作された操作ボタン１５ａ〜１５ｄに対応する調整中の音量バランスの内容とその調整状態とを示すシンボルマークに変更し（ステップＳ２９３）、操作ボタン１５ａ〜１５ｄの操作終了に伴って、センターディスプレイ２９の表示内容を元のモード案内画面に戻し（ステップＳ２９５）、第３階層表示タイマのタイマ値Ｔ３をゼロリセットした後（ステップＳ２９７）、ステップＳ２８９にリターンする。
【０２１２】
また、ステップＳ２９１において操作されたのが操作ボタン１５ａ〜１５ｄでない場合（Ｎ）に進むステップＳ２９９では、操作されたのが音質バランス調整機能を割り当てた操作ボタン１５ｅ〜１５ｈであるものとして、その操作が終了するまでの間、センターディスプレイ２９の表示内容を、操作された操作ボタン１５ｅ〜１５ｈに対応する調整中の音質バランスの内容とその調整状態とを示すシンボルマークに変更し、次に、操作ボタン１５ｅ〜１５ｈの操作終了に伴って、センターディスプレイ２９の表示内容を元のモード案内画面に戻し（ステップＳ３０１）、第３階層表示タイマのタイマ値Ｔ３をゼロリセットした後（ステップＳ３０３）、ステップＳ２８９にリターンする。
【０２１３】
ステップＳ２８９において各操作ボタン１５ａ〜１５ｈがいずれも操作されていない場合（Ｎ）に進むステップＳ３０５では、第３階層表示タイマのタイマ値Ｔ３が所定のタイムアップ値Ｔ３MAX に達したか否かを確認し、達していない場合は（ステップＳ３０５でＮ）、ステップＳ２８９にリターンし、達した場合は（ステップＳ３０５でＹ）、第３階層表示タイマによるタイムカウントを終了すると共にそのタイマ値Ｔ３をゼロリセットした後（ステップＳ３０７）、ＡＭフラグＦ１が「０」であるか否かを確認する（ステップＳ３０９）。
【０２１４】
ＡＭフラグＦ１が「０」でない場合は（ステップＳ３０９でＮ）、液晶ディスプレイ１５ｊの表示内容をＡＭラジオモード画面に変更した後（ステップＳ３１１）、ステップＳ５１にリターンし、「０」である場合は（ステップＳ３０９でＹ）、ＦＭフラグＦ３が「０」であるか否かを確認する（ステップＳ３１３）。
【０２１５】
ＦＭフラグＦ３が「０」でない場合は（ステップＳ３１３でＮ）、液晶ディスプレイ１５ｊの表示内容をＦＭラジオモード画面に変更した後（ステップＳ３１５）、ステップＳ８５にリターンし、「０」である場合は（ステップＳ３１３でＹ）、ＣＤフラグＦ５が「０」であるか否かを確認する（ステップＳ３１７）。
【０２１６】
ＣＤフラグＦ５が「０」でない場合は（ステップＳ３１７でＮ）、液晶ディスプレイ１５ｊの表示内容をＣＤモード画面に変更した後（ステップＳ３１９）、ステップＳ１１９にリターンし、「０」である場合は（ステップＳ３１７でＹ）、液晶ディスプレイ１５ｊの表示内容をＭＤモード画面に変更した後（ステップＳ３２１）、ステップＳ１６１にリターンする。
【０２１７】
以上の説明からも明らかなように、第１実施形態では、図２６のフローチャートにおけるステップＳ７が、請求項中の初期階層表示実行手段３１Ａに対応する処理となっており、図２７のフローチャートにおけるステップＳ３５と、図２９のフローチャートにおけるステップＳ４９と、図３０のフローチャートにおけるステップＳ８３と、図３１のフローチャートにおけるステップＳ１１７と、図３３のフローチャートにおけるステップＳ１５９と、図３５のフローチャートにおけるステップＳ２０５と、図３８におけるステップＳ２８５とが、請求項中の次階層表示実行手段３１Ｃに対応する処理となっている。
【０２１８】
また、第１実施形態では、図２６中のステップＳ１１、ステップＳ１５、ステップＳ１９、並びに、ステップＳ２３と、図２７中のステップＳ３５と、図２９中のステップＳ６１と、図３０中のステップＳ９５と、図３２のフローチャートにおけるステップＳ１４１と、図３４のフローチャートにおけるステップＳ１８７とが、請求項中の表示像特定手段３１Ｂに対応する処理となっている。
【０２１９】
さらに、第１実施形態では、図２６中のステップＳ３が、請求項中の対象機器指定像設定手段３１Ｄ及び特定対象機器像設定手段３１Ｅに対応する処理となっており、図２６中のステップＳ９と、図２９中のステップＳ５３と、図３０中のステップＳ８７と、図３１中のステップＳ１２１と、図３３中のステップＳ１６３と、図３５中のステップＳ２１７と、図３８中のステップＳ２８９とが、請求項中の操作ボタン操作検出手段Ｂに対応する処理となっており、これらとリミットスイッチ１６ａ〜１６ｈとにより操作ボタン操作検出手段Ｂが構成されている。
【０２２０】
また、第１実施形態では、図２６中のステップＳ３９及びステップＳ４１と、図３６のフローチャートにおけるステップＳ２７１とが、請求項中の特定操作ボタン操作検出手段Ｃとなっており、これらとボリュームスイッチ２５ａ及び温度設定スイッチ２７ａとにより特定操作ボタン操作検出手段Ｃが構成されている。
【０２２１】
さらに、第１実施形態では、ＣＤプレーヤ４０、ＭＤプレーヤ５０、チューナ６０、並びに、エアコン７０が、請求項中の対象機器Ａに相当していると共に、操作ボタン１５ａ〜１５ｈが請求項中の操作ボタンα1 〜αn に相当しており、ボリュームツマミ２５及び温度設定ツマミ２７が請求項中の特定操作ボタンβに相当している。
【０２２２】
また、第１実施形態では、デフォルトモード画面が請求項中の初期階層表示画像に相当し、ＡＭラジオモード画面、ＦＭラジオモード画面、ＣＤモード画面、ＭＤモード画面、オーディオコントロールモード画面、並びに、エアコンモード画面が、請求項中の次階層表示画像に相当しており、液晶ディスプレイ１５ｊが請求項中の表示手段に相当している。
【０２２３】
さらに、第１実施形態では、操作ボタン１５ａ〜１５ｈにおいて視認される「ＡＭ」、「ＦＭ」、「ＣＤ」、並びに、「ＭＤ」という選択対象の各機器を示す文字や、「エアコンディショナ」という選択対象の各機器を示すシンボルマークの像が、請求項中の対象機器指定機能表示像に相当している。
【０２２４】
また、第１実施形態では、「デフォッガ」、「熱線リアウィンドヒータ」、「受信周波数ＤＯＷＮ」、「受信周波数ＵＰ」、「選択ＤＩＳＫ番号ＤＯＷＮ」、「選択ＤＩＳＫ番号ＵＰ」、「再生トラックＤＯＷＮ」、並びに、「再生トラックＵＰ」という各機能を示すシンボルマークの像や、「ＡＵＤＩＯ  ＣＯＮＴ．」、「ＡＵＴＯ  ＰＲＥＳＥＴ」、「ＲＰＴ」、「ＲＡＮＤ」、「オーディオコントロール」、「ＳＣＡＮ」という各機能を示す文字の像が、請求項中の特定対象機器機能表示像に相当している。
【０２２５】
さらに、第１実施形態では、「▲」や「▼」のシンボルマークが請求項中の次階層予告表示像に相当している。
【０２２６】
次に、上述のように構成された第１実施形態のスイッチ装置３０の動作（作用）について説明する。
【０２２７】
自動車のアクセサリスイッチをＯＮにすると、まずは、液晶ディスプレイ１５ｊにデフォルトモード画面が表示され、その結果、マルチスイッチ部１５が、「ＡＭ」、「ＦＭ」、「ＣＤ」、「デフォッガ」、「熱線リアウィンドヒータ」、「ＭＤ」、並びに、「交通情報」という選択対象の各機器を示す文字やシンボルマークが、図４に示すように各操作ボタン１５ａ〜１５ｈに視認される、デフォルトモード表示状態となる。
【０２２８】
このデフォルトモード表示状態においては、操作ボタン１５ａ〜１５ｄ，１５ｇに、「ＡＭ」、「ＦＭ」、「ＣＤ」、「ＭＤ」、並びに、「エアコンディショナ」を示す文字やシンボルマークに加えて、「▲」や「▼」のシンボルマークが各々視認され、これにより、これら「ＡＭ」、「ＦＭ」、「ＣＤ」、「ＭＤ」、並びに、「エアコンディショナ」の機能を選択すると、次階層の表示が行われる旨が報知される。
【０２２９】
また、このデフォルトモード表示状態においては、ダッシュボード１上のセンターディスプレイ２９に、図１３に示すデフォルトモード案内画面が表示される。
【０２３０】
そして、マルチスイッチ部１５のデフォルトモード表示状態において、「ＡＭ」の文字と「▲」のシンボルマークとが視認される操作ボタン１５ａを押圧操作すると、液晶ディスプレイ１５ｊの表示がデフォルトモード画面からＡＭラジオモード画面に変わり、その結果、マルチスイッチ部１５が、プリセットされたＡＭ放送局の局名、「ＡＵＤＩＯ  ＣＯＮＴ．」、「ＡＵＴＯ  ＰＲＥＳＥＴ」、「受信周波数ＤＯＷＮ」、並びに、「受信周波数ＵＰ」という機能を示す文字やシンボルマークが、図５に示すように各操作ボタン１５ａ〜１５ｈに視認される、ＡＭラジオモード表示状態となる。
【０２３１】
また、マルチスイッチ部１５がデフォルトモード表示状態からＡＭラジオモード表示状態に変わると、これに連動して、センターディスプレイ２９の表示が、デフォルトモード案内画面から、図１４に示すＡＭラジオモード案内画面に変わる。
【０２３２】
一方、マルチスイッチ部１５のデフォルトモード表示状態において、「ＦＭ」の文字と「▲」のシンボルマークとが視認される操作ボタン１５ｂを押圧操作すると、液晶ディスプレイ１５ｊの表示がデフォルトモード画面からＦＭラジオモード画面に変わり、その結果、マルチスイッチ部１５が、プリセットされたＦＭ放送局の局名、「ＡＵＤＩＯ  ＣＯＮＴ．」、「ＡＵＴＯ  ＰＲＥＳＥＴ」、「受信周波数ＤＯＷＮ」、並びに、「受信周波数ＵＰ」という機能を示す文字やシンボルマークが、ＡＭラジオモード表示状態と同様に各操作ボタン１５ａ〜１５ｈに視認される、ＦＭラジオモード表示状態となる。
【０２３３】
また、マルチスイッチ部１５がデフォルトモード表示状態からＦＭラジオモード表示状態に変わると、これに連動して、センターディスプレイ２９の表示が、デフォルトモード案内画面から、ＦＭラジオモード案内画面に変わる。
【０２３４】
さらに、マルチスイッチ部１５のデフォルトモード表示状態において、「ＣＤ」の文字と「▲」のシンボルマークとが視認される操作ボタン１５ｃを押圧操作すると、液晶ディスプレイ１５ｊの表示がデフォルトモード画面からＣＤモード画面に変わり、その結果、マルチスイッチ部１５が、「選択ＤＩＳＫ番号ＤＯＷＮ」、「選択ＤＩＳＫ番号ＵＰ」、「ＲＰＴ」、「ＲＡＮＤ」、「オーディオコントロール」、「ＳＣＡＮ」、「再生トラックＤＯＷＮ」、並びに、「再生トラックＵＰ」という機能を示す文字やシンボルマークが、図６に示すように各操作ボタン１５ａ〜１５ｈに視認される、ＣＤモード表示状態となる。
【０２３５】
また、マルチスイッチ部１５がデフォルトモード表示状態からＣＤモード表示状態に変わると、これに連動して、センターディスプレイ２９の表示が、デフォルトモード案内画面から、図１６に示すＣＤモード案内画面に変わる。
【０２３６】
次に、マルチスイッチ部１５のデフォルトモード表示状態において、「ＭＤ」の文字と「▲」のシンボルマークとが視認される操作ボタン１５ｄを押圧操作すると、液晶ディスプレイ１５ｊの表示がデフォルトモード画面からＭＤモード画面に変わり、その結果、マルチスイッチ部１５が、「ＤＩＳＰ」、「（ブランク）」、「ＲＰＴ」、「ＲＡＮＤ」、「オーディオコントロール」、「ＳＣＡＮ」、「再生トラックＤＯＷＮ」、並びに、「再生トラックＵＰ」という機能を示す文字やシンボルマークが、図７に示すように各操作ボタン１５ａ〜１５ｈに視認される、ＭＤモード表示状態となる。
【０２３７】
また、マルチスイッチ部１５がデフォルトモード表示状態からＭＤモード表示状態に変わると、これに連動して、センターディスプレイ２９の表示が、デフォルトモード案内画面から、図１７に示すＭＤモード案内画面に変わる。
【０２３８】
一方、マルチスイッチ部１５のデフォルトモード表示状態において、「エアコンディショナ」と「▲」とのシンボルマークが視認される操作ボタン１５ｇを押圧操作すると、液晶ディスプレイ１５ｊの表示がデフォルトモード画面からエアコンモード画面に変わり、その結果、マルチスイッチ部１５が、「ＯＦＦ」、「Ａ／Ｃ」、「ＡＵＴＯ」、「エア循環モード」、「デフォッガ」、「熱線リアウィンドヒータ」、「送風モード」、並びに、「送風レベル」という機能を示す文字やシンボルマークが、図９に示すように各操作ボタン１５ａ〜１５ｈに視認される、エアコンモード表示状態となる。
【０２３９】
また、マルチスイッチ部１５がデフォルトモード表示状態からエアコンモード表示状態に変わると、これに連動して、センターディスプレイ２９の表示が、デフォルトモード案内画面から、図１９に示すエアコンモード案内画面に変わる。
【０２４０】
尚、操作ボタン１５ａ〜１５ｄの押圧操作によりマルチスイッチ部１５がデフォルトモード表示状態から、ＡＭラジオ、ＦＭラジオ、ＣＤ、並びに、ＭＤの各モード表示状態に変わった後、所定のタイムアウト時間Ｔ１が経過するよりも前にボリュームツマミ２５を操作すると、ＡＭラジオやＦＭラジオの音量、或は、ＣＤやＭＤの再生音量が、ボリュームツマミ２５の操作量に応じて調整される。
【０２４１】
また、操作ボタン１５ｇの押圧操作によりマルチスイッチ部１５がデフォルトモード表示状態からエアコンモード表示状態に変わった後、所定のタイムアウト時間Ｔ１が経過するよりも前に温度設定ツマミ２７を操作すると、エアコン７０の目標温度の値が、温度設定ツマミ２７の操作量に応じて調整され、これに伴って、図２０に示すように、センターディスプレイ２９の表示が、デフォルトモード案内画面から、変更された目標温度を示す文字のみの強調表示に一定時間変わり、その経過後、元のデフォルトモード案内画面に戻る。
【０２４２】
そして、操作ボタン１５ａ〜１５ｄ，１５ｇの押圧操作によりマルチスイッチ部１５がデフォルトモード表示状態から、ＡＭラジオ、ＦＭラジオ、ＣＤ、ＭＤ、並びに、エアコンの各モード表示状態に変わった後、所定のタイムアウト時間Ｔ１が経過するまでの間に、各操作ボタン１５ａ〜１５ｈやボリュームツマミ２５、温度設定ツマミ２７を何も操作しないと、マルチスイッチ部１５が自動的にデフォルトモード表示状態に戻り、また、これに連動して、センターディスプレイ２９の表示も自動的にデフォルトモード案内画面に戻る。
【０２４３】
以上は、マルチスイッチ部１５のデフォルトモード表示状態において、「▲」のシンボルマークが視認される操作ボタン１５ａ〜１５ｄ，１５ｇを押圧操作した場合の動作であるが、「▲」のシンボルマークが視認されない操作ボタン１５ｅ，１５ｆ，１５ｈを操作した場合に動作は、次のようになる。
【０２４４】
まず、マルチスイッチ部１５のデフォルトモード表示状態において、「デフォッガ」のシンボルマークが視認される操作ボタン１５ｅを押圧操作すると、液晶ディスプレイ１５ｊの表示はデフォルトモード画面のまま変わらないものの、操作ボタン１５ｅの部分の視認状態が、今までデフォッガがＯＦＦであればそれまでの白色通常表示からＯＮを示す網掛反転表示に変わり、反対に、今までデフォッガがＯＮであればそれまでの網掛反転表示からＯＦＦを示す白色通常表示に変わる。
【０２４５】
また、マルチスイッチ部１５のデフォルトモード表示状態において操作ボタン１５ｅを押圧操作すると、センターディスプレイ２９の表示が、デフォルトモード案内画面から、図２３に示す、デフォッガのシンボルマークと変更後のＯＮ／ＯＦＦ状態を示す文字のみの強調表示に一定時間変わり、その経過後、元のデフォルトモード案内画面に戻る。
【０２４６】
次に、マルチスイッチ部１５のデフォルトモード表示状態において、「熱線リアウィンドヒータ」のシンボルマークが視認される操作ボタン１５ｆを押圧操作すると、液晶ディスプレイ１５ｊの表示はデフォルトモード画面のまま変わらないものの、操作ボタン１５ｆの部分の視認状態が、今まで熱線リアウィンドヒータがＯＦＦであればそれまでの白色通常表示からＯＮを示す網掛反転表示に変わり、反対に、今まで熱線リアウィンドヒータがＯＮであればそれまでの網掛反転表示からＯＦＦを示す白色通常表示に変わる。
【０２４７】
また、マルチスイッチ部１５のデフォルトモード表示状態において操作ボタン１５ｆを押圧操作すると、センターディスプレイ２９の表示が、デフォルトモード案内画面から、熱線リアウィンドヒータのシンボルマークと変更後のＯＮ／ＯＦＦ状態を示す文字のみの強調表示に一定時間変わり、その経過後、元のデフォルトモード案内画面に戻る。
【０２４８】
続いて、デフォルトモード表示状態において、「交通情報」のシンボルマークが視認される操作ボタン１５ｈを押圧操作すると、液晶ディスプレイ１５ｊの表示はデフォルトモード画面のまま変わらないものの、操作ボタン１５ｆの部分の視認状態が、今まで交通情報がＯＦＦであればそれまでの白色通常表示からＯＮを示す網掛反転表示に変わり、反対に、今まで交通情報がＯＮであればそれまでの網掛反転表示からＯＦＦを示す白色通常表示に変わる。
【０２４９】
また、マルチスイッチ部１５のデフォルトモード表示状態において操作ボタン１５ｈを押圧操作すると、センターディスプレイ２９の表示が、デフォルトモード案内画面から、交通情報のシンボルマークと変更後のＯＮ／ＯＦＦ状態を示す文字のみの強調表示に一定時間変わり、その経過後、元のデフォルトモード案内画面に戻る。
【０２５０】
次に、マルチスイッチ部１５のＡＭラジオモード表示状態やＦＭラジオモード表示状態において、プリセットされたＡＭ放送局の局名やＦＭ放送局の局名が視認される操作ボタン１５ａ〜１５ｄを押圧操作すると、センターディスプレイ２９の表示はＡＭラジオモード案内画面やＦＭラジオモード案内画面のまま変わらないものの、操作ボタン１５ａ〜１５ｄの部分の視認状態が、今まで白色通常表示であったならば網掛反転表示に変わり、押圧操作されていない操作ボタン１５ａ〜１５ｄの部分の視認状態が、今まで網掛反転表示であったならば白色通常表示に変わるように、液晶ディスプレイ１５ｊの表示が変化する。
【０２５１】
また、マルチスイッチ部１５のＡＭラジオモード表示状態やＦＭラジオモード表示状態において、「ＡＵＴＯ  ＰＲＥＳＥＴ」の文字が視認される操作ボタン１５ｆを押圧操作すると、オートプリセット動作が実行され、その間、液晶ディスプレイ１５ｊの表示はＡＭラジオモード画面やＦＭラジオモード画面のまま変わらないものの、センターディスプレイ２９の表示が、ＡＭラジオモード案内画面やＦＭラジオモード案内画面から、「ＡＵＴＯ  ＰＲＥＳＥＴ」の文字のみの強調表示に変わり、オートプリセット動作の終了に伴って、センターディスプレイ２９の表示が元のＡＭラジオモード案内画面やＦＭラジオモード案内画面に戻る。
【０２５２】
さらに、マルチスイッチ部１５のＡＭラジオモード表示状態やＦＭラジオモード表示状態において、「受信周波数ＤＯＷＮ」や「受信周波数ＵＰ」の文字が視認される操作ボタン１５ｇ，１５ｈを押圧操作すると、受信周波数のマニュアル変更動作が実行され、その間、液晶ディスプレイ１５ｊの表示はＡＭラジオモード画面やＦＭラジオモード画面のまま変わらないものの、センターディスプレイ２９の表示のうち受信周波数の表示部分が、その変更に伴って変化する。
【０２５３】
次に、マルチスイッチ部１５のＣＤモード表示状態やＭＤモード表示状態において、「ＲＰＴ」、［ＲＡＮＤ」、及び、「ＳＣＡＮ」の文字が視認される操作ボタン１５ｃ，１５ｄ，１５ｆを押圧操作すると、センターディスプレイ２９のＣＤモード案内画面やＭＤモード案内画面の内容が、「ＲＰＴ」、［ＲＡＮＤ」、及び、「ＳＣＡＮ」の機能のＯＮ／ＯＦＦ切換に応じて変化する。
【０２５４】
これと共に、操作ボタン１５ｃ，１５ｄ，１５ｆの部分の視認状態が、今まで白色通常表示であったならば網掛反転表示に変わり、押圧操作されていない操作ボタン１５ｃ，１５ｄ，１５ｆの部分の視認状態が、今まで網掛反転表示であったならば白色通常表示に変わるように、液晶ディスプレイ１５ｊの表示が変化する。
【０２５５】
また、マルチスイッチ部１５のＣＤモード表示状態やＭＤモード表示状態において、「再生トラックＤＯＷＮ」及び「再生トラックＵＰ」のシンボルマークと選択トラック番号の文字とが視認される操作ボタン１５ｇ，１５ｈを押圧操作すると、液晶ディスプレイ１５ｊの表示はＣＤモード画面やＭＤモード画面のまま変わらないものの、センターディスプレイ２９のＣＤモード案内画面やＭＤモード案内画面の内容が、再生トラックとして選択されたトラック番号の変更に応じて変化する。
【０２５６】
次に、マルチスイッチ部１５のＣＤモード表示状態において、「選択ＤＩＳＫ番号ＤＯＷＮ」及び「選択ＤＩＳＫ番号ＵＰ」のシンボルマークと選択ＤＩＳＫ番号の文字とが視認される操作ボタン１５ａ，１５ｂを押圧操作すると、液晶ディスプレイ１５ｊの表示はＣＤモード画面のまま変わらないものの、センターディスプレイ２９のＣＤモード案内画面の内容が、再生するＤＩＳＫとして選択されたＤＩＳＫ番号の変更に応じて変化する。
【０２５７】
続いて、マルチスイッチ部１５のＭＤモード表示状態において、「ＤＩＳＰ」の文字が視認される操作ボタン１５ａを押圧操作すると、液晶ディスプレイ１５ｊの表示はＭＤモード画面のまま変わらないものの、センターディスプレイ２９の表示が、ＭＤモード案内画面から、図１８に示すように、現在再生されているＭＤに記録されているＤＩＳＫタイトルや曲名を示す文字のみの強調表示に一定時間変わり、その経過後、元のＭＤモード案内画面に戻る。
【０２５８】
次に、マルチスイッチ部１５のＡＭ、ＦＭ、ＣＤ、並びに、ＭＤの各モード表示状態において、「ＡＵＤＩＯ  ＣＯＮＴ．」の文字と「▲」のシンボルマークとが視認される操作ボタン１５ｅを押圧操作すると、液晶ディスプレイ１５ｊの表示がＡＭラジオ、ＦＭラジオ、ＣＤ、並びに、ＭＤの各モード画面からオーディオコントロールモード画面に変わる。
【０２５９】
その結果、マルチスイッチ部１５がオーディオコントロールモード表示状態となって、図８に示すように、「ＲＥＡＲ」、「ＦＲＯＮＴ」、「ＬＥＦＴ」、「ＲＩＧＨＴ」、「ＢＡＳＳ弱」、「ＢＡＳＳ強」、「ＴＲＥＢＬＥ弱」、並びに、「ＴＲＥＢＬＥ強」という機能を示す文字やシンボルマークが各操作ボタン１５ａ〜１５ｈに視認されるようになる。
【０２６０】
そして、操作ボタン１５ｅの押圧操作によりマルチスイッチ部１５がＡＭ、ＦＭ、ＣＤ、並びに、ＭＤの各モード表示状態からオーディオコントロールモード表示状態に変わった後、所定のタイムアウト時間Ｔ３が経過するよりも前に、操作ボタン１５ａ〜１５ｈのいずれかを操作すると、操作ボタン１５ａ〜１５ｈの操作量に応じて音量バランスや音質バランスが調整される。
【０２６１】
また、マルチスイッチ部１５のオーディオコントロールモード表示状態において、操作ボタン１５ａ〜１５ｈのいずれかを操作すると、これに連動して、センターディスプレイ２９の表示が、ＡＭ、ＦＭ、ＣＤ、並びに、ＭＤの各モード案内画面から、「ＡＵＴＯ  ＰＲＥＳＥＴ」の文字のみの強調表示に一定時間変わり、その経過後、元のＡＭ、ＦＭ、ＣＤ、並びに、ＭＤの各モード案内画面に戻る。
【０２６２】
そして、操作ボタン１５ａ〜１５ｄ，１５ｇの押圧操作によりマルチスイッチ部１５がＡＭラジオ、ＦＭラジオ、ＣＤ、並びに、ＭＤの各モード表示状態からオーディオコントロールモード表示状態に変わった後、所定のタイムアウト時間Ｔ３が経過するまでの間に、各操作ボタン１５ａ〜１５ｈを何も操作しないと、マルチスイッチ部１５が自動的にＡＭラジオ、ＦＭラジオ、ＣＤ、並びに、ＭＤの各モード表示状態に戻り、また、これに連動して、センターディスプレイ２９の表示も自動的にＡＭ、ＦＭ、ＣＤ、並びに、ＭＤの各モード案内画面に戻る。
【０２６３】
次に、マルチスイッチ部１５のエアコンモード表示状態において、「ＯＦＦ」、「Ａ／Ｃ」、「ＡＵＴＯ」の文字が視認される操作ボタン１５ａ〜１５ｃを押圧操作すると、センターディスプレイ２９のエアコンモード案内画面の内容が、「Ａ／Ｃ」及び「ＡＵＴＯ」の機能のＯＮ／ＯＦＦ切換に応じて変化する。
【０２６４】
これと共に、操作ボタン１５ａ〜１５ｃの部分の視認状態が、今まで白色通常表示であったならば網掛反転表示に変わり、押圧操作されていない操作ボタン１５ａ〜１５ｃの部分の視認状態が、今まで網掛反転表示であったならば白色通常表示に変わるように、液晶ディスプレイ１５ｊの表示が変化する。
【０２６５】
また、マルチスイッチ部１５のエアコンモード表示状態において、「エア循環モード」、「送風モード」、及び、「送風レベル」の文字が視認される操作ボタン１５ｄ，１５ｇ，１５ｈを押圧操作すると、操作ボタン１５ｄ，１５ｇ，１５ｈの操作内容に応じて「エア循環モード」、「送風モード」、及び、「送風レベル」の設定が変更され、液晶ディスプレイ１５ｊの表示はエアコンモード画面のまま変わらないものの、センターディスプレイ２９のエアコンモード案内画面の内容が、変更後の「エア循環モード」、「送風モード」、及び、「送風レベル」の内容に変化する。
【０２６６】
尚、マルチスイッチ部１５のエアコンモード表示状態において、「デフォッガ」のシンボルマークが視認される操作ボタン１５ｅを押圧操作すると、デフォルトモード表示状態の場合と同様に、液晶ディスプレイ１５ｊの表示はエアコンモード画面のまま変わらないものの、操作ボタン１５ｅの部分の視認状態が、今までデフォッガがＯＦＦであればそれまでの白色通常表示からＯＮを示す網掛反転表示に変わり、反対に、今までデフォッガがＯＮであればそれまでの網掛反転表示からＯＦＦを示す白色通常表示に変わる。
【０２６７】
また、マルチスイッチ部１５のエアコンモード表示状態において操作ボタン１５ｅを押圧操作すると、センターディスプレイ２９の表示が、エアコンモード案内画面から、図２３に示す、デフォッガのシンボルマークと変更後のＯＮ／ＯＦＦ状態を示す文字のみの強調表示に一定時間変わり、その経過後、元のエアコンモード案内画面に戻る。
【０２６８】
同じく、マルチスイッチ部１５のエアコンモード表示状態において、「熱線リアウィンドヒータ」のシンボルマークが視認される操作ボタン１５ｆを押圧操作すると、デフォルトモード表示状態の場合と同様に、液晶ディスプレイ１５ｊの表示はエアコンモード画面のまま変わらないものの、操作ボタン１５ｆの部分の視認状態が、今まで熱線リアウィンドヒータがＯＦＦであればそれまでの白色通常表示からＯＮを示す網掛反転表示に変わり、反対に、今まで熱線リアウィンドヒータがＯＮであればそれまでの網掛反転表示からＯＦＦを示す白色通常表示に変わる。
【０２６９】
また、マルチスイッチ部１５のエアコンモード表示状態において操作ボタン１５ｆを押圧操作すると、センターディスプレイ２９の表示が、エアコンモード案内画面から、熱線リアウィンドヒータのシンボルマークと変更後のＯＮ／ＯＦＦ状態を示す文字のみの強調表示に一定時間変わり、その経過後、元のエアコンモード案内画面に戻る。
【０２７０】
このように第１実施形態のスイッチ装置３０によれば、液晶ディスプレイ１５ｊに表示させるモード画面を変化させることにより、マルチスイッチ部１５の操作ボタン１５ａ〜１５ｈに結像される文字やシンボルマークを変更させ、これにより、各操作ボタン１５ａ〜１５ｈに割り当てる機能を切り換えることで、センターコンソール５に配置されるＣＤプレーヤ４０、ＭＤプレーヤ５０、チューナ６０、並びに、エアコン７０の動作内容を、操作ボタン１５ａ〜１５ｈを共用して選択、設定できるようにするに当たり、液晶ディスプレイ１５ｊに表示させたデフォルト画面により操作ボタン１５ａ〜１５ｈに機器選択用の文字やシンボルマークを結像させることにより、ＣＤプレーヤ４０、ＭＤプレーヤ５０、チューナ６０、並びに、エアコン７０のうちいずれについて動作内容の選択、設定を行うのかも、操作ボタン１５ａ〜１５ｈを共用して選択できるようにした。
【０２７１】
このため、ＣＤプレーヤ４０、ＭＤプレーヤ５０、チューナ６０、並びに、エアコン７０の動作内容の選択、設定を、相互に切り換えつつ共通の操作ボタン１５ａ〜１５ｈにより行えるようにするだけでなく、動作内容を選択、設定する対象がＣＤプレーヤ４０、ＭＤプレーヤ５０、チューナ６０、並びに、エアコン７０のいずれかであるかの指定についても、専用の操作ボタンを増やすことなく既存の操作ボタン１５ａ〜１５ｈを用いて行えるようにして、操作ボタンのより一層の多機能化と、それによる操作ボタンの占有スペースの低減化とを、同時に図ることができる。
【０２７２】
尚、動作内容の選択、設定対象機器を指定するために用いる際に操作ボタン１５ａ〜１５ｄ，１５ｇに結像させる文字やシンボルマークに加えて、次に、動作内容を選択、設定するための文字やシンボルマークが操作ボタン１５ａ〜１５ｈに結像されることを予告するための「▲」や「▼」のシンボルマークを、それらの操作ボタン１５ａ〜１５ｄ，１５ｇに結像させるための構成は、省略してもよい。
【０２７３】
しかし、この構成を設ければ、選択、設定可能な動作内容を具体的に知らなくても、まずは対象機器を指定すれば、次に、その対象機器の具体的な動作の選択、設定の選択肢を操作ボタン１５ａ〜１５ｈに視認される文字やシンボルマークで選定することができるようになるので、有利である。
【０２７４】
また、第１実施形態では、操作ボタン１５ａ〜１５ｈに、機器又は機能選択、設定のための文字やシンボルマークのみを結像させる場合について説明したが、例えば、液晶ディスプレイ１５ｊにＭＤモード画面が表示されている際の操作ボタン１５ｂのように、結像させるべき像がなくてブランク状態となった余剰の操作ボタン部分を利用して、文字やシンボルマークが結像されている他の操作ボタンの操作に関連する予備情報を表示させるように構成してもよい。
【０２７５】
さらに、第１実施形態では、液晶ディスプレイ１５ｊにデフォルトモード画面が表示されている状態でボリュームツマミ２５や温度設定ツマミ２７が操作されると、液晶ディスプレイ１５ｊの表示が強制的にＡＭ、ＦＭ、ＣＤ、ＭＤ、並びに、エアコンの各モード画面に切り換わり、マルチスイッチ部１５がＡＭラジオ、ＦＭラジオ、ＣＤ、ＭＤ、並びに、エアコンモードの各表示状態に変わって、ＣＤプレーヤ４０、ＭＤプレーヤ５０、チューナ６０、並びに、エアコン７０のいずれかについての動作内容の選択、設定を行う状態に移行するものとしたが、そのための構成は省略してもよい。
【０２７６】
しかし、この構成を設ければ、例えば、マルチスイッチ部１５のデフォルトモード表示状態において、ＣＤプレーヤ４０、ＭＤプレーヤ５０、及び、チューナ６０に対してしか操作が有効でないボリュームツマミ２５を操作した場合を例に取ると、操作が有効でないエアコン７０のシンボルマークを選択肢として操作ボタン１５ｇに結像、表示させているからといって、ボリュームツマミ２５の操作を無効とせず、むしろ、その操作が有効となるＡＭラジオ、ＦＭラジオ、ＣＤ、並びに、ＭＤの各表示状態にマルチスイッチ部１５を移行させて、ＣＤプレーヤ４０、ＭＤプレーヤ５０、及び、チューナ６０に対する音量調整に関連する操作を引き続き行わせることができるので、有利である。
【０２７７】
また、第１実施形態では、多重バスラインＢＬを介してＣＤプレーヤ４０、ＭＤプレーヤ５０、チューナ６０、並びに、エアコン７０から収集した機器及び機能認識情報を基に、液晶ディスプレイ１５ｊに表示させる各モード画面の内容を決定する構成としたが、そのような構成を省略して、液晶ディスプレイ１５ｊに表示させる各モード画面の内容は予め決定してメモリに格納させておいてもよい。
【０２７８】
しかし、上述したように多重バスラインＢＬを介してＣＤプレーヤ４０、ＭＤプレーヤ５０、チューナ６０、並びに、エアコン７０から機器及び機能認識情報を収集して各モード画面の内容を決定する構成とすれば、スイッチ装置３０を多重バスラインＢＬに接続するだけで、自動車の種類によって搭載されている電装品の内容や機種に相違があっても、その相違に対応した内容でモード画面を設定することができるので、有利である。
【０２７９】
さらに、上述した構成に代えて、外部端末を用いて、或は、モード切換後の操作ボタン１５ａ〜１５ｈやボリュームツマミ２５、温度設定ツマミ２７等の操作により、液晶ディスプレイ１５ｊに表示させる各モード画面の内容を任意に設定可能としてもよく、そのように構成すれば、ＣＤプレーヤ４０、ＭＤプレーヤ５０、チューナ６０、並びに、エアコン７０の動作内容の選択、設定メニューを、ユーザの使い勝手等に合わせて任意に構築できるので、これまた有利である。
【０２８０】
次に、本発明の第２実施形態に係るスイッチ装置の具体的構成について説明する。
【０２８１】
図３９は本発明の第２実施形態に係るスイッチ装置の要部正面図であり、図３９に示すように、第２実施形態のコンビネーションパネル１３Ａは、マルチスイッチ部１５Ａの８つの操作ボタン１５ａ〜１５ｈが、左右２列に４つずつ振り分けて配置されている点において、図４に示す第１実施形態のコンビネーションパネル１３とは構成が異なっている。
【０２８２】
また、第２実施形態のコンビネーションパネル１３Ａは、左側の４つの操作ボタン１５ａ〜１５ｄの下方にオーディオ用のボリュームツマミ２５が配置され、右側の４つの操作ボタン１５ｅ〜１５ｈの下方にエアコン用の温度設定ツマミ２７が配置されて、この温度設定ツマミ２７が環状に形成されていて、温度設定ツマミ２７の内側に座席設定ボタン２８が配置されている点において、図４に示す第１実施形態のコンビネーションパネル１３とは構成が異なっている。
【０２８３】
尚、第２実施形態のコンビネーションパネル１３Ａにおいても、図４中に示した、操作ボタン１５ａ〜１５ｈの押圧操作検出用のリミットスイッチ１６ａ〜１６ｈや、ＣＤスロット１７及びイジェクトボタン１９、ＭＤスロット２１及びイジェクトボタン２３が実際には存在するのであるが、説明及び図面の簡略化のため、図３９においてはその図示を省略している。
【０２８４】
そして、第２実施形態のコンビネーションパネル１３Ａでは、マルチスイッチ部１５Ａの背後の液晶ディスプレイ１５ｊによって、後述する各モード表示による表示像を、マルチスイッチ部１５Ａの各操作ボタン１５ａ〜１５ｈに、それらの正面側から視認可能に結像させるための、各種モード画面の表示が行われる。
【０２８５】
そして、液晶ディスプレイ１５ｊによる各モード画面の表示によって、マルチスイッチ部１５Ａにおいて行われる表示は、図３９に示すデフォルトモード表示の他、ＡＭ／ＦＭラジオモード表示、ＴＶモード表示、ＣＤ及びＭＤを統合したディスクモード表示、カセットモード表示、プリセット操作モード表示、プリセット選局モード表示、エアコンモード表示、並びに、室温調節モード表示等がある。
【０２８６】
このうち、図３９のデフォルトモード表示では、左側の４つの操作ボタン１５ａ〜１５ｄに、「ＴＶ」、「ＤＩＳＫ」、「ＴＡＰＥ」、「ＡＭ／ＦＭ」という選択対象の各機器を示す文字が各々視認され、右側の４つの操作ボタン１５ｅ〜１５ｈに、「デフォッガ」、「熱線リアウィンドヒータ」、「エアコンディショナ」、並びに、「交通情報」という各機能を示すシンボルマークが各々視認されるように、液晶ディスプレイ１５ｊによるデフォルトモード画面の表示が行われる。
【０２８７】
尚、マルチスイッチ部１５Ａにおけるデフォルトモード表示の際の、液晶ディスプレイ１５ｊによるデフォルトモード画面の表示は、右側の４つの操作ボタン１５ｅ〜１５ｈのうち操作ボタン１５ｇを除く他の３つの操作ボタン１５ｅ，１５ｆ，１５ｈにおいて、ＯＮされている機能を示すシンボルマークが網掛反転表示として視認され、ＯＦＦされている機能を示すシンボルマークが白地の通常表示として視認されるように行われる。
【０２８８】
次に、前記ＡＭ／ＦＭラジオモード表示では、図４０にスイッチ装置の要部正面図で示すように、右側の４つの操作ボタン１５ｅ〜１５ｈに、図３９のデフォルトモード表示と同様に、「ＴＶ」、「ＤＩＳＫ」、「ＴＡＰＥ」、「ＡＭ／ＦＭ」という選択対象の各機器を示す文字が各々視認され、かつ、操作ボタン１５ｅにはプリセットされたチャンネルのうち現在選局されているチャンネルのプリセット番号が、操作ボタン１５ｆには「ＣＤ」及び「ＭＤ」のうち選択されている方の機器を示す文字が、操作ボタン１５ｇにはカセットテープの「Ａ」面「Ｂ」面のうち再生面を示す文字が、操作ボタン１５ｈには「ＡＭ」及び「ＦＭ」のうち選択されている方の機器を示す文字が、上述した文字と共に各々視認されるように、液晶ディスプレイ１５ｊによるＡＭ／ＦＭラジオモード画面の表示が行われる。
【０２８９】
また、ＡＭ／ＦＭラジオモード表示では、左側の４つの操作ボタン１５ａ〜１５ｄに、「ＰＲＥＳＥＴ」、「−」と矢印、「＋」と矢印、「プリセット操作」の各文字やキャラクタが各々視認され、かつ、操作ボタン１５ｂ，１５ｃに跨って、「ＡＭ」及び「ＦＭ」のうち選択されている方の受信周波数とが視認されるように、液晶ディスプレイ１５ｊによるＡＭ／ＦＭラジオモード画面の表示が行われる。
【０２９０】
次に、前記ＴＶモード表示では、図示を省略するものの、図４０のＡＭ／ＦＭラジオモード画面の表示内容において、「ＡＭ」及び「ＦＭ」のうち選択されている方の受信周波数に代えて、現在選局されているチャンネルの番号が、操作ボタン１５ｂ，１５ｃに跨って、操作ボタン１５ｂの「−」とその矢印のキャラクタや、操作ボタン１５ｃの「＋」とその矢印のキャラクタと共に視認されるように、液晶ディスプレイ１５ｊによるＴＶモード画面の表示が行われる。
【０２９１】
次に、前記ディスクモード表示では、図示を省略するものの、図４０のＡＭ／ＦＭラジオモード画面の表示内容において、「ＡＭ」及び「ＦＭ」のうち選択されている方の受信周波数に代えて、「ＣＤ」又は「ＭＤ」のうち選択された方の再生中のトラック番号や曲毎の再生時間が、操作ボタン１５ｂ，１５ｃに跨って、操作ボタン１５ｂの「−」とその矢印のキャラクタや、操作ボタン１５ｃの「＋」とその矢印のキャラクタと共に視認されるように、液晶ディスプレイ１５ｊによるディスクモード画面の表示が行われる。
【０２９２】
次に、前記カセットモード表示では、図示を省略するものの、図４０のＡＭ／ＦＭラジオモード画面の表示内容において、「ＰＲＥＳＥＴ」の文字に代えて、巻き戻しを示す「＜＜」のキャラクタが操作ボタン１５ａに視認されると共に、「プリセット操作」の文字に代えて、早送りを示す「＞＞」のキャラクタが操作ボタン１５ｄに視認され、かつ、「ＡＭ」及び「ＦＭ」のうち選択されている方の受信周波数に代えて、カセットデッキの動作状態を示す「ＰＬＡＹ」や「ＦＦ」、「ＲＥＷ」、「ＳＫＩＰ」等の文字が、操作ボタン１５ｂ，１５ｃに跨って、操作ボタン１５ｂの矢印のキャラクタや、操作ボタン１５ｃの矢印のキャラクタと共に視認されるように、液晶ディスプレイ１５ｊによるカセットモード画面の表示が行われる。
【０２９３】
尚、液晶ディスプレイ１５ｊによるカセットモード画面においては、操作ボタン１５ｂの「−」の文字や操作ボタン１５ｃの「＋」の文字の表示は省略される。
【０２９４】
また、マルチスイッチ部１５ＡにおけるＡＭ／ＦＭラジオモード表示やＴＶモード表示、ディスクモード表示、並びに、カセットモード表示の際の、液晶ディスプレイ１５ｊによるＡＭ／ＦＭラジオ画面やＴＶモード画面、ディスクモード画面、並びに、カセットモード画面の表示は、例えば図４０に示すように、左側の２つの操作ボタン１５ｂ，１５ｃの部分や、右側の４つのうち現在選択されてい機器に対応する操作ボタン１５ｅ〜１５ｈの部分において、文字及びキャラクタが網掛反転表示として視認され、他の操作ボタン１５ａ〜１５ｈの部分において、文字及びキャラクタが白地の通常表示として視認されるように行われる。
【０２９５】
次に、前記プリセット操作モード表示では、図４１に説明図で示すように、操作ボタン１５ａ〜１５ｃ，１５ｅ〜１５ｇに、「１」〜「６」のプリセット番号と、各プリセット番号に対応するプリセットされた受信周波数や選局チャンネルとが各々視認され、かつ、操作ボタン１５ｄに「戻る」の文字が、操作ボタン１５ｈに「ＡＵＴＯ  ＰＲＥＳＥＴ」の文字が各々視認されるように、液晶ディスプレイ１５ｊによるプリセット操作モード画面の表示が行われる。
【０２９６】
次に、前記プリセット選局モード表示では、図示を省略するものの、図４１のプリセット操作モード画面の表示内容において、「ＡＵＴＯ  ＰＲＥＳＥＴ」の文字の表示を省略し、操作ボタン１５ｈがブランク状態と視認されるように、液晶ディスプレイ１５ｊによるプリセット選局モード画面の表示が行われる。
【０２９７】
次に、前記エアコンモード表示では、図４２にスイッチ装置の要部正面図で示すように、左側の４つの操作ボタン１５ａ〜１５ｄのうち一番左側の操作ボタン１５ａに、「ＯＦＦ」という状態を示す文字が視認されると共に、中央２つの操作ボタン１５ｂ，１５ｃに、「Ａ／Ｃ（マニュアル）」及び「ＡＵＴＯ」という各機能を示す文字が各々視認されるように、液晶ディスプレイ１５ｊによるエアコンモード画面の表示が行われる。
【０２９８】
これに加えて、マルチスイッチ部１５Ａにおけるエアコンモード表示では、左側の４つの操作ボタン１５ａ〜１５ｄのうち一番右側の操作ボタン１５ｄと、右側の４つの操作ボタン１５ｅ〜１５ｈに、「エア循環モード」、「デフォッガ」、「熱線リアウィンドヒータ」、「送風モード」、並びに、「送風レベル」の各機能を示すシンボルマークが各々視認されるように、液晶ディスプレイ１５ｊによるエアコンモード画面の表示が行われる。
【０２９９】
尚、マルチスイッチ部１５Ａにおけるエアコンモード表示の際の、液晶ディスプレイ１５ｊによるエアコンモード画面の表示は、左側の２つの操作ボタン１５ｂ，１５ｃや右側の２つの操作ボタン１５ｅ，１５ｆにおいて、ＯＮされている機能を示すシンボルマークが網掛反転表示として視認され、ＯＮされていない機能を示すシンボルマークが白地の通常表示として視認されるように行われる。
【０３００】
また、第１実施形態のコンビネーションパネル１３のマルチスイッチ部１５におけるエアコンモード表示の際と同様に、マルチスイッチ部１５Ａにおけるエアコンモード表示の際の、液晶ディスプレイ１５ｊによるエアコンモード画面の表示は、「送風モード」の設定が変わる度に、操作ボタン１５ｄにおいて視認される「エア循環モード」の機能を示すシンボルマークが、図１０に示すように、「循環」と「換気」との各シンボルマーク間で交互に変化し、「送風モード」の設定が変わる度に、操作ボタン１５ｇにおいて視認される「送風モード」の機能を示すシンボルマークが、図１１に示すように、「送風なし」、「頭部のみ」、「頭部及び足部」、「足部のみ」、「足部のみ（デフォッガ込み）」、「頭部及び足部（デフォッガ込み）」、並びに、「送風なし」、…の順に変化するように行われる。
【０３０１】
さらに、第１実施形態のコンビネーションパネル１３のマルチスイッチ部１５におけるエアコンモード表示の際と同様に、マルチスイッチ部１５Ａにおけるエアコンモード表示の際の、液晶ディスプレイ１５ｊによるエアコンモード画面の表示は、「送風レベル」の設定が変わる度に、操作ボタン１５ｈにおいて視認される「送風レベル」の機能を示すシンボルマークが、図１２に示すように、「送風量＝０」から「送風量＝５（最大）」まで順に変化するように行われる。
【０３０２】
次に、前記室温調節モード表示では、図４３にスイッチ装置の要部正面図で示し、かつ、図４４（ａ）及び図４５（ａ）に説明図で示すように、図４０中の操作ボタン１５ａにおける「ＰＲＥＳＥＴ」の文字に代えて、「運転席」、「連動」（運転席＋助手席）、「助手席」のうち選択された温度調節エリアを示す文字が操作ボタン１５ａにおいて視認され、かつ、操作ボタン１５ｂ〜１５ｄにおける各文字やキャラクタに代えて、現在設定されている温度を示す文字が操作ボタン１５ｂ〜１５ｄにおいて視認されるように、液晶ディスプレイ１５ｊによる室温調節モード画面の表示が行われる。
【０３０３】
尚、マルチスイッチ部１５Ａにおける室温調節モード表示の際の、液晶ディスプレイ１５ｊによる室温調節モード画面の表示は、室温調節エリアの選択が変わる度に、操作ボタン１５ａにおいて視認される選択された温度調節エリアを示す文字が、図４３に示す「運転席」、図４４（ａ）に示す「連動」、図４５（ａ）に示す「助手席」、並びに、図４３に示す「運転席」、…の順に変化するように行われる。
【０３０４】
前記座席設定ボタン２８は、前記マルチスイッチ部１５Ａと共に本発明の第２実施形態に係るスイッチ装置を構成するもので、座席設定ボタン２８の背後に配置された図３９中不図示の液晶ディスプレイ１５ｋによる表示像の像光が直接背後から照射された際に、座席設定ボタン２８の背面に各々結像された表示像部分を正面側から視認できるように、透光性を有する部材により形成されている。
【０３０５】
尚、液晶ディスプレイ１５ｋは、座席設定ボタン２８の背後に配置されたものに限らず、例えば、センターコンソール５内の任意の箇所に配置されたものであってもよく、その場合には、液晶ディスプレイ１５ｋによる表示像の像光を、導光手段（図示せず）を用いて座席設定ボタン２８の背後に導けばよいことになる。
【０３０６】
また、座席設定ボタン２８の背後には、この座席設定ボタン２８の押圧操作を検出するリミットスイッチ１６ｊ（図３９中図示せず）が、液晶ディスプレイ１５ｋからの像光と緩衝しないように配置されている。
【０３０７】
そして、液晶ディスプレイ１５ｋによる表示は、操作ボタン１５ａにおける表示と同様に、室温調節エリアの選択が変わる度に、座席設定ボタン２８において視認される文字が、図４３（ｂ）に示す「運転席」、図４４（ｂ）に示す「連動」、図４５（ｂ）に示す「助手席」、並びに、図４３（ｂ）に示す「運転席」、…の順に変化するように行われる。
【０３０８】
次に、第２実施形態に係るスイッチ装置の電気的な概略構成を、具体的に説明する。
【０３０９】
第２実施形態のスイッチ装置３０Ａは、図４６に電気的な概略構成のブロック図で示すように、上述した液晶ディスプレイ１５ｊ，１５ｋの表示を制御するマイコン３３を有している。
【０３１０】
前記マイコン３３は、ＣＰＵ３３ａと、ＲＡＭ３３ｂと、ＲＯＭ３３ｃとで構成されており、このうち、ＣＰＵ３３ａには、ＣＤプレーヤ４０、ＭＤプレーヤ５０、ＡＭ／ＦＭチューナ６０、ＴＶチューナ６５、エアコン７０、並びに、カセットプレーヤ８０が各々接続されていると共に、リミットスイッチ１６ａ〜１６ｊ、液晶ディスプレイ１５ｊ，１５ｋ、ボリュームツマミ２５の回転操作に応じて出力が変化するボリュームスイッチ２５ａ、並びに、温度設定ツマミ２７の回転操作に応じて出力が変化する温度設定スイッチ２７ａが各々接続されている。
【０３１１】
また、前記ＲＡＭ３３ｂには、データエリア及び各種処理作業に用いるワークエリアが設けられていて、このうちワークエリアには、各種フラグやバッファのために用いるエリア等が設けられており、前記ＲＯＭ３３ｃには、ＣＰＵ３３ａに各種処理動作を行わせるための制御プログラムが格納されている。
【０３１２】
次に、前記ＲＯＭ３３ｃに格納された制御プログラムに従いＣＰＵ３３ａが行う処理を、図４７乃至図５７のフローチャートを参照して説明する。
【０３１３】
不図示のアクセサリスイッチのＯＮにより、自動車に搭載された不図示のバッテリ等からの給電を受けてマイコン３３が起動しプログラムがスタートすると、ＣＰＵ３３ａは、図４７に示すように、まず、ＲＡＭ３３ｂの各種フラグエリアのフラグを「０」に設定する等の初期設定を行う（ステップＳＡ１）。
【０３１４】
ステップＳＡ１の初期設定が済んだならば、次に、液晶ディスプレイ１５ｊにデフォルトモード画面を表示させるデフォルト処理を行い（ステップＳＡ３）、次に、リミットスイッチ１６ａ〜１６ｈの出力を基に、各操作ボタン１５ａ〜１５ｈが操作されたか否かを確認する（ステップＳＡ５）。
【０３１５】
各操作ボタン１５ａ〜１５ｈがいずれも操作されていない場合は（ステップＳＡ５でＮ）、後述するステップＳＡ３５に進み、操作された場合は（ステップＳＡ５でＹ）、操作されたのがＴＶチューナ６５の選択機能を割り当てた操作ボタン１５ａであるか否かを確認し（ステップＳＡ７）、操作ボタン１５ａである場合は（ステップＳＡ７でＹ）、ＲＡＭ３１ｂのＴＶフラグエリアのフラグＦＡ１を「１」に設定すると共に、ＲＡＭ３１ｂのディスクフラグエリアのフラグＦＡ３、カセットフラグエリアのフラグＦＡ５、及び、ラジオフラグエリアのフラグＦＡ７をいずれも「０」に設定した後（ステップＳＡ９）、後述するステップＳＡ４９に進む。
【０３１６】
一方、ステップＳＡ７において操作されたのが操作ボタン１５ａでない場合（Ｎ）は、操作されたのがＣＤプレーヤ４０及びＭＤプレーヤ５０の選択機能を割り当てた操作ボタン１５ｂであるか否かを確認し（ステップＳＡ１１）、操作ボタン１５ｂである場合は（ステップＳＡ１１でＹ）、ディスクフラグＦＡ３を「１」に設定すると共に、ＴＶフラグＦＡ１、カセットフラグＦＡ５、及び、ラジオフラグＦＡ７をいずれも「０」に設定した後（ステップＳＡ１３）、後述するステップＳＡ７７に進み、操作されたのが操作ボタン１５ｂでない場合は（ステップＳＡ１１でＮ）、操作されたのがカセットプレーヤ８０の選択機能を割り当てた操作ボタン１５ｃであるか否かを確認する（ステップＳＡ１５）。
【０３１７】
操作ボタン１５ｃである場合は（ステップＳＡ１５でＹ）、カセットフラグＦＡ５を「１」に設定すると共に、ＴＶフラグＦＡ１、ディスクフラグＦＡ３、及び、ラジオフラグＦＡ７をいずれも「０」に設定した後（ステップＳＡ１７）、後述するステップＳＡ１０７に進み、操作ボタン１５ｃでない場合は（ステップＳＡ１５でＮ）、図４８に示すように、操作されたのがＡＭ／ＦＭチューナ６０の選択機能を割り当てた操作ボタン１５ｄであるか否かを確認する（ステップＳＡ１９）。
【０３１８】
操作ボタン１５ｄである場合は（ステップＳＡ１９でＹ）、ラジオフラグＦＡ７を「１」に設定すると共に、ＴＶフラグＦＡ１、ディスクフラグＦＡ３、及び、カセットフラグＦＡ５をいずれも「０」に設定した後（ステップＳＡ２１）、後述するステップＳＡ１３７に進み、操作ボタン１５ｄでない場合は（ステップＳＡ１９でＮ）、操作されたのがデフォッガのＯＮ／ＯＦＦ切換機能を割り当てた操作ボタン１５ｅであるか否かを確認する（ステップＳＡ２３）。
【０３１９】
操作されたのが操作ボタン１５ｅである場合は（ステップＳＡ２３でＹ）、液晶ディスプレイ１５ｊのデフォルトモード画面の表示内容を、操作ボタン１５ｅに結像される部分が網掛反転表示と白地の通常表示とのうち一方から他方に変わるように更新した後（ステップＳＡ２５）、ステップＳＡ５にリターンし、操作ボタン１５ｅでない場合は（ステップＳＡ２３でＮ）、熱線リアウィンドヒータのＯＮ／ＯＦＦ切換機能を割り当てた操作ボタン１５ｆであるか否かを確認する（ステップＳＡ２７）。
【０３２０】
操作されたのが操作ボタン１５ｆである場合は（ステップＳＡ２７でＹ）、液晶ディスプレイ１５ｊのデフォルトモード画面の表示内容を、操作ボタン１５ｆに結像される部分が網掛反転表示と白地の通常表示とのうち一方から他方に変わるように更新した後（ステップＳＡ２９）、ステップＳＡ５にリターンし、操作ボタン１５ｆでない場合は（ステップＳＡ２７でＮ）、操作されたのがエアコン７０の選択機能を割り当てた操作ボタン１５ｇであるか否かを確認する（ステップＳＡ３１）。
【０３２１】
操作されたのが操作ボタン１５ｇでない場合は（ステップＳＡ３１でＮ）、液晶ディスプレイ１５ｊのデフォルトモード画面の表示内容を、操作ボタン１５ｈに結像される部分が網掛反転表示と白地の通常表示とのうち一方から他方に変わるように更新した後（ステップＳＡ３３）、ステップＳＡ５にリターンし、操作ボタン１５ｇである場合は（ステップＳＡ３１でＹ）、後述するステップＳＡ２３９に進む。
【０３２２】
また、ステップＳＡ５において各操作ボタン１５ａ〜１５ｈがいずれも操作されていない場合（Ｎ）に進むステップＳＡ３５では、図４７に示すように、ボリュームスイッチ２５ａの出力を基にボリュームツマミ２５が回転操作されたか否かを確認し、回転操作された場合は（ステップＳＡ３５でＹ）、後述するステップＳＡ４１に進み、回転操作されていない場合は（ステップＳＡ３５でＮ）、温度設定スイッチ２７ａの出力を基に温度設定ツマミ２７が回転操作されたか否かを確認する（ステップＳＡ３７）。
【０３２３】
温度設定ツマミ２７が回転操作された場合は（ステップＳＡ３７でＹ）、後述するステップＳＡ２８９に進み、回転操作されていない場合は（ステップＳＡ３７でＮ）、リミットスイッチ１６ｊの出力を基に、座席設定ボタン２８が操作されたか否かを確認する（ステップＳＡ３９）。
【０３２４】
座席設定ボタン２８が操作された場合は（ステップＳＡ３９でＹ）、後述するステップＳＡ２９５に進み、操作されていない場合は（ステップＳＡ３９でＮ）、ステップＳＡ５にリターンする。
【０３２５】
また、ステップＳＡ３９においてボリュームツマミ２５が回転操作された場合（Ｙ）に進むステップＳＡ４１では、図４９に示すように、ＴＶフラグＦＡ１が「０」であるか否かを確認し、「０」でない場合は（ステップＳＡ４１でＮ）、ステップＳＡ４７に進み、「０」である場合は（ステップＳＡ４１でＹ）、ディスクフラグＦＡ３が「０」であるか否かを確認する（ステップＳＡ４３）。
【０３２６】
ＦＭフラグＦＡ３が「０」でない場合は（ステップＳＡ４３でＮ）、ステップＳＡ７７に進み、「０」である場合は（ステップＳＡ４３でＹ）、カセットフラグＦＡ５が「０」であるか否かを確認し（ステップＳＡ４５）、「０」でない場合は（ステップＳＡ４５でＮ）、ステップＳＡ１０７に進み、「０」である場合は（ステップＳＡ４５でＹ）、ステップＳＡ１３７に進む。
【０３２７】
ステップＳＡ９においてＴＶフラグＦＡ１を「１」に設定すると共に、ディスクフラグＦＡ３、カセットフラグＦＡ５、及び、ラジオフラグＦＡ７をいずれも「０」に設定した後と、ステップＳＡ４１においてＴＶフラグＦＡ１が「０」でない場合（Ｎ）とに各々進むステップＳＡ４７では、図５０に示すように、液晶ディスプレイ１５ｊにＴＶモード画面を表示させるＴＶモード表示処理を行う。
【０３２８】
続いて、ＲＡＭ３１ｂのタイマエリアにおけるタイムカウントを開始し（ステップＳＡ４９）、その後、リミットスイッチ１６ａ〜１６ｈの出力を基に、各操作ボタン１５ａ〜１５ｈが操作されたか否かを確認する（ステップＳＡ５１）。
【０３２９】
各操作ボタン１５ａ〜１５ｈが操作された場合は（ステップＳＡ５１でＹ）、後述するステップＳＡ５７に進み、いずれも操作されていない場合は（ステップＳＡ５１でＮ）、タイマエリアのタイマ値Ｔ１が所定のタイムアップ値Ｔ１MAX に達したか否かを確認する（ステップＳＡ５３）。
【０３３０】
タイマ値Ｔ１がタイムアップ値Ｔ１MAX に達していない場合は（ステップＳＡ５３でＮ）、ステップＳＡ５１にリターンし、達した場合は（ステップＳＡ５３でＹ）、タイマによるタイムカウントを終了すると共にそのタイマ値Ｔ１をゼロリセットする等の復帰処理を行った後（ステップＳＡ５５）、ステップＳＡ３にリターンする。
【０３３１】
ステップＳＡ５１において各操作ボタン１５ａ〜１５ｈが操作された場合（Ｙ）に進むステップＳＡ５７では、操作されたのがＣＤプレーヤ４０及びＭＤプレーヤ５０の選択機能を割り当てた操作ボタン１５ｆであるか否かを確認し、操作ボタン１５ｆである場合は（ステップＳＡ５７でＹ）、タイマによるタイムカウントを終了すると共にそのタイマ値Ｔ１をゼロリセットし（ステップＳＡ５９）、続いて、ディスクフラグＦＡ３を「１」に設定すると共にＴＶフラグＦＡ１を「０」に設定した後（ステップＳＡ６１）、ステップＳＡ７７に進む。
【０３３２】
一方、ステップＳＡ５７において操作されたのが操作ボタン１５ｆでない場合（Ｎ）は、操作されたのがカセットプレーヤ８０の選択機能を割り当てた操作ボタン１５ｇであるか否かを確認し（ステップＳＡ６３）、操作ボタン１５ｇである場合は（ステップＳＡ６３でＹ）、タイマによるタイムカウントを終了すると共にそのタイマ値Ｔ１をゼロリセットし（ステップＳＡ６５）、続いて、カセットフラグＦＡ５を「１」に設定すると共にＴＶフラグＦＡ１を「０」に設定した後（ステップＳＡ６７）、ステップＳＡ１０７に進む。
【０３３３】
さらに、ステップＳＡ６３において操作されたのが操作ボタン１５ｇでない場合（Ｎ）は、操作されたのがＡＭ／ＦＭチューナ６０の選択機能を割り当てた操作ボタン１５ｈであるか否かを確認し（ステップＳＡ６９）、操作ボタン１５ｈである場合は（ステップＳＡ６９でＹ）、タイマによるタイムカウントを終了すると共にそのタイマ値Ｔ１をゼロリセットし（ステップＳＡ７１）、続いて、ラジオフラグＦＡ７を「１」に設定すると共にＴＶフラグＦＡ１を「０」に設定した後（ステップＳＡ７３）、ステップＳＡ１３７に進む。
【０３３４】
一方、ステップＳＡ６９において操作されたのが操作ボタン１５ｈでない場合（Ｎ）は、リミットスイッチ１６ａ〜１６ｅの出力を基に識別される、操作ボタン１５ａ〜１５ｅのいずれが操作されたかの結果によって、その操作された操作ボタン１５ａ〜１５ｅに対応した処理を行った後（ステップＳＡ７５）、ステップＳＡ５１にリターンする。
【０３３５】
ステップＳＡ１３においてディスクフラグＦＡ３を「１」に設定すると共に、ＴＶフラグＦＡ１、カセットフラグＦＡ５、及び、ラジオフラグＦＡ７をいずれも「０」に設定した後と、ステップＳＡ４３においてディスクフラグＦＡ３が「０」でない場合（Ｎ）とに各々進むステップＳＡ７７では、図５１に示すように、液晶ディスプレイ１５ｊにディスクモード画面を表示させるディスクモード表示処理を行う。
【０３３６】
続いて、ＲＡＭ３１ｂのタイマエリアにおけるタイムカウントを開始し（ステップＳＡ７９）、その後、リミットスイッチ１６ａ〜１６ｈの出力を基に、各操作ボタン１５ａ〜１５ｈが操作されたか否かを確認する（ステップＳＡ８１）。
【０３３７】
各操作ボタン１５ａ〜１５ｈが操作された場合は（ステップＳＡ８１でＹ）、後述するステップＳＡ８７に進み、いずれも操作されていない場合は（ステップＳＡ８１でＮ）、タイマエリアのタイマ値Ｔ１が所定のタイムアップ値Ｔ１MAX に達したか否かを確認する（ステップＳＡ８３）。
【０３３８】
タイマ値Ｔ１がタイムアップ値Ｔ１MAX に達していない場合は（ステップＳＡ８３でＮ）、ステップＳＡ８１にリターンし、達した場合は（ステップＳＡ８３でＹ）、タイマによるタイムカウントを終了すると共にそのタイマ値Ｔ１をゼロリセットする等の復帰処理を行った後（ステップＳＡ８５）、ステップＳＡ３にリターンする。
【０３３９】
ステップＳＡ８１において各操作ボタン１５ａ〜１５ｈが操作された場合（Ｙ）に進むステップＳＡ８７では、操作されたのがＴＶチューナ６５の選択機能を割り当てた操作ボタン１５ｅであるか否かを確認し、操作ボタン１５ｅである場合は（ステップＳＡ８７でＹ）、タイマによるタイムカウントを終了すると共にそのタイマ値Ｔ１をゼロリセットし（ステップＳＡ８９）、続いて、ＴＶフラグＦＡ１を「１」に設定すると共にディスクフラグＦＡ３を「０」に設定した後（ステップＳＡ９１）、ステップＳＡ４７にリターンする。
【０３４０】
一方、ステップＳＡ８７において操作されたのが操作ボタン１５ｅでない場合（Ｎ）は、操作されたのがカセットプレーヤ８０の選択機能を割り当てた操作ボタン１５ｇであるか否かを確認し（ステップＳＡ９３）、操作ボタン１５ｇである場合は（ステップＳＡ９３でＹ）、タイマによるタイムカウントを終了すると共にそのタイマ値Ｔ１をゼロリセットし（ステップＳＡ９５）、続いて、カセットフラグＦＡ５を「１」に設定すると共にディスクフラグＦＡ３を「０」に設定した後（ステップＳＡ９７）、ステップＳＡ１０７に進む。
【０３４１】
さらに、ステップＳＡ９３において操作されたのが操作ボタン１５ｇでない場合（Ｎ）は、操作されたのがＡＭ／ＦＭチューナ６０の選択機能を割り当てた操作ボタン１５ｈであるか否かを確認し（ステップＳＡ９９）、操作ボタン１５ｈである場合は（ステップＳＡ９９でＹ）、タイマによるタイムカウントを終了すると共にそのタイマ値Ｔ１をゼロリセットし（ステップＳＡ１０１）、続いて、ラジオフラグＦＡ７を「１」に設定すると共にディスクフラグＦＡ３を「０」に設定した後（ステップＳＡ１０３）、ステップＳＡ１３７に進む。
【０３４２】
一方、ステップＳＡ９９において操作されたのが操作ボタン１５ｈでない場合（Ｎ）は、リミットスイッチ１６ａ〜１６ｄ，１６ｆの出力を基に識別される、操作ボタン１５ａ〜１５ｄ，１５ｆのいずれが操作されたかの結果によって、その操作された操作ボタン１５ａ〜１５ｄ，１５ｆに対応した処理を行った後（ステップＳＡ１０５）、ステップＳＡ８１にリターンする。
【０３４３】
ステップＳＡ１７においてカセットフラグＦＡ５を「１」に設定すると共に、ＴＶフラグＦＡ１、ディスクフラグＦＡ３、及び、ラジオフラグＦＡ７をいずれも「０」に設定した後と、ステップＳＡ４５においてカセットフラグＦＡ５が「０」でない場合（Ｎ）とに各々進むステップＳＡ１０７では、図５２に示すように、液晶ディスプレイ１５ｊにカセットモード画面を表示させるカセットモード表示処理を行う。
【０３４４】
続いて、ＲＡＭ３１ｂのタイマエリアにおけるタイムカウントを開始し（ステップＳＡ１０９）、その後、リミットスイッチ１６ａ〜１６ｈの出力を基に、各操作ボタン１５ａ〜１５ｈが操作されたか否かを確認する（ステップＳＡ１１１）。
【０３４５】
各操作ボタン１５ａ〜１５ｈが操作された場合は（ステップＳＡ１１１でＹ）、後述するステップＳＡ１１７に進み、いずれも操作されていない場合は（ステップＳＡ１１１でＮ）、タイマエリアのタイマ値Ｔ１が所定のタイムアップ値Ｔ１MAX に達したか否かを確認する（ステップＳＡ１１３）。
【０３４６】
タイマ値Ｔ１がタイムアップ値Ｔ１MAX に達していない場合は（ステップＳＡ１１３でＮ）、ステップＳＡ１１１にリターンし、達した場合は（ステップＳＡ１１３でＹ）、タイマによるタイムカウントを終了すると共にそのタイマ値Ｔ１をゼロリセットする等の復帰処理を行った後（ステップＳＡ１１５）、ステップＳＡ３にリターンする。
【０３４７】
ステップＳＡ１１１において各操作ボタン１５ａ〜１５ｈが操作された場合（Ｙ）に進むステップＳＡ１１７では、操作されたのがＴＶチューナ６５の選択機能を割り当てた操作ボタン１５ｅであるか否かを確認し、操作ボタン１５ｅである場合は（ステップＳＡ１１７でＹ）、タイマによるタイムカウントを終了すると共にそのタイマ値Ｔ１をゼロリセットし（ステップＳＡ１１９）、続いて、ＴＶフラグＦＡ１を「１」に設定すると共にカセットフラグＦＡ５を「０」に設定した後（ステップＳＡ１２１）、ステップＳＡ４７にリターンする。
【０３４８】
一方、ステップＳＡ１１７において操作されたのが操作ボタン１５ｅでない場合（Ｎ）は、操作されたのがＣＤプレーヤ４０及びＭＤプレーヤ５０の選択機能を割り当てた操作ボタン１５ｆであるか否かを確認し（ステップＳＡ１２３）、操作ボタン１５ｆである場合は（ステップＳＡ１２３でＹ）、タイマによるタイムカウントを終了すると共にそのタイマ値Ｔ１をゼロリセットし（ステップＳＡ１２５）、続いて、ディスクフラグＦＡ３を「１」に設定すると共にカセットフラグＦＡ５を「０」に設定した後（ステップＳＡ１２７）、ステップＳＡ１０７にリターンする。
【０３４９】
さらに、ステップＳＡ１２３において操作されたのが操作ボタン１５ｆでない場合（Ｎ）は、操作されたのがＡＭ／ＦＭチューナ６０の選択機能を割り当てた操作ボタン１５ｈであるか否かを確認し（ステップＳＡ１２９）、操作ボタン１５ｈである場合は（ステップＳＡ１２９でＹ）、タイマによるタイムカウントを終了すると共にそのタイマ値Ｔ１をゼロリセットし（ステップＳＡ１３１）、続いて、ラジオフラグＦＡ７を「１」に設定すると共にカセットフラグＦＡ５を「０」に設定した後（ステップＳＡ１３３）、ステップＳＡ１３７に進む。
【０３５０】
一方、ステップＳＡ１２９において操作されたのが操作ボタン１５ｈでない場合（Ｎ）は、リミットスイッチ１６ａ〜１６ｄ，１６ｇの出力を基に識別される、操作ボタン１５ａ〜１５ｄ，１５ｇのいずれが操作されたかの結果によって、その操作された操作ボタン１５ａ〜１５ｄ，１５ｇに対応した処理を行った後（ステップＳＡ１３５）、ステップＳＡ１１１にリターンする。
【０３５１】
ステップＳＡ２１においてラジオフラグＦＡ７を「１」に設定すると共に、ＴＶフラグＦＡ１、ディスクフラグＦＡ３、及び、カセットフラグＦＡ５をいずれも「０」に設定した後と、ステップＳＡ４５においてカセットフラグＦＡ５が「０」である場合（Ｙ）とに各々進むステップＳＡ１３７では、図５３に示すように、液晶ディスプレイ１５ｊにＡＭ／ＦＭラジオモード画面を表示させるＡＭ／ＦＭラジオ表示処理を行う。
【０３５２】
続いて、ＲＡＭ３１ｂのタイマエリアにおけるタイムカウントを開始し（ステップＳＡ１３９）、その後、リミットスイッチ１６ａ〜１６ｈの出力を基に、各操作ボタン１５ａ〜１５ｈが操作されたか否かを確認する（ステップＳＡ１４１）。
【０３５３】
各操作ボタン１５ａ〜１５ｈが操作された場合は（ステップＳＡ１４１でＹ）、後述するステップＳＡ１４７に進み、いずれも操作されていない場合は（ステップＳＡ１４１でＮ）、タイマエリアのタイマ値Ｔ１が所定のタイムアップ値Ｔ１MAX に達したか否かを確認する（ステップＳＡ１４３）。
【０３５４】
タイマ値Ｔ１がタイムアップ値Ｔ１MAX に達していない場合は（ステップＳＡ１４３でＮ）、ステップＳＡ１４１にリターンし、達した場合は（ステップＳＡ１４３でＹ）、タイマによるタイムカウントを終了すると共にそのタイマ値Ｔ１をゼロリセットした後（ステップＳＡ１４５）、ステップＳＡ３にリターンする。
【０３５５】
ステップＳＡ１４１において各操作ボタン１５ａ〜１５ｈが操作された場合（Ｙ）に進むステップＳＡ１４７では、操作されたのがＴＶチューナ６５の選択機能を割り当てた操作ボタン１５ｅであるか否かを確認し、操作ボタン１５ｅである場合は（ステップＳＡ１４７でＹ）、タイマによるタイムカウントを終了すると共にそのタイマ値Ｔ１をゼロリセットし（ステップＳＡ１４９）、続いて、ＴＶフラグＦＡ１を「１」に設定すると共にラジオフラグＦＡ７を「０」に設定した後（ステップＳＡ１５１）、ステップＳＡ４７にリターンする。
【０３５６】
一方、ステップＳＡ１４７において操作されたのが操作ボタン１５ｅでない場合（Ｎ）は、操作されたのがＣＤプレーヤ４０及びＭＤプレーヤ５０の選択機能を割り当てた操作ボタン１５ｆであるか否かを確認し（ステップＳＡ１５３）、操作ボタン１５ｆである場合は（ステップＳＡ１５３でＹ）、タイマによるタイムカウントを終了すると共にそのタイマ値Ｔ１をゼロリセットし（ステップＳＡ１５５）、続いて、ディスクフラグＦＡ３を「１」に設定すると共にラジオフラグＦＡ７を「０」に設定した後（ステップＳＡ１５７）、ステップＳＡ１０７にリターンする。
【０３５７】
さらに、ステップＳＡ１５３において操作されたのが操作ボタン１５ｆでない場合（Ｎ）は、操作されたのがカセットプレーヤ８０の選択機能を割り当てた操作ボタン１５ｇであるか否かを確認し（ステップＳＡ１５９）、操作ボタン１５ｇである場合は（ステップＳＡ１５９でＹ）、タイマによるタイムカウントを終了すると共にそのタイマ値Ｔ１をゼロリセットし（ステップＳＡ１６１）、続いて、カセットフラグＦＡ５を「１」に設定すると共にラジオフラグＦＡ７を「０」に設定した後（ステップＳＡ１６３）、ステップＳＡ１０７にリターンする。
【０３５８】
ステップＳＡ１５９において操作されたのが操作ボタン１５ｇでない場合（Ｎ）は、操作されたのがＡＭ／ＦＭチューナ６０の選択機能を割り当てた操作ボタン１５ｈであるか否かを確認し（ステップＳＡ１６５）、操作ボタン１５ｈである場合は（ステップＳＡ１６５でＹ）、液晶ディスプレイ１５ｊに表示させるＡＭ／ＦＭラジオモード画面の内容をＡＭとＦＭとのうち現在選局されている方から選局されていない方に切り換え（ステップＳＡ１６７）、続いて、タイマ値Ｔ１をゼロリセットした後（ステップＳＡ１６９）、ステップＳＡ１４１にリターンする。
【０３５９】
ステップＳＡ１６５において操作されたのが操作ボタン１５ｈでない場合（Ｎ）は、操作されたのが受信周波数の増減機能を割り当てた操作ボタン１５ｂ，１５ｃであるか否かを確認し（ステップＳＡ１７１）、操作ボタン１５ｂ，１５ｃである場合は（ステップＳＡ１７１でＹ）、操作ボタン１５ｂ，１５ｃの操作内容に応じて液晶ディスプレイ１５ｊに表示させるＡＭ／ＦＭラジオモード画面の内容を更新させ（ステップＳＡ１７３）、続いて、タイマ値Ｔ１をゼロリセットした後（ステップＳＡ１７５）、ステップＳＡ１４１にリターンする。
【０３６０】
さらに、ステップＳＡ１７１において操作されたのが操作ボタン１５ｂ，１５ｃでない場合（Ｎ）は、操作されたのがプリセット局の呼び出し機能を割り当てた操作ボタン１５ａであるか否かを確認し（ステップＳＡ１７７）、操作ボタン１５ａである場合は（ステップＳＡ１７７でＹ）、タイマによるタイムカウントを終了すると共にそのタイマ値Ｔ１をゼロリセットした後（ステップＳＡ１７９）、後述するステップＳＡ１８３に進む。
【０３６１】
一方、ステップＳＡ１７９において操作されたのが操作ボタン１５ａでない場合（Ｎ）は、タイマによるタイムカウントを終了すると共にそのタイマ値Ｔ１をゼロリセットした後（ステップＳＡ１８１）、後述するステップＳＡ２０７に進む。
【０３６２】
ステップＳＡ１７９においてタイマによるタイムカウントを終了すると共にそのタイマ値Ｔ１をゼロリセットした後に進むステップＳＡ１８３では、図５４に示すように、液晶ディスプレイ１５ｊにプリセット選局モード画面を表示させるプリセット選局表示処理を行う。
【０３６３】
続いて、ＲＡＭ３１ｂのタイマエリアにおけるタイムカウントを開始し（ステップＳＡ１８５）、その後、リミットスイッチ１６ａ〜１６ｇの出力を基に、各操作ボタン１５ａ〜１５ｇが操作されたか否かを確認する（ステップＳＡ１８７）。
【０３６４】
各操作ボタン１５ａ〜１５ｇが操作された場合は（ステップＳＡ１８７でＹ）、後述するステップＳＡ１９５に進み、いずれも操作されていない場合は（ステップＳＡ１８７でＮ）、タイマエリアのタイマ値Ｔ１が所定のタイムアップ値Ｔ１MAX に達したか否かを確認する（ステップＳＡ１８９）。
【０３６５】
タイマ値Ｔ１がタイムアップ値Ｔ１MAX に達していない場合は（ステップＳＡ１８９でＮ）、ステップＳＡ１８５にリターンし、達した場合は（ステップＳＡ１８９でＹ）、タイマによるタイムカウントを終了すると共にそのタイマ値Ｔ１をゼロリセットした後（ステップＳＡ１９１）、ＴＶフラグＦＡ１が「０」であるか否かを確認する（ステップＳＡ１９３）。
【０３６６】
ＴＶフラグＦＡ１が「０」である場合は（ステップＳＡ１９３でＹ）、ステップＳＡ４７にリターンし、「０」でない場合は（ステップＳＡ１９３でＮ）、ステップＳＡ１３７にリターンする。
【０３６７】
また、ステップＳＡ１８７において各操作ボタン１５ａ〜１５ｇが操作された場合（Ｙ）に進むステップＳＡ１９５では、操作されたのが前画面への戻り指示機能を割り当てた操作ボタン１５ｄであるか否かを確認し、操作ボタン１５ｄでない場合は（ステップＳＡ１９５でＮ）、リミットスイッチ１６ａ〜１６ｃ，１６ｅ〜１６ｇの出力を基に識別される、操作ボタン１５ａ〜１５ｃ，１５ｅ〜１５ｇのいずれが操作されたかの結果によって、液晶ディスプレイ１５ｊのプリセット選局モード画面の表示内容を、操作された操作ボタン１５ａ〜１５ｃ，１５ｅ〜１５ｇに結像される部分が網掛反転表示となり、その他の操作ボタン１５ａ〜１５ｃ，１５ｅ〜１５ｇに結像される部分が白地となるように更新する（ステップＳＡ１９７）。
【０３６８】
続いて、タイマ値Ｔ１をゼロリセットし（ステップＳＡ１９９）、その後、ステップＳＡ１８７にリターンする。
【０３６９】
一方、ステップＳＡ１９５において操作されたのが操作ボタン１５ｄである場合（Ｙ）は、タイマによるタイムカウントを終了すると共にそのタイマ値Ｔ１をゼロリセットした後（ステップＳＡ２０３）、ＴＶフラグＦＡ１が「０」であるか否かを確認し（ステップＳＡ２０５）、「０」である場合は（ステップＳＡ２０５でＹ）、ステップＳＡ４７にリターンし、「０」でない場合は（ステップＳＡ２０５でＮ）、ステップＳＡ１３７にリターンする。
【０３７０】
ステップＳＡ１８１においてタイマによるタイムカウントを終了すると共にそのタイマ値Ｔ１をゼロリセットした後に進むステップＳＡ２０７では、図５５に示すように、液晶ディスプレイ１５ｊにプリセット操作モード画面を表示させるプリセット操作表示処理を行う。
【０３７１】
続いて、ＲＡＭ３１ｂのタイマエリアにおけるタイムカウントを開始し（ステップＳＡ２０９）、その後、リミットスイッチ１６ａ〜１６ｈの出力を基に、各操作ボタン１５ａ〜１５ｈが操作されたか否かを確認する（ステップＳＡ２１１）。
【０３７２】
各操作ボタン１５ａ〜１５ｈが操作された場合は（ステップＳＡ２１１でＹ）、後述するステップＳＡ２１９に進み、いずれも操作されていない場合は（ステップＳＡ２１１でＮ）、タイマエリアのタイマ値Ｔ１が所定のタイムアップ値Ｔ１MAX に達したか否かを確認する（ステップＳＡ２１３）。
【０３７３】
タイマ値Ｔ１がタイムアップ値Ｔ１MAX に達していない場合は（ステップＳＡ２１３でＮ）、ステップＳＡ２１１にリターンし、達した場合は（ステップＳＡ２１３でＹ）、タイマによるタイムカウントを終了すると共にそのタイマ値Ｔ１をゼロリセットした後（ステップＳＡ２１５）、ＴＶフラグＦＡ１が「０」であるか否かを確認する（ステップＳＡ２１７）。
【０３７４】
ＴＶフラグＦＡ１が「０」である場合は（ステップＳＡ２１７でＹ）、ステップＳＡ４７にリターンし、「０」でない場合は（ステップＳＡ２１７でＮ）、ステップＳＡ１３７にリターンする。
【０３７５】
また、ステップＳＡ２１１において各操作ボタン１５ａ〜１５ｈが操作された場合（Ｙ）に進むステップＳＡ２１９では、操作されたのがオートプリセット機能を割り当てた操作ボタン１５ｈであるか否かを確認し、操作ボタン１５ｈである場合は（ステップＳＡ２１９でＹ）、オートプリセット動作を実行すると共に（ステップＳＡ２２１）、液晶ディスプレイ１５ｊの表示内容を、操作ボタン１５ａ〜１５ｃ，１５ｅ〜１５ｇに結像される部分がオートプリセット動作によりプリセットされた局の周波数やチャンネルとなるように更新し（ステップＳＡ２２３）、タイマ値Ｔ１をゼロリセットした後（ステップＳＡ２２５）、ステップＳＡ２１１にリターンする。
【０３７６】
ステップＳＡ２１９において操作されたのが操作ボタン１５ｈでない場合（Ｎ）は、操作されたのが前画面への戻り指示機能を割り当てた操作ボタン１５ｄであるか否かを確認し（ステップＳＡ２２７）、操作ボタン１５ｄでない場合は（ステップＳＡ２２７でＮ）、リミットスイッチ１６ａ〜１６ｃ，１６ｅ〜１６ｇの出力を基に識別される、操作ボタン１５ａ〜１５ｃ，１５ｅ〜１５ｇのいずれが操作されたかの結果によって、液晶ディスプレイ１５ｊのプリセット選局モード画面の表示内容を、操作された操作ボタン１５ａ〜１５ｃ，１５ｅ〜１５ｇに結像される部分が網掛反転表示となると共に、その部分の周波数やチャンネルが新しくプリセットされた周波数やチャンネルに変わり、かつ、その他の操作ボタン１５ａ〜１５ｃ，１５ｅ〜１５ｇに結像される部分が白地となるように更新する（ステップＳＡ２２９）。
【０３７７】
続いて、タイマによるタイムカウントを終了すると共にそのタイマ値Ｔ１をゼロリセットした後（ステップＳＡ２３１）、ステップＳＡ２１１にリターンする。
【０３７８】
また、ステップＳＡ２２７において操作されたのが操作ボタン１５ｄである場合（Ｎ）は、タイマによるタイムカウントを終了すると共にそのタイマ値Ｔ１をゼロリセットした後（ステップＳＡ２３５）、ＴＶフラグＦＡ１が「０」であるか否かを確認し（ステップＳＡ２３７）、「０」である場合は（ステップＳＡ２３７でＹ）、ステップＳＡ４７にリターンし、「０」でない場合は（ステップＳＡ２３７でＮ）、ステップＳＡ１３７にリターンする。
【０３７９】
また、ステップＳＡ３１において操作されたのが操作ボタン１５ｇである場合（Ｙ）に進むステップＳＡ２３９では、図５６に示すように、液晶ディスプレイ１５ｊにエアコンモード画面を表示させるエアコン表示処理を行う。
【０３８０】
続いて、ＲＡＭ３１ｂのタイマエリアにおけるタイムカウントを開始し（ステップＳＡ２４３）、その後、リミットスイッチ１６ａ〜１６ｈの出力を基に、各操作ボタン１５ａ〜１５ｈが操作されたか否かを確認する（ステップＳＡ２４５）。
【０３８１】
各操作ボタン１５ａ〜１５ｈが操作された場合は（ステップＳＡ２４５でＹ）、後述するステップＳＡ２５１に進み、いずれも操作されていない場合は（ステップＳＡ２４５でＮ）、タイマエリアのタイマ値Ｔ１が所定のタイムアップ値Ｔ１MAX に達したか否かを確認する（ステップＳＡ２４７）。
【０３８２】
タイマ値Ｔ１がタイムアップ値Ｔ１MAX に達していない場合は（ステップＳＡ２４７でＮ）、ステップＳＡ２４５にリターンし、達した場合は（ステップＳＡ２４７でＹ）、タイマによるタイムカウントを終了すると共にそのタイマ値Ｔ１をゼロリセットした後（ステップＳＡ２４９）、ステップＳＡ３にリターンする。
【０３８３】
また、ステップＳＡ２４５において各操作ボタン１５ａ〜１５ｈが操作された場合（Ｙ）に進むステップＳＡ２５１では、操作されたのがエアコンＯＦＦの設定機能を割り当てた操作ボタン１５ａ、マニュアルエアコンＯＮの設定機能を割り当てた操作ボタン１５ｂ、オートエアコンＯＮの設定機能を割り当てた操作ボタン１５ｃのいずれかであるか否かを確認し、操作ボタン１５ａ〜１５ｃでない場合は（ステップＳＡ２５１Ｎ）、後述するステップＳＡ２５７に進む。
【０３８４】
一方、操作されたのが操作ボタン１５ａ〜１５ｃである場合は（ステップＳＡ２５１でＹ）、液晶ディスプレイ１５ｊのエアコンモード画面の表示内容を、操作ボタン１５ａ〜１５ｃに結像される部分が網掛反転表示と白地の通常表示とのうち一方から他方に各々変わるように更新し（ステップＳＡ２５３）、タイマ値Ｔ１をゼロリセットした後（ステップＳＡ２５５）、ステップＳＡ２４５にリターンする。
【０３８５】
また、ステップＳＡ２５１において操作されたのが操作ボタン１５ａ〜１５ｃでない場合（Ｎ）に進むステップＳＡ２５７では、操作されたのがエア循環モードの切換機能を割り当てた操作ボタン１５ｄであるか否かを確認し、操作ボタン１５ｄでない場合は（ステップＳＡ２５７でＮ）、後述するステップＳＡ２６３に進む。
【０３８６】
一方、操作されたのが操作ボタン１５ｄである場合は（ステップＳＡ２５７でＹ）、液晶ディスプレイ１５ｊのエアコンモード画面の表示内容を、操作ボタン１５ｄに結像される部分が循環を示すシンボルマークと換気を示すシンボルマークとのうち一方から他方に各々変わるように更新し（ステップＳＡ２５９）、タイマ値Ｔ１をゼロリセットした後（ステップＳＡ２６１）、ステップＳＡ２４５にリターンする。
【０３８７】
また、ステップＳＡ２５７において操作されたのが操作ボタン１５ｄでない場合（Ｎ）に進むステップＳＡ２６３では、操作されたのが送風モードの切換設定機能を割り当てた操作ボタン１５ｇであるか否かを確認し、操作ボタン１５ｇでない場合は（ステップＳＡ２６３でＮ）、後述するステップＳＡ２６９に進む。
【０３８８】
一方、操作されたのが操作ボタン１５ｇである場合は（ステップＳＡ２６３でＹ）、液晶ディスプレイ１５ｊのエアコンモード画面の表示内容を、操作された操作ボタン１５ｇに対応する送風モードの切換設定に応じて更新し（ステップＳＡ２６５）、タイマ値Ｔ１をゼロリセットした後（ステップＳＡ２６７）、ステップＳＡ２４５にリターンする。
【０３８９】
また、ステップＳＡ２６３において操作されたのが操作ボタン１５ｇでない場合（Ｎ）に進むステップＳＡ２６９では、操作されたのが送風レベルの切換設定機能を割り当てた操作ボタン１５ｈであるか否かを確認し、操作ボタン１５ｈでない場合は（ステップＳＡ２６９でＮ）、後述するステップＳＡ２７５に進む。
【０３９０】
一方、操作されたのが操作ボタン１５ｈである場合は（ステップＳＡ２６９でＹ）、液晶ディスプレイ１５ｊのエアコンモード画面の表示内容を、操作された操作ボタン１５ｈに対応する送風レベルの切換設定に応じて更新し（ステップＳＡ２７１）、タイマ値Ｔ１をゼロリセットした後（ステップＳＡ２７３）、ステップＳＡ２４５７にリターンする。
【０３９１】
また、ステップＳＡ２６９において操作されたのが操作ボタン１５ｈでない場合（Ｎ）に進むステップＳＡ２７５では、操作されたのがデフォッガのＯＮ／ＯＦＦ切換機能を割り当てた操作ボタン１５ｅであるか否かを確認し、操作ボタン１５ｅでない場合は（ステップＳＡ２７５でＮ）、後述するステップＳＡ２８１に進む。
【０３９２】
一方、操作されたのが操作ボタン１５ｅである場合は（ステップＳＡ２７５でＹ）、液晶ディスプレイ１５ｊのエアコンモード画面の表示内容を、操作ボタン１５ｅに結像される部分が網掛反転表示と白地の通常表示とのうち一方から他方に変わるように更新し（ステップＳＡ２７７）、タイマ値Ｔ１をゼロリセットした後（ステップＳＡ２７９）、ステップＳＡ２４５にリターンする。
【０３９３】
また、ステップＳＡ２７５において操作されたのが操作ボタン１５ｅでない場合（Ｎ）に進むステップＳＡ２８１では、操作されたのが熱線リアウィンドヒータのＯＮ／ＯＦＦ切換機能を割り当てた操作ボタン１５ｆであるか否かを確認し、操作ボタン１５ｆでない場合は（ステップＳＡ２８１でＮ）、後述するステップＳＡ２８７に進む。
【０３９４】
一方、操作されたのが操作ボタン１５ｆである場合は（ステップＳＡ２８１でＹ）、液晶ディスプレイ１５ｊのエアコンモード画面の表示内容を、操作ボタン１５ｆに結像される部分が網掛反転表示と白地の通常表示とのうち一方から他方に変わるように更新し（ステップＳＡ２８３）、タイマ値Ｔ１をゼロリセットした後（ステップＳＡ２８５）、ステップＳＡ２４５にリターンする。
【０３９５】
また、ステップＳＡ２８１において操作されたのが操作ボタン１５ｆでない場合（Ｎ）に進むステップＳＡ２８７では、図５７に示すように、温度設定スイッチ２７ａやリミットスイッチ１６ｂ，１６ｃの出力を基に、温度設定ツマミ２７が回転操作され、或は、操作ボタン１５ｂ，１５ｃが操作されたか否かを確認し、温度設定ツマミ２７が回転操作されておらず、かつ、操作ボタン１５ｂ，１５ｃが操作されていない場合は（ステップＳＡ２８７でＮ）、ステップＳＡ２９５に進み、温度設定ツマミ２７が回転操作され、或は、操作ボタン１５ｂ，１５ｃが操作された場合は（ステップＳＡ２８７でＹ）、ステップＳＡ２８９に進む。
【０３９６】
ステップＳＡ３７において温度設定ツマミ２７が回転操作された場合（Ｙ）、及び、ステップＳＡ２８７において温度設定ツマミ２７が回転操作され、或は、操作ボタン１５ｂ，１５ｃが操作された場合（Ｙ）に各々進むステップＳＡ２８９では、温度設定スイッチ２７ａの出力やリミットスイッチ１６ｂ，１６ｃの出力を基に変更された目標温度の設定値を割り出し、次に、液晶ディスプレイ１５ｊの表示内容を、操作ボタン１５ｂ〜１５ｄに結像される部分が、割り出した目標温度の設定値に変わるように更新し（ステップＳＡ２９１）、タイマ値Ｔ１をゼロリセットした後（ステップＳＡ２９３）、ステップＳＡ２４５にリターンする。
【０３９７】
一方、ステップＳＡ３９において座席設定ボタン２８が操作された場合（Ｙ）、及び、ステップＳＡ２８７において温度設定ツマミ２７が回転操作されておらず、かつ、操作ボタン１５ｂ，１５ｃが操作されていない場合（Ｎ）に各々進むステップＳＡ２９５では、液晶ディスプレイ１５ｊの表示内容を、操作ボタン１５ａに結像される部分が、「運転席」から「連動」へ、「連動」から「助手席」へ、「助手席」から「運転席」へと順次変化するように更新すると共に、液晶ディスプレイ１５ｋの表示内容を、座席設定ボタン２８に結像される部分の網掛反転表示が、「運転席」から「連動」へ、「連動」から「助手席」へ、「助手席」から「運転席」へと順次変化するように更新し、タイマ値Ｔ１をゼロリセットした後（ステップＳＡ２９７）、ステップＳＡ２４５にリターンする。
【０３９８】
以上の説明からも明らかなように、第２実施形態では、図２６のフローチャートにおけるステップＳＡ３５乃至ステップＳＡ３９、図４９のフローチャートにおけるステップＳＡ４１乃至ステップＳＡ４５、図５０のフローチャートにおけるステップＳＡ４７、図５１のフローチャートにおけるステップＳＡ７７、図５２のフローチャートにおけるステップＳＡ１０７、並びに、図５７のフローチャートにおけるステップＳＡ２８９、ステップＳ２９１、ステップＳ２９５が、請求項中の表示変更手段３３Ａに対応する処理となっている。
【０３９９】
また、第２実施形態では、ボリュームツマミ２５、温度設定ツマミ２７、座席設定ボタン２８、マルチスイッチ部１５ＡのＴＶモード表示状態やＡＭ／Ｍラジオモード表示状態における、「＋」，「−」の文字等が視認される操作ボタン１５ｂ，１５ｃや、「プリセット操作」の文字が視認される操作ボタン１５ｄが、請求項中の設定変更用操作ボタンλに相当している。
【０４００】
次に、上述のように構成された第２実施形態のスイッチ装置３０Ａの動作（作用）について説明する。
【０４０１】
自動車のアクセサリスイッチをＯＮにすると、まずは、液晶ディスプレイ１５ｊにデフォルトモード画面が表示され、その結果、マルチスイッチ部１５Ａが、「ＴＶ」、「ＤＩＳＫ」、「ＴＡＰＥ」、「ＡＭ／ＦＭ」、「デフォッガ」、「熱線リアウィンドヒータ」、並びに、「交通情報」という選択対象の各機器を示す文字やシンボルマークが、図３９に示すように各操作ボタン１５ａ〜１５ｈに視認される、デフォルトモード表示状態となる。
【０４０２】
このデフォルトモード表示状態においては、座席設定ボタン２８に、「運転席」、「連動」、及び、「助手席」の文字が各々視認され、かつ、現在選択設定されている領域に対応する文字部分だけが、網掛反転表示される。
【０４０３】
そして、マルチスイッチ部１５Ａのデフォルトモード表示状態において、「ＴＶ」の文字が視認される操作ボタン１５ａを押圧操作すると、液晶ディスプレイ１５ｊの表示がデフォルトモード画面からＴＶモード画面に変わり、その結果、マルチスイッチ部１５ＡがＴＶモード表示状態となる。
【０４０４】
また、マルチスイッチ部１５Ａのデフォルトモード表示状態において、「ＤＩＳＫ」の文字が視認される操作ボタン１５ｂを押圧操作すると、液晶ディスプレイ１５ｊの表示がデフォルトモード画面からディスクモード画面に変わり、その結果、マルチスイッチ部１５Ａがディスクモード表示状態となる。
【０４０５】
さらに、マルチスイッチ部１５Ａのデフォルトモード表示状態において、「ＴＡＰＥ」の文字が視認される操作ボタン１５ｃを押圧操作すると、液晶ディスプレイ１５ｊの表示がデフォルトモード画面からカセットモード画面に変わり、その結果、マルチスイッチ部１５Ａがカセットモード表示となる。
【０４０６】
また、マルチスイッチ部１５Ａのデフォルトモード表示状態において、「ＡＭ／ＦＭ」の文字が視認される操作ボタン１５ｄを押圧操作すると、液晶ディスプレイ１５ｊの表示がデフォルトモード画面からＡＭ／ＦＭラジオモード画面に変わり、その結果、マルチスイッチ部１５Ａが、図４０に示すＡＭ／ＦＭラジオモード表示状態となる。
【０４０７】
さらに、ボリュームツマミ２５を回転操作すると、マルチスイッチ部１５Ａがどのモード表示状態にあっても、液晶ディスプレイ１５ｊの表示がそのモード画面から、ＴＶモード画面、ディスクモード画面、カセットモード画面、並びに、ＡＭ／ＦＭラジオモード画面のうち、デフォルトモード画面に変わる前の一番最近に液晶ディスプレイ１５ｊに表示されていた画面に変わり、その結果、マルチスイッチ部１５Ａが、直前のモード表示状態に戻る。
【０４０８】
そして、マルチスイッチ部１５ＡのＴＶモード表示状態やＡＭ／ＦＭラジオモード表示状態において、操作ボタン１５ｂ，１５ｃの操作により受信周波数や受信局を増減させると、それに応じた現在の受信周波数や受信局が操作ボタン１５ｂ，１５ｃ上に視認され、その上で、操作ボタン１５ｄを操作すると、液晶ディスプレイ１５ｊの表示がＴＶモード画面やＡＭ／ＦＭラジオモード画面からプリセット操作モード画面に変わり、その結果、マルチスイッチ部１５Ａが、図４１に示すプリセット操作モード表示状態となる。
【０４０９】
しかも、上述したように操作ボタン１５ｂ，１５ｃの操作により受信周波数や受信局を増減させた上でマルチスイッチ部１５Ａをプリセット操作モード表示状態とし、操作ボタン１５ａ〜１５ｃ，１５ｅ〜１５ｇのどれかを押圧操作すると、図５８に説明図で示すように、押圧操作した操作ボタン１５ａ〜１５ｃ，１５ｅ〜１５ｇ（図５８では操作ボタン１５ｆ）が網掛反転表示となり、かつ、その操作ボタン１５ａ〜１５ｃ，１５ｅ〜１５ｇ上に視認される受信周波数や受信局が、図５９に説明図で示すように、直前のＴＶモード表示状態やＡＭ／ＦＭラジオモード表示状態において操作ボタン１５ｂ，１５ｃの操作により増減された受信周波数や受信局に変わる。
【０４１０】
そして、その後マルチスイッチ部１５Ａがプリセット操作モード表示状態から元の表示モード状態に戻ると、上述した操作ボタン１５ａ〜１５ｃ，１５ｅ〜１５ｇの操作により新たなプリセットがなされた旨が、図６０に説明図で示すように、「ＰＲＥＳＥＴ」の文字が視認される操作ボタン１５ａ上に、その操作ボタン１５ａ〜１５ｃ，１５ｅ〜１５ｇに割り当てられたプリセット番号をさらに視認させることで報知される。
【０４１１】
また、マルチスイッチ部１５ＡのＴＶモード表示状態やＡＭ／ＦＭラジオモード表示状態において、操作ボタン１５ａを操作すると、液晶ディスプレイ１５ｊの表示がＴＶモード画面やＡＭ／ＦＭラジオモード画面からプリセット選局画面に変わり、その結果、マルチスイッチ部１５Ａがプリセット選局モード表示状態となる。
【０４１２】
尚、マルチスイッチ部１５Ａのプリセット操作モード表示状態やプリセット選局モード表示状態において、「戻る」の文字が視認される操作ボタン１５ｄを押圧操作すると、液晶ディスプレイ１５ｊの表示がプリセット操作モード表示画面やプリセット選局モード表示画面に変わる直前のモード表示画面に戻り、その結果、マルチスイッチ部１５Ａが、プリセット操作モード表示状態やプリセット選局モード表示状態に変わる直前のモード表示状態に戻る。
【０４１３】
また、マルチスイッチ部１５Ａのプリセット操作モード表示状態において、「ＡＵＴＯ  ＰＲＥＳＥＴ」の文字が視認される操作ボタン１５ｈを押圧操作すると、オートプリセットが実行されて、操作ボタン１５ａ〜１５ｃ，１５ｅ〜１５ｇ上に視認される受信周波数や受信局が、オートプリセットによって自動的にプリセットされた内容に変わる。
【０４１４】
一方、マルチスイッチ部１５Ａのデフォルトモード表示状態において、「エアコンディショナ」のシンボルマークが視認される操作ボタン１５ｇを押圧操作すると、液晶ディスプレイ１５ｊの表示がデフォルトモード画面からエアコンモード画面に変わり、その結果、マルチスイッチ部１５Ａが、「ＯＦＦ」、「Ａ／Ｃ」、「ＡＵＴＯ」、「エア循環モード」、「デフォッガ」、「熱線リアウィンドヒータ」、「送風モード」、並びに、「送風レベル」という機能を示す文字やシンボルマークが、図４２に示すように各操作ボタン１５ａ〜１５ｈに視認される、エアコンモード表示状態に変わる。
【０４１５】
そして、マルチスイッチ部１５Ａのデフォルトモード表示状態において、「デフォッガ」のシンボルマークが視認される操作ボタン１５ｅを押圧操作した場合、「熱線リアウィンドヒータ」のシンボルマークが視認される操作ボタン１５ｆを押圧操作した場合、及び、「交通情報」のシンボルマークが視認される操作ボタン１５ｈを押圧操作した場合の、それらの操作ボタン１５ｅ，１５ｆ，１５ｈの表示状態の変化は、第１実施形態のスイッチ装置におけるマルチスイッチ部１５Ａの操作ボタン１５ｅ，１５ｆ，１５ｈの表示状態変化と同じである。
【０４１６】
同様に、マルチスイッチ部１５Ａのエアコンモード表示状態において、「エア循環モード」、「デフォッガ」、「熱線リアウィンドヒータ」、「送風モード」、並びに、「送風レベル」の文字が視認される操作ボタン１５ｄ〜１５ｈを押圧操作した場合の、それらの操作ボタン１５ｄ〜１５ｈの表示状態の変化は、第１実施形態のスイッチ装置におけるマルチスイッチ部１５Ａの操作ボタン１５ｄ〜１５ｈの表示状態変化と同じである。
【０４１７】
また、第２実施形態のスイッチ装置３０Ａでは、温度設定ツマミ２７や座席設定ボタン２８を操作すると、マルチスイッチ部１５Ａがどのモード表示状態にあっても、液晶ディスプレイ１５ｊの表示がそのモード画面から、図４３に示す室温調節モード画面に変わり、その結果、マルチスイッチ部１５Ａが室温調節モード表示状態となる。
【０４１８】
そして、マルチスイッチ部１５Ａの室温調節モード表示状態において、温度設定ツマミ２７を回転操作すると、その回転方向及び回転量に応じて、操作ボタン１５ｂ〜１５ｄ上に視認される設定温度の表示が増減し、また、座席設定ボタン２８を押圧操作し、或は、操作ボタン１５ａを押圧操作すると、その押圧操作回数に応じて、操作ボタン１５ａ上に視認される温度調節エリアを示す文字が、図４３に示す「運転席」、図４４（ａ）に示す「連動」、図４５に示す「助手席」、並びに、図４３に示す「運転席」、…の順に変化する。
【０４１９】
この操作ボタン１５ａ上に視認される温度調節エリアを示す文字の変化と連動して、座席設定ボタン２８上に視認される網掛反転表示部分も、図４３（ｂ）に示す「運転席」、図４４（ｂ）に示す「連動」、図４５（ｂ）に示す「助手席」、並びに、図４３（ｂ）に示す「運転席」、…の順に変化する。
【０４２０】
尚、マルチスイッチ部１５Ａのデフォルトモード表示以外の状態において、操作ボタン１５ａ〜１５ｈやボリュームツマミ２５、温度設定ツマミ２７、座席設定ボタン２８がいずれも所定時間Ｔ１max の間操作されないと、液晶ディスプレイ１５ｊの表示がデフォルトモード画面に変わり、その結果、マルチスイッチ部１５Ａがデフォルトモード表示状態に戻る。
【０４２１】
このように構成された第２実施形態のスイッチ装置３０Ａによっても、第１実施形態のスイッチ装置３０と同様に、ＣＤプレーヤ４０、ＭＤプレーヤ５０、ＡＭ／ＦＭチューナ６０、ＴＶチューナ６５、エアコン７０、並びに、カセットプレーヤ８０等に関する各種の機能選択操作等を、少ない操作ボタンで行えるようにして、操作ボタンのより一層の多機能化と、それによる操作ボタンの占有スペースの低減化とを、同時に図ることができる。
【０４２２】
しかも、第２実施形態のスイッチ装置３０Ａによれば、ボリュームツマミ２５、温度設定ツマミ２７、座席設定ボタン２８が操作されると、マルチスイッチ部１５Ａがその時点でどのモード表示状態にあっても、ボリュームツマミ２５に関連するＴＶモード表示、ディスクモード表示、カセットモード表示、並びに、ＡＭ／ＦＭラジオモード表示のうち、デフォルトモード表示に変わる前の一番最近のモード表示状態にマルチスイッチ部１５Ａが変わり、或は、温度設定ツマミ２７や座席設定ボタン２８に関連するエアコン７０の設定温度や温度調節エリアを設定する室温調節モード表示状態マルチスイッチ部１５Ａが変わるので、ボリューム調整の際や、エアコン７０の設定温度や温度調節エリアを設定する際の、それに応じたモード表示状態にマルチスイッチ部１５Ａを切り換えるための操作を省くことができる。
【０４２３】
尚、上述した第２実施形態では、プリセット操作モード表示状態やプリセット選局モード表示状態において、操作ボタン１５ａ〜１５ｃ，１５ｅ〜１５ｇに、プリセットされた受信周波数や受信チャンネルが視認されるものとしたが、例えば、図６１に説明図で示すように、操作ボタン１５ａ〜１５ｃには、ＴＶモード表示やＡＭ／ＦＭラジオモード表示の各状態と同様に、「ＰＲＥＳＥＴ」の文字や受信周波数又は受信チャンネル、並びに、「＋」，「−」やそれらの矢印が視認され、操作ボタン１５ｅ〜１５ｇのみにプリセット局候補が視認されるようにしてもよい。
【０４２４】
その場合には、プリセット局候補が視認される操作ボタン１５ｅ〜１５ｇが第２実施形態に比べて少なくなる分を補うために、図６１に示すように、「ＡＵＴＯ  ＰＲＥＳＥＴ」の文字に代えて「次ページ」の文字が操作ボタン１５ｈに視認され、かつ、図６２に説明図で示すように、操作ボタン１５ｅ〜１５ｇに次のプリセット局候補が視認される状態においては、操作ボタン１５ｈにおいて視認される文字が「次ページ」から「前ページ」に変わるように、液晶ディスプレイ１５ｊのプリセット操作モード表示画面やプリセット選局モード表示画面における表示内容を変更することになる。
【０４２５】
そして、上述したように構成する場合には、前記マイコン３３のＣＰＵ３３ａがＲＯＭ３３ｃに格納された制御プログラムに従い行う処理のうち、図５４のフローチャートに示す処理におけるステップＳＡ１９５乃至ステップＳＡ２０５の部分を、図６３のフローチャートに示すステップＳＡ１９５´乃至ステップＳＡ２０５´のように変更し、かつ、図５５のフローチャートに示す処理におけるステップＳＡ２１９乃至ステップＳＡ２３７の部分を、図６４のフローチャートに示すステップＳＡ２２７´乃至ステップＳＡ２３７´のように変更すればよい。
【０４２６】
具体的には、まず、図５４のフローチャートに示す処理については、次のように変更する。
【０４２７】
即ち、図６３に示すように、ステップＳＡ１８７において各操作ボタン１５ａ〜１５ｇが操作された場合（Ｙ）は、操作されたのが「前ページ」と「次ページ」との相互間の切換指示機能を割り当てた操作ボタン１５ｈであるか否かの確認を行い（ステップＳＡ１９５´）、操作ボタン１５ｈでない場合は（ステップＳＡ１９５´でＮ）、リミットスイッチ１６ｅ〜１６ｇの出力を基に識別される、操作ボタン１５ｅ〜１５ｇのいずれが操作されたかの結果によって、液晶ディスプレイ１５ｊのプリセット選局モード画面の表示内容を、操作された操作ボタン１５ｅ〜１５ｇに結像される部分が網掛反転表示となり、その他の操作ボタン１５ｅ〜１５ｇに結像される部分が白地となるように更新する（ステップＳＡ１９７´）。
【０４２８】
続いて、タイマ値Ｔ１をゼロリセットした後（ステップＳＡ１９９´）、ステップＳＡ１８７にリターンする。
【０４２９】
一方、ステップＳＡ１９５´において操作されたのが操作ボタン１５ｈである場合（Ｙ）は、操作ボタン１５ｅ〜１５ｇにおいて視認される前のプリセット局候補が次のプリセット局候補に変わると共に、操作ボタン１５ｈにおいて視認される「次ページ」の文字が「前ページ」の文字に変わるように、或は反対に、操作ボタン１５ｅ〜１５ｇにおいて視認される次のプリセット局候補が前のプリセット局候補に変わると共に、操作ボタン１５ｈにおいて視認される「前ページ」の文字が「次ページ」の文字に変わるように、液晶ディスプレイ１５ｊのプリセット選局モード画面の表示内容を更新する（ステップＳＡ２０３´）。
【０４３０】
続いて、タイマ値Ｔ１をゼロリセットし（ステップＳＡ２０５´）、その後、ステップＳＡ１８７にリターンする。
【０４３１】
次に、図５５のフローチャートに示す処理については、ステップＳＡ２１９の確認処理と、このステップＳＡ２１９に連なるステップＳＡ２２１乃至ステップＳＡ２２５の処理とを省略した上で、次のように変更する。
【０４３２】
即ち、図６４に示すように、ステップＳＡ２１１において各操作ボタン１５ａ〜１５ｈが操作された場合（Ｙ）は、操作されたのが「前ページ」と「次ページ」との相互間の切換指示機能を割り当てた操作ボタン１５ｈであるか否かの確認を行い（ステップＳＡ２２７´）、操作ボタン１５ｈでない場合は（ステップＳＡ２２７´でＮ）、リミットスイッチ１６ｅ〜１６ｇの出力を基に識別される、操作ボタン１５ｅ〜１５ｇのいずれが操作されたかの結果によって、液晶ディスプレイ１５ｊのプリセット操作モード画面の表示内容を、操作された操作ボタン１５ｅ〜１５ｇに結像される部分が網掛反転表示となり、その他の操作ボタン１５ｅ〜１５ｇに結像される部分が白地となるように更新する（ステップＳＡ２２９´）。
【０４３３】
続いて、タイマ値Ｔ１をゼロリセットした後（ステップＳＡ２３１´）、ステップＳＡ２１１にリターンする。
【０４３４】
一方、ステップＳＡ２２７´において操作されたのが操作ボタン１５ｈである場合（Ｙ）は、操作ボタン１５ｅ〜１５ｇにおいて視認される前のプリセット局候補が次のプリセット局候補に変わると共に、操作ボタン１５ｈにおいて視認される「次ページ」の文字が「前ページ」の文字に変わるように、或は反対に、操作ボタン１５ｅ〜１５ｇにおいて視認される次のプリセット局候補が前のプリセット局候補に変わると共に、操作ボタン１５ｈにおいて視認される「前ページ」の文字が「次ページ」の文字に変わるように、液晶ディスプレイ１５ｊのプリセット操作モード画面の表示内容を更新する（ステップＳＡ２３５´）。
【０４３５】
続いて、タイマ値Ｔ１をゼロリセットし（ステップＳＡ２３７´）、その後、ステップＳＡ２１１にリターンする。
【０４３６】
これにより、マルチスイッチ部１５Ａのプリセット操作モード表示状態やプリセット選局モード表示状態においては、図６１に示すように、操作ボタン１５ｅ〜１５ｇのみにプリセット局候補が視認されると共に、操作ボタン１５ｈに「ＡＵＴＯ  ＰＲＥＳＥＴ」の文字に代えて「次ページ」の文字が視認されるように、液晶ディスプレイ１５ｊによるプリセット操作モード表示画面やプリセット選局モード表示画面の表示が行われる。
【０４３７】
そして、「次ページ」の文字が視認される操作ボタン１５ｈを押圧操作すると、操作ボタン１５ｅ〜１５ｇに視認されるプリセット局候補が次のプリセット局候補に変わり、かつ、操作ボタン１５ｈに視認される文字が「次ページ」から「前ページ」に変わるように、液晶ディスプレイ１５ｊのプリセット操作モード表示画面やプリセット選局モード表示画面における表示内容が変更される。
【０４３８】
さらに、この状態で「前ページ」の文字が視認される操作ボタン１５ｈを押圧操作すると、操作ボタン１５ｅ〜１５ｇに視認されるプリセット局候補が前のプリセット局候補に戻り、かつ、操作ボタン１５ｈに視認される文字が「前ページ」から「次ページ」に戻るように、液晶ディスプレイ１５ｊのプリセット操作モード表示画面やプリセット選局モード表示画面における表示内容が変更される。
【０４３９】
このように構成しても、第２実施形態のスイッチ装置３０Ａと同様の効果を得ることができ、その上、少ない操作ボタン１５ｅ〜１５ｇによってそれ以上の数のプリセット局候補をマルチスイッチ部１５Ａに提示させて、操作ボタン１５ａ〜１５ｈの有効利用を図ることができる。
【０４４０】
尚、上述した各実施形態では、マルチスイッチ部１５Ａの操作ボタン１５ａ〜１５ｈに「エア循環モード」、「デフォッガ」、「熱線リアウィンドヒータ」、並びに、「交通情報」の各機能を適宜割り当てるものとしたが、図６５に本発明の第３実施形態に係るスイッチ装置の要部正面図で示すように、コンビネーションパネル１３Ｂのマルチスイッチ部１５Ｂから独立してエア循環ボタン１５Ｃ、デフォッガボタン１５Ｄ、熱線リアウィンドヒータボタン１５Ｅ、並びに、交通情報ボタン１５Ｆを各々設け、「エア循環モード」、「デフォッガ」、「熱線リアウィンドヒータ」、並びに、「交通情報」の各機能を除く他の機能をマルチスイッチ部１５Ｂの操作ボタン１５ａ〜１５ｈに切り換えて持たせるようにしてもよい。
【０４４１】
また、図示を省略するが、上述した各実施形態において、マイコン３１，３３のＣＰＵ３１ａ，３３ａに光電変換素子等により車内や車外の明るさに応じた信号を出力する光センサ（図示せず）を接続し、この光センサの出力を基に、車内や車外の明るさが低い夜間時等に、マルチスイッチ部１５，１５Ａ，１５Ｂの操作ボタン１５ａ〜１５ｈに視認される各種の文字やキャラクタ、シンボルマーク等を、全体的に白黒反転表示させるようにしてもよい。
【０４４２】
そして、上述したように構成する場合には、前記マイコン３１，３３のＣＰＵ３１ａ，３３ａがＲＯＭ３１ｃ，３３ｃに格納された制御プログラムに従い行う処理中に、割り込みルーチンを設けることになる。
【０４４３】
詳しくは、図６６のフローチャートに示すように、不図示の光センサからの信号を基に車内や車外の明るさが所定値以上あるか否かを確認し（ステップＳＢ１）、所定値以上ある場合は（ステップＳＢ１でＹ）、液晶ディスプレイ１５ｊによる表示を通常表示形態とした後（ステップＳＢ３）、割り込みルーチンを終了し、所定値以上ない場合は（ステップＳＢ１でＮ）、液晶ディスプレイ１５ｊによる表示を通常とは白黒反転した反転表示形態とした後（ステップＳＢ５）、割り込みルーチンを終了する。
【０４４４】
これにより、車内や車外の明るさが所定値以上ある場合は、図６７に説明図で示すように、現在選択されている操作ボタン部分が網掛反転表示となり、他の部分が白地の通常表示となる通常表示形態にて、液晶ディスプレイ１５ｊによる表示が行われ、反対に、車内や車外の明るさが所定値以上ない場合は、図６８に説明図で示すように、現在選択されている操作ボタン部分が白地の通常表示となり、他の部分が網掛反転表示となる反転表示形態にて、液晶ディスプレイ１５ｊによる表示が行われる。
【０４４５】
この場合、請求項中の選択手段Ｆは、不図示の光センサと、図６６のフローチャートに示す割り込みルーチンを実行するＣＰＵ３１ａ，３３ａとにより構成されることになる。
【０４４６】
このように構成すれば、車内や車外の明るさが変化してもマルチスイッチ部１５，１５Ａ，１５Ｂにおける各モード表示の視認性を常に良好な状態に保つことができるので、有利である。
【０４４７】
尚、上述した液晶ディスプレイ１５ｊによる通常表示形態と反転表示形態との表示形態の切り換えは、上述した光センサの出力を基にしたマイコン３１，３３の制御によるものの他、スモールランプ（図示せず）等の点、消灯をつかさどるランプスイッチのオンオフに連動して機械的に行うものであってもよく、表示形態の切換内容も、明暗各１段階ずつとするだけでなく、段階的に複数の形態に切り換えられるものであってもよい。
【０４４８】
また、上述した各実施形態では、自動車のセンターコンソールに配置される機器の動作内容の選択、設定のために用いられるスイッチ装置を例に取って説明したが、本発明は、自動車内のスイッチ装置に限らず、例えば、屋内設備の集中設定器等、複数の対象機器の動作内容を共用の操作ボタンの操作により選択、設定するために用いられるスイッチ装置に、広く適用可能であることは言うまでもない。
【０４４９】
【発明の効果】
以上説明したように請求項１に記載した本発明の多機能スイッチ装置によれば、対象機器の動作内容を選択するために操作される複数の操作ボタンの機能を各々表す複数のスイッチ機能表示像を表示手段に表示させ、該各スイッチ機能表示像の像光を対応する前記各操作ボタンに背後から各々照射させることで、前記各スイッチ機能表示像を、対応する前記各操作ボタンの正面側から視認できるように該各操作ボタンに各々結像させる多機能スイッチ装置であって、前記対象機器の種類を指定するための対象機器指定機能表示像を、前記スイッチ機能表示像として複数混在させた初期階層表示画像を、前記表示手段に表示させる初期階層表示実行手段と、前記初期階層表示実行手段が前記初期階層表示画像を前記表示手段に表示させている間、前記各操作ボタンの操作を検出する操作ボタン操作検出手段と、前記初期階層表示実行手段が前記表示手段に表示させている前記初期階層表示画像のうち、前記操作ボタン操作検出手段が操作を検出した前記操作ボタンに結像される前記対象機器指定機能表示像を特定する表示像特定手段と、前記各操作ボタンの操作を前記操作ボタン操作検出手段が検出した際に、前記表示像特定手段が特定した前記対象機器指定機能表示像に対応する種類の前記対象機器の動作内容を選択するための特定対象機器機能表示像を、前記スイッチ機能表示像として複数存在させた次階層表示画像を、前記初期階層表示画像に代えて前記表示手段に表示させる次階層表示実行手段とを備えた多機能スイッチ装置において、前記複数の操作ボタンが、第１操作ボタン部分と、該第１操作ボタン部分を除く第２操作ボタン部分とを有しており、前記表示手段が、前記第１操作ボタン部分及び前記第２操作ボタン部分のうちいずれか一方を、像が第１色で視認されると共に背景が第２色で視認されるように表示を行い、かつ、前記第１操作ボタン部分及び前記第２操作ボタン部分のうちいずれか他方を、像が前記第２色で視認されると共に背景が前記第１色で視認されるように表示を行うように構成されており、前記第１操作ボタン部分及び前記第２操作ボタン部分のいずれを前記一方とするかを選択する選択手段が備えられている。
【０４５０】
このため、対象機器の種類の指定と指定された種類の対象機器に関する動作内容の選択とを同じ操作ボタンにより行えるような機能表示を、各操作ボタンが占有するスペース上において行わせて、操作ボタンの数や機能表示に要するスペースを減らしつつ、各々の機能を十分に認識させることができる。また、操作ボタンの正面側から視認可能な像を表示手段により表示させるため、表示手段により表示する像を変えると操作ボタンの正面側から視認される像も変わるという特殊性を活用して、第１操作ボタン部分における像及び背景の表示形態と、第２操作ボタン部分における像及び背景の表示形態とを、選択手段による選択で入れ替わらせ、これにより、通常表示形態とこの通常表示形態とはネガポジ反転した反転表示形態とを選んで切り換えられるようにして、操作ボタンの周囲の状況に応じて表示形態を変えて操作ボタンの視認性を良好に保つことができる。
【０４５１】
また、請求項２に記載した本発明の多機能スイッチ装置によれば、請求項１に記載した本発明の多機能スイッチ装置において、前記初期階層表示画像に複数混在させる前記対象機器指定機能表示像を設定する対象機器指定像設定手段をさらに備え、前記初期階層表示実行手段が、前記対象機器指定像設定手段により設定された複数の前記対象機器指定機能表示像を混在させた前記初期階層表示画像を、前記表示手段に表示させる構成とした。
【０４５２】
このため、初期階層表示画像に混在させて各操作ボタンに正面側から視認できるように各々結像させ、各操作ボタンの機能として認識させる対象機器指定機能表示像を、対象機器指定像設定手段により設定することで、複数の操作ボタンにより選択可能な対象機器の種類を任意の内容に設定することができる。
【０４５３】
さらに、請求項３に記載した本発明の多機能スイッチ装置によれば、請求項２に記載した本発明の多機能スイッチ装置において、前記対象機器指定像設定手段が、前記対象機器からの対象機器特定情報を基に、前記初期階層表示画像に複数混在させる前記対象機器指定機能表示像を設定する構成とした。
【０４５４】
このため、対象機器を接続する等してその対象機器からの対象機器特定情報を受け取れるようにすることで、特別な設定操作を行ったりそのための手段を別途設けることなく、初期階層表示画像に混在させる対象機器指定機能表示像を容易に設定することができる。
【０４５５】
また、請求項４に記載した本発明の多機能スイッチ装置によれば、請求項１、２又は３に記載した本発明の多機能スイッチ装置において、前記次階層表示画像に複数存在させる前記特定対象機器機能表示像を設定する特定対象機器像設定手段をさらに備え、前記次階層表示実行手段が、前記特定対象機器像設定手段により設定された複数の前記特定対象機器機能表示像を混在させた前記次階層表示画像を、前記表示手段に表示させる構成とした。
【０４５６】
このため、次階層表示画像に混在させて各操作ボタンに正面側から視認できるように各々結像させ、各操作ボタンの機能として認識させる特定対象機器指定機能表示像を、特定対象機器像設定手段により設定することで、複数の操作ボタンにより選択可能な特定種類の対象機器の動作内容を任意の内容に設定することができる。
【０４５７】
さらに、請求項５に記載した本発明の多機能スイッチ装置によれば、請求項４に記載した本発明の多機能スイッチ装置において、前記特定対象機器像設定手段が、前記対象機器からの動作内容情報を基に、前記次階層表示画像に複数存在させる前記特定対象機器機能表示像を設定する構成とした。
【０４５８】
このため、対象機器を接続する等してその対象機器からの動作内容情報を受け取れるようにすることで、特別な設定操作を行ったりそのための手段を別途設けることなく、次階層表示画像に混在させる特定対象機器機能表示像を容易に設定することができる。
【０４５９】
また、請求項６に記載した本発明の多機能スイッチ装置によれば、請求項１、２、３、４又は５に記載した本発明の多機能スイッチ装置において、前記対象機器のうち特定種類の対象機器に関してのみ操作が有効とされる特定操作ボタンと、前記初期階層表示実行手段が前記初期階層表示画像を前記表示手段に表示させている間、前記特定操作ボタンの操作を検出する特定操作ボタン操作検出手段とをさらに備え、前記次階層表示実行手段がさらに、前記特定操作ボタンの操作を前記特定操作ボタン操作検出手段が検出した際に、前記特定種類の対象機器に対応する前記次階層表示画像を、前記初期階層表示画像に代えて前記表示手段に表示させる構成とした。
【０４６０】
このため、対象機器指定機能表示像を正面側から視認できるように結像させていた各操作ボタンの操作によって対象機器の種類の指定が行われないまま、特定種類の対象機器に関してしか操作が有効とされない特定操作ボタンが操作されたとしても、その特定操作ボタンの操作を無にせずに、特定操作ボタンに関連する特定種類の対象機器の動作内容を選択する機能に各操作ボタンを設定することができる。
【０４６１】
さらに、請求項７に記載した本発明の多機能スイッチ装置によれば、請求項１、２、３、４、５又は６に記載した本発明の多機能スイッチ装置において、前記初期階層表示実行手段及び前記次階層表示実行手段のうち少なくとも一方が、前記複数の操作ボタンのうち少なくとも１つの操作ボタンを除いて構成される第１ボタン領域に、該第１ボタン領域を構成する前記操作ボタンの背後から像光が照射されるように前記スイッチ機能表示像を前記表示手段に表示させると共に、前記複数の操作ボタンのうち前記第１ボタン領域を除く他の操作ボタンで構成される第２ボタン領域に、該第２ボタン領域を構成する前記操作ボタンの背後から像光が照射されるように、前記第１ボタン領域を構成する前記操作ボタンの機能に関連する付加情報表示像を、前記スイッチ機能表示像と同時に前記表示手段に表示させる構成とした。
【０４６２】
このため、初期階層表示実行手段と次階層表示実行手段とのいずれが表示手段にスイッチ機能表示像と付加情報表示像とを同時に表示させるとしても、機能選択に必要な数の操作ボタンにスイッチ機能表示像を正面側から視認できるように結像させると共に、機能選択に必要のない残りの操作ボタンに付加情報表示像を正面側から視認できるように結像させて、必要な数の操作ボタンを機能選択用として確保しつつ、それら機能選択用の操作ボタンに関連する付加情報を、限られたスペースの中で、たまたま余剰となった操作ボタンのスペースを利用して表示させることができる。
【０４６３】
また、請求項８に記載した本発明の多機能スイッチ装置によれば、請求項１、２、３、４、５、６又は７に記載した本発明の多機能スイッチ装置において、前記初期階層表示実行手段が、前記対象機器指定機能表示像中に、該対象機器指定機能表示像に対応する前記特定対象機器機能表示像の存在を予告する次階層予告表示像を含ませた前記初期階層表示画像を、前記表示手段に表示させる構成とした。
【０４６４】
このため、初期階層表示画像が表示手段に表示されている状態において、目的の対象機器の動作内容を選択する際に、その対象機器の対象機器指定機能表示像が正面側から視認される操作ボタンに、次階層予告表示像が結像されていてその次階層予告表示像が正面側から視認されるか否かによって、とりあえずその対象機器指定機能表示像が正面側から視認される操作ボタンを操作しておいて、その次に操作ボタンに結像される特定対象機器機能表示像を正面側から視認して動作内容の選択を行えばよいのかどうかを、事前に判断させることができる。
【０４６５】
さらに、請求項９に記載した本発明の多機能スイッチ装置によれば、複数の操作ボタンと、該操作ボタンの操作により対象機器の動作内容の選択指示を行う動作選択指示部と、前記対象機器の動作に関連する設定の変更指示を行う設定変更指示部とを備える多機能スイッチ装置において、前記動作選択指示部により選択可能な前記対象機器の動作内容の複数の選択肢を、各選択肢毎に個別の前記操作ボタンの操作面上において各々視認されるように表示する表示手段と、前記設定変更指示部による前記設定の変更指示に伴って、前記操作ボタンの操作面上において、少なくとも該設定に関連する前記対象機器の動作内容の選択肢が視認されるように、前記表示手段の表示内容を変更させる表示変更手段とを備える構成とした。
【０４６６】
このため、操作ボタンの操作により対象機器の動作内容の選択指示を動作選択指示部で行わなくても、動作に関連する設定の変更を指示した対象機器の動作内容の選択肢が操作ボタンの操作面上において視認され、その選択肢の選択に係る操作ボタンの操作を続けて実行できるようにすることができる。
【０４６７】
また、請求項１０に記載した本発明の多機能スイッチ装置によれば、請求項９に記載した本発明の多機能スイッチ装置において、前記設定変更指示部が、前記複数の操作ボタンのうち、前記表示手段による表示によって前記設定の変更を指示する選択肢が前記操作面上において視認される操作ボタンを含んで構成されており、前記設定変更指示部を構成する前記操作ボタンの操作に伴って、前記表示変更手段による前記表示手段の表示内容の変更が行われる構成とした。
【０４６８】
このため、限られた操作ボタンを有効に利用して、操作ボタンの占有するスペースを削減しスイッチ装置の一層の多機能化を図ることができる。
【０４６９】
さらに、請求項１１に記載した本発明の多機能スイッチ装置によれば、請求項９に記載した本発明の多機能スイッチ装置において、前記設定変更指示部が、前記複数の操作ボタンのうち、前記表示手段による表示によって前記設定の変更を指示する選択肢が前記操作面上において視認される操作ボタンと、前記複数の操作ボタンとは別個に前記設定の変更指示のために設けられた設定変更用操作ボタンとを含んで構成されており、前記設定変更指示部を構成する前記操作ボタンと前記設定変更用操作ボタンとのうちいずれか一方の操作に伴って、前記表示変更手段による前記表示手段の表示内容の変更が行われる構成とした。
【０４７０】
このため、操作ボタンの操作に応じて表示手段により表示される、動作選択指示部により選択可能な対象機器の動作内容に応じて、操作ボタンと設定変更用操作ボタンとのうち利用しやすいボタンを選択して操作することができる。
【０４７１】
また、請求項１２に記載した本発明の多機能スイッチ装置によれば、請求項９に記載した本発明の多機能スイッチ装置において、前記設定変更指示部が、前記複数の操作ボタンのうち、前記表示手段による表示によって前記設定の変更指示の確定を指示する選択肢が前記操作面上において視認される操作ボタンを含んで構成されており、前記設定変更指示部を構成する前記操作ボタンの操作に伴って、前記表示変更手段による前記表示手段の表示内容の変更が行われる構成とした。
【０４７２】
このため、対象機器の動作に関連する設定の変更の指示を誤ったとしても、その指示を確定させる前であれば表示変更手段による表示手段の表示内容の変更を実行させず、誤った変更指示の設定内容に関連した動作内容の選択肢が操作ボタンの操作面上に視認される状態に移行するのを防ぐことができる。
【０４７３】
さらに、請求項１３に記載した本発明の多機能スイッチ装置によれば、請求項９に記載した本発明の多機能スイッチ装置において、前記設定変更指示部が、前記複数の操作ボタンのうち、前記表示手段による表示によって前記設定の変更指示の確定を指示する選択肢が前記操作面上において視認される操作ボタンと、前記複数の操作ボタンとは別個に前記設定の変更指示のために設けられた設定変更用操作ボタンとを含んで構成されており、前記設定変更指示部を構成する前記操作ボタンと前記設定変更用操作ボタンとのうちいずれか一方の操作に伴って、前記表示変更手段による前記表示手段の表示内容の変更が行われる構成とした。
【０４７４】
このため、対象機器の動作に関連する設定の変更の指示を誤ったとしても、その指示を確定させる前か、設定変更用操作ボタンを操作する前であれば、表示変更手段による表示手段の表示内容の変更を実行させず、誤った変更指示の設定内容に関連した動作内容の選択肢が操作ボタンの操作面上に視認される状態に移行するのを防ぐことが可能となり、その一方で、操作ボタンの操作に応じて表示手段により表示される、動作選択指示部により選択可能な対象機器の動作内容に応じて、操作ボタンと設定変更用操作ボタンとのうち利用しやすいボタンを選択して操作することができる。
【０４７５】
また、請求項１４に記載した本発明の多機能スイッチ装置によれば、請求項９、１０、１１、１２又は１３に記載した本発明の多機能スイッチ装置において、前記表示手段が、前記複数の操作ボタンのうち少なくとも一部の操作ボタンの前記操作面上において視認されるように前記設定をさらに表示する構成とした。
【０４７６】
このため、少なくとも一部の操作ボタンの操作面を視認することで、設定変更指示部によって変更指示された対象機器の動作に関連する現在の設定内容を確認することができる。
【図面の簡単な説明】
【図１】本発明の多機能スイッチ装置の基本構成図である。
【図２】本発明の多機能スイッチ装置の基本構成図である。
【図３】本発明のスイッチ装置が適用可能なセンターコンソールを含む自動車のダッシュボード回りの要部斜視図である。
【図４】本発明の第１実施形態に係るスイッチ装置の要部正面図である。
【図５】図４の液晶ディスプレイに表示されるＡＭラジオモード画面の説明図である。
【図６】図４の液晶ディスプレイに表示されるＣＤモード画面の説明図である。
【図７】図４の液晶ディスプレイに表示されるＭＤモード画面の説明図である。
【図８】図４の液晶ディスプレイに表示されるオーディオコントロールモード画面の説明図である。
【図９】図４の液晶ディスプレイに表示されるエアコンモード画面の説明図である。
【図１０】図９のエアコンモード画面におけるエア循環モードの機能を示すシンボルマークの表示変化パターンを示す説明図である。
【図１１】図９のエアコンモード画面における送風モードの機能を示すシンボルマークの表示変化パターンを示す説明図である。
【図１２】図９のエアコンモード画面における送風レベルの機能を示すシンボルマークの表示変化パターンを示す説明図である。
【図１３】図３のセンターディスプレイに表示されるデフォルトモード案内画面の説明図である。
【図１４】図３のセンターディスプレイに表示されるＡＭラジオモード案内画面の説明図である。
【図１５】オーディオコントロール動作の実行中に図１４のＡＭラジオモード案内画面に割り込んで図３のセンターディスプレイに表示される画面の説明図である。
【図１６】図３のセンターディスプレイに表示されるＣＤモード案内画面の説明図である。
【図１７】図３のセンターディスプレイに表示されるＭＤモード案内画面の説明図である。
【図１８】曲データ表示動作の実行中に図１７のＭＤモード案内画面に割り込んで図３のセンターディスプレイに表示される画面の説明図である。
【図１９】図３のセンターディスプレイに表示されるエアコンモード案内画面の説明図である。
【図２０】目標温度の設定変更時に図１９のエアコンモード案内画面に割り込んで図３のセンターディスプレイに表示される画面の説明図である。
【図２１】送風モードの設定変更時に図１９のエアコンモード案内画面に割り込んで図３のセンターディスプレイに表示される画面の説明図である。
【図２２】送風レベルの設定変更時に図１９のエアコンモード案内画面に割り込んで図３のセンターディスプレイに表示される画面の説明図である。
【図２３】デフォッガのＯＮ／ＯＦＦ状態変更時に図１３のデフォルトモード案内画面や図１９のエアコンモード案内画面に割り込んで図３のセンターディスプレイに表示される画面の説明図である。
【図２４】センターコンソールを始めとする自動車内に搭載される、特に、車内設備に関連する電装品により構成される多重通信システムの概略構成を示すブロック図である。
【図２５】図４のスイッチ装置の電気的な概略構成のブロック図である。
【図２６】図２５のマイクロコンピュータのＲＯＭに格納された制御プログラムに従いＣＰＵが行う処理を示すフローチャートである。
【図２７】図２５のマイクロコンピュータのＲＯＭに格納された制御プログラムに従いＣＰＵが行う処理を示すフローチャートである。
【図２８】図２５のマイクロコンピュータのＲＯＭに格納された制御プログラムに従いＣＰＵが行う処理を示すフローチャートである。
【図２９】図２５のマイクロコンピュータのＲＯＭに格納された制御プログラムに従いＣＰＵが行う処理を示すフローチャートである。
【図３０】図２５のマイクロコンピュータのＲＯＭに格納された制御プログラムに従いＣＰＵが行う処理を示すフローチャートである。
【図３１】図２５のマイクロコンピュータのＲＯＭに格納された制御プログラムに従いＣＰＵが行う処理を示すフローチャートである。
【図３２】図２５のマイクロコンピュータのＲＯＭに格納された制御プログラムに従いＣＰＵが行う処理を示すフローチャートである。
【図３３】図２５のマイクロコンピュータのＲＯＭに格納された制御プログラムに従いＣＰＵが行う処理を示すフローチャートである。
【図３４】図２５のマイクロコンピュータのＲＯＭに格納された制御プログラムに従いＣＰＵが行う処理を示すフローチャートである。
【図３５】図２５のマイクロコンピュータのＲＯＭに格納された制御プログラムに従いＣＰＵが行う処理を示すフローチャートである。
【図３６】図２５のマイクロコンピュータのＲＯＭに格納された制御プログラムに従いＣＰＵが行う処理を示すフローチャートである。
【図３７】図２５のマイクロコンピュータのＲＯＭに格納された制御プログラムに従いＣＰＵが行う処理を示すフローチャートである。
【図３８】図２５のマイクロコンピュータのＲＯＭに格納された制御プログラムに従いＣＰＵが行う処理を示すフローチャートである。
【図３９】本発明の第２実施形態に係るスイッチ装置の要部正面図である。
【図４０】図３９のマルチスイッチ部においてＡＭ／ＦＭラジオモード表示が行われている状態を示すスイッチ装置の要部正面図である。
【図４１】図３９のマルチスイッチ部によるプリセット操作モード表示状態の説明図である。
【図４２】図３９のマルチスイッチ部においてエアコンモード表示が行われている状態を示すスイッチ装置の要部正面図である。
【図４３】図３９のマルチスイッチ部において室温調節モード表示が行われている状態を示すスイッチ装置の要部正面図である。
【図４４】室温調節モード表示における温度調節エリアを示す文字の表示変化パターンを示すもので、（ａ）はマルチスイッチ部における表示変化パターンの説明図、（ｂ）は座席設定ボタンにおける表示変化パターンの説明図である。
【図４５】室温調節モード表示における温度調節エリアを示す文字の表示変化パターンを示すもので、（ａ）はマルチスイッチ部における表示変化パターンの説明図、（ｂ）は座席設定ボタンにおける表示変化パターンの説明図である。
【図４６】図３９のスイッチ装置の電気的な概略構成のブロック図である。
【図４７】図４６のマイクロコンピュータのＲＯＭに格納された制御プログラムに従いＣＰＵが行う処理を示すフローチャートである。
【図４８】図４６のマイクロコンピュータのＲＯＭに格納された制御プログラムに従いＣＰＵが行う処理を示すフローチャートである。
【図４９】図４６のマイクロコンピュータのＲＯＭに格納された制御プログラムに従いＣＰＵが行う処理を示すフローチャートである。
【図５０】図４６のマイクロコンピュータのＲＯＭに格納された制御プログラムに従いＣＰＵが行う処理を示すフローチャートである。
【図５１】図４６のマイクロコンピュータのＲＯＭに格納された制御プログラムに従いＣＰＵが行う処理を示すフローチャートである。
【図５２】図４６のマイクロコンピュータのＲＯＭに格納された制御プログラムに従いＣＰＵが行う処理を示すフローチャートである。
【図５３】図４６のマイクロコンピュータのＲＯＭに格納された制御プログラムに従いＣＰＵが行う処理を示すフローチャートである。
【図５４】図４６のマイクロコンピュータのＲＯＭに格納された制御プログラムに従いＣＰＵが行う処理を示すフローチャートである。
【図５５】図４６のマイクロコンピュータのＲＯＭに格納された制御プログラムに従いＣＰＵが行う処理を示すフローチャートである。
【図５６】図４６のマイクロコンピュータのＲＯＭに格納された制御プログラムに従いＣＰＵが行う処理を示すフローチャートである。
【図５７】図４６のマイクロコンピュータのＲＯＭに格納された制御プログラムに従いＣＰＵが行う処理を示すフローチャートである。
【図５８】図３９のマルチスイッチ部によるプリセット操作モード表示状態の説明図である。
【図５９】図３９のマルチスイッチ部によるプリセット操作モード表示状態の説明図である。
【図６０】図３９のマルチスイッチ部によるプリセット操作モード表示状態の説明図である。
【図６１】図３９のマルチスイッチ部によるプリセット操作モード表示状態の他の例を示す説明図である。
【図６２】図３９のマルチスイッチ部によるプリセット操作モード表示状態の他の例を示す説明図である。
【図６３】図６２のプリセット操作モード表示状態を実現するために採用される図４６のマイクロコンピュータのＲＯＭに格納された制御プログラムに従いＣＰＵが行う処理の要部を示すフローチャートである。
【図６４】図６２のプリセット操作モード表示状態を実現するために採用される図４６のマイクロコンピュータのＲＯＭに格納された制御プログラムに従いＣＰＵが行う処理の要部を示すフローチャートである。
【図６５】本発明の第３実施形態に係るスイッチ装置の要部正面図である。
【図６６】マルチスイッチ部の液晶ディスプレイにおける表示を通常表示形態と反転表示形態との間で切り換え可能とするために採用される割り込み処理を示すフローチャートである。
【図６７】マルチスイッチ部の液晶ディスプレイにおける通常表示形態での表示状態を示す説明図である。
【図６８】マルチスイッチ部の液晶ディスプレイにおける反転表示形態での表示状態を示す説明図である。
【符号の説明】
１５ｊ，１５ｋ  表示手段
３１，３３  マイクロコンピュータ
３１ａ，３３ａ  ＣＰＵ
３１ｂ，３３ｂ  ＲＡＭ
３１ｃ，３３ｃ  ＲＯＭ
３１Ａ  初期階層表示実行手段
３１Ｂ  表示像特定手段
３１Ｃ  次階層表示実行手段
３１Ｄ  対象機器指定像設定手段
３１Ｅ  特定対象機器像設定手段
３３Ａ  表示変更手段
Ａ  対象機器
Ｂ  操作ボタン操作検出手段
Ｃ  特定操作ボタン操作検出手段
Ｄ  動作選択指示部
Ｅ  設定変更指示部
Ｆ  選択手段
α1 〜αn ，δ1 〜δn   操作ボタン
β  特定操作ボタン
λ  設定変更用操作ボタン
【図１】
0004272291.tif 000002
【図２】
0004272291.tif 000003
【図３】
0004272291.tif 000004
【図４】
0004272291.tif 000005
【図５】
0004272291.tif 000006
【図６】
0004272291.tif 000007
【図７】
0004272291.tif 000008
【図８】
0004272291.tif 000009
【図９】
0004272291.tif 000010
【図１０】
0004272291.tif 000011
【図１１】
0004272291.tif 000012
【図１２】
0004272291.tif 000013
【図１３】
0004272291.tif 000014
【図１４】
0004272291.tif 000015
【図１５】
0004272291.tif 000016
【図１６】
0004272291.tif 000017
【図１７】
0004272291.tif 000018
【図１８】
0004272291.tif 000019
【図１９】
0004272291.tif 000020
【図２０】
0004272291.tif 000021
【図２１】
0004272291.tif 000022
【図２２】
0004272291.tif 000023
【図２３】
0004272291.tif 000024
【図２４】
0004272291.tif 000025
【図２５】
0004272291.tif 000026
【図２６】
0004272291.tif 000027
【図２７】
0004272291.tif 000028
【図２８】
0004272291.tif 000029
【図２９】
0004272291.tif 000030
【図３０】
0004272291.tif 000031
【図３１】
0004272291.tif 000032
【図３２】
0004272291.tif 000033
【図３３】
0004272291.tif 000034
【図３４】
0004272291.tif 000035
【図３５】
0004272291.tif 000036
【図３６】
0004272291.tif 000037
【図３７】
0004272291.tif 000038
【図３８】
0004272291.tif 000039
【図３９】
0004272291.tif 000040
【図４０】
0004272291.tif 000041
【図４１】
0004272291.tif 000042
【図４２】
0004272291.tif 000043
【図４３】
0004272291.tif 000044
【図４４】
0004272291.tif 000045
【図４５】
0004272291.tif 000046
【図４６】
0004272291.tif 000047
【図４７】
0004272291.tif 000048
【図４８】
0004272291.tif 000049
【図４９】
0004272291.tif 000050
【図５０】
0004272291.tif 000051
【図５１】
0004272291.tif 000052
【図５２】
0004272291.tif 000053
【図５３】
0004272291.tif 000054
【図５４】
0004272291.tif 000055
【図５５】
0004272291.tif 000056
【図５６】
0004272291.tif 000057
【図５７】
0004272291.tif 000058
【図５８】
0004272291.tif 000059
【図５９】
0004272291.tif 000060
【図６０】
0004272291.tif 000061
【図６１】
0004272291.tif 000062
【図６２】
0004272291.tif 000063
【図６３】
0004272291.tif 000064
【図６４】
0004272291.tif 000065
【図６５】
0004272291.tif 000066
【図６６】
0004272291.tif 000067
【図６７】
0004272291.tif 000068
【図６８】
0004272291.tif 000069